(57)【要約】      （修正有）【課題】視力の異なる使用者、左右の視力が異なる使用者が、簡単な操作により、異なる距離にある視認対象物を、個別に、明瞭に視認することができる汎用性のある可変焦点眼鏡を提供する。【解決手段】焦点距離を変化させることができる可変焦点レンズ１５Ｒ、１５Ｌ毎に設けられ、可変焦点レンズ１５Ｒ、１５Ｌの焦点距離を変化させる駆動部２３Ｒ、２３Ｌ、駆動部２３Ｒ、２３Ｌを制御する制御部２５、所定のスイッチ５１、５７を備え、スイッチ５１、５７に対して所定の操作をした場合には、駆動部２３の駆動量が、スイッチ５１、５７の操作によって指定される、可変焦点レンズ１５Ｒ、１５Ｌ毎に記憶された、所定の距離にある視認対象物を可変焦点眼鏡の使用者が明瞭に視認できる際の駆動量となるように、制御部２５が駆動部２３を個別に制御する可変焦点眼鏡。【選択図】図１
2014038302.tif 000002
【特許請求の範囲】
【請求項１】
焦点距離を変化させることができる可変焦点レンズを備えた可変焦点眼鏡において；
前記可変焦点レンズ毎に設けられ、前記可変焦点レンズの焦点距離を変化させる駆動部と、
前記駆動部を制御する制御部と、
所定のスイッチと、
を備えており、
前記スイッチに対して所定の操作をした場合には、前記駆動部の駆動量が、前記スイッチの操作によって指定される、前記可変焦点レンズ毎に記憶された、所定の距離にある視認対象物を前記可変焦点眼鏡の使用者が明瞭に視認できる際の駆動量となるように、前記制御部が前記駆動部を個別に制御することを特徴とする可変焦点眼鏡。
【請求項２】
前記所定の距離にある視認対象物を明瞭に視認できる際の駆動量が、前記可変焦点レンズ毎に、前記使用者により教示された駆動量であることを特徴とする請求項１に記載の可変焦点眼鏡。
【請求項３】
前記可変焦点レンズが、液体の出し入れによって焦点距離を変化させることができる可変焦点レンズであり、
前記駆動部が、前記液体を出し入れして前記可変焦点レンズの焦点距離を変化させる駆動部であることを特徴とする請求項１または請求項２に記載の可変焦点眼鏡。
【請求項４】
前記可変焦点レンズに、前記液体が出し入れされる内部空間が形成されており、
前記駆動部が；
前記内部空間につながる内径部に設けられ、可動することにより、前記液体を出し入れして前記可変焦点レンズの焦点距離を変化させるピストンと、
ステッピングモータ、サーボモータ、所定の距離にある視認対象物が明瞭に視認できる場合の駆動量に制御可能なＤＣモータのうち、いずれかのモータと、
を備えており、
前記制御部が前記モータを個別に駆動することにより、前記ピストンを可動させることを特徴とする請求項３に記載の可変焦点眼鏡。
【請求項５】
前記可変焦点レンズが、印加電圧の増減によって焦点距離を変化させることができる可変焦点レンズであり、
前記駆動部が、前記印加電圧を増減して前記可変焦点レンズの焦点距離を変化させる駆動部であることを特徴とする請求項１または請求項２に記載の可変焦点眼鏡。
【請求項６】
前記スイッチに対し所定の操作をした場合には、前記可変焦点レンズ毎に事前に教示された、所定の距離にある視認対象物を明瞭に視認できる際の駆動量から、任意の距離にある視認対象物までの距離に応じた、前記駆動部に対する駆動量を、前記可変焦点レンズ毎に算出し、
前記駆動部に対する駆動量が算出された駆動量となるように、前記制御部が前記駆動部を制御することを特徴とする請求項１乃至請求項５のいずれか１つに記載の可変焦点眼鏡。
【請求項７】
前記駆動部、前記駆動部を操作する操作部、前記制御部、前記駆動部および制御部に電源を供給する電源供給部のうち、少なくとも前記操作部が、前記可変焦点レンズを保持する眼鏡フレームと別体に設けられるリモートコントローラに設けられていることを特徴とする請求項１乃至請求項６のいずれか１つに記載の可変焦点眼鏡。
【請求項８】
請求項１乃至請求項７のいずれか１つの可変焦点眼鏡が、前記視認対象物までの距離を測定する距離測定手段、前記視認対象物の有無を検出する視認対象物検出手段のいずれか１つを備えていることを特徴とする可変焦点眼鏡。
【発明の詳細な説明】
【技術分野】
【０００１】
本発明は、焦点距離を調整することができる可変焦点眼鏡に関し、特に、視力の異なる使用者、左右の視力が異なる使用者が、異なる距離にある視認対象物を、個別に、一定の明瞭さをもって視認することができる、汎用性のある可変焦点眼鏡に関する。
【背景技術】
【０００２】
人間の目は、一般的に、加齢によって焦点調節機能が低下し、老視の症状が現れてくる。このため、従来技術では、近用眼鏡（近いものを見る眼鏡、例えば老眼鏡）を掛ける必要が生じる。また、近視である者が加齢して、老視の症状が現れた場合には、近用眼鏡（近いものを見る眼鏡、例えば老眼鏡）と遠用眼鏡（遠くのものを見る眼鏡、近視用眼鏡）を交互に掛け替えねばならなかった。そこで、これらの問題点を解決するために、可変焦点レンズを用いて遠近を見る眼鏡が公開されている。
【０００３】
例えば、内部に空間が形成されたレンズと、レンズの空間およびこの空間に連なるリザーバに液体を封入し、リザーバに設けられたダイアルを回転させることにより、レンズの空間に流入する液体の量を変化させて度数を調整できる可変焦点眼鏡が出願されている。（例えば、特許文献１）
【０００４】
しかしながら、この可変焦点眼鏡は、視認対象物までの距離に応じて、都度、手動でダイアルを手動で回転させなければならず、煩わしいという課題を有している。
【０００５】
また、可変焦点レンズを用いて遠近を見る眼鏡として、ポンプの作動によりレンズ体の内部の透明液体の容量を変えて、焦点を変化させようとする眼鏡が公開されている。（例えば、特許文献２）
【０００６】
ところで、この眼鏡は、ポンプが作動すると、透明液体が、注入口からレンズ体内に流入し、一方で、レンズ体内の透明液体が、排出口から排出される。そして、排出口から排出された透明液体は、チューブおよびポンプを介して再び注入口からレンズ体内に注入される。つまり、透明液体が循環するに過ぎず、そもそも、レンズ体の焦点距離を調整することができないという不具合を有している。
【０００７】
また、この眼鏡は、ポンプの吐出側に接続される１本のチューブが途中で分岐しており、透明液体が各々のレンズ体に注入されるようになっている。そして、各々のレンズ体から排出された透明液体が１本のチューブに合流し、ポンプの吸入側に接続するようになっている。つまり、この眼鏡は、左右のレンズ体毎に焦点距離を調整する仕組みを備えておらず、左右のレンズ体毎に焦点距離を調整することができない。その結果、左右で度数が異なる使用者は、視覚対象物を明確に見ることができないという課題を有している。
【０００８】
また、この眼鏡が、仮にレンズ体の焦点距離を調整できる眼鏡であったとしても、ポンプ、バルブ、流量計を用いた方法では、一般的には、液体の出し入れを長年繰り返すことにより、累積的な流量誤差が生じる課題、可変焦点レンズの焦点距離を、繰り返し、正確に再現することができないという課題を有している。
【０００９】
また、この眼鏡には、バルブが設けられている。バルブの具体的な構成は示されていないが、コントローラがバルブを駆動制御することから考慮すれば、電気を用いて弁を機械的に作動させる何らかの機械装置（例えば電磁弁）および配線が必要となる。しかも、この眼鏡は、流量計まで設けられるために、眼鏡が非常に大きく、あるいは重くなってしまい、実用に供さないという課題を有している。
【００１０】
また、可変焦点レンズを用いて遠近を見る眼鏡として、フレームに設けられた複数のスイッチを同時に押すと、可変焦点レンズに電圧を印加して、焦点の切り替えをする電子眼鏡が公開されている。（例えば、特許文献３）
【００１１】
しかしながら、この電子眼鏡は、単に遠方視野、近方視野を切り替えるだけであり、使用者の視力に合わせて、視認対象物を明確に見るようにはできないという課題を有している。また、使用者毎に焦点距離を変更することができないので、使用者が変わると、視認対象物を明瞭に見ることができないという課題を有している。さらに、左右のレンズ体毎に焦点距離を調整することができないので、左右の視力が異なる使用者は、視認対象物を明瞭に見ることができないという課題を有している。つまり、この電子眼鏡は、視力の異なる使用者、左右の視力が異なる使用者に対する汎用性がない。
【００１２】
また、可変焦点レンズを用いて遠近を見る眼鏡として、遠方を見る固定レンズに、液晶レンズを貼り合わせ、焦点切替スイッチを押して、プランジャをＯＮ接点側に切り替えると、液晶レンズに電圧が印加されて、近方視野に切り替えられ、プランジャをＯＦＦ接点側に切り替えると、液晶レンズに印加される電圧が停止されて、固体レンズの度数により、遠方視野をみることができる電子眼鏡が公開されている。（例えば、特許文献４）
【００１３】
しかしながら、この電子眼鏡は、遠方用として、使用者固有の固体レンズを用いなければならないので、使用者が代わると、必ずしも視認対象物を明瞭に見られるとは限らないという課題を有している。しかも、この電子眼鏡は、使用者専用として用いた場合でも、使用者の度数が進んでしまうと、固体レンズの部分を作り直す必要があり、引いては、液晶レンズも作り直さなければならないという課題を有している。つまり、この電子眼鏡は、視力の異なる使用者、左右の視力が異なる使用者に対する汎用性がないばかりでなく、使用者専用として用いた場合にも、使用できる条件（例えば、使用者の視力が変わらない）が限定されてしまうという課題を有している。
【００１４】
また、可変焦点レンズを用いて遠近を見る眼鏡として、ベローズ内のエレクトロアクティブポリマー部材と対向電極との間に電圧を印加してベローズを変形させることで、可変焦点レンズ部のメンブレンに流動性透明充填液を出し入れさせて、焦点距離を変える可変焦点レンズ装置が公開されている。（例えば、特許文献５）
【００１５】
しかしながら、この可変焦点レンズ装置は、単に、液圧ポンプを駆動させ、流動性透明充填液を出入りさせて、メンブレンを湾曲させ、焦点を切り替えるだけであり、視認する視認対処物が代わると、いちいち、片側ずつ、左右の可変焦点レンズの焦点距離を合わせなければならないという課題を有している。また、ベローズ内のエレクトロアクティブポリマー部材と対向電極との間に電圧を印加してベローズを変形させる構成であるために、液体の出し入れを長年繰り返すと、累積的な流量誤差が生じ、可変焦点レンズの焦点距離を、繰り返し、正確に再現することができないという課題を有している。
【００１６】
特許文献１乃至特許文献５は、いずれも、視力の異なる使用者、左右の視力が異なる使用者が、簡単な操作により、異なる距離にある視認対象物を、個別に、一定の明瞭さをもって視認することができないという課題を有している。
【００１７】
【特許文献１】特表２０１１−５１６９２５号公報
【特許文献２】特開平５−３０３０１１号公報
【特許文献３】特開２００９−８０２４２号公報
【特許文献４】特開２００９−９８６４９号公報
【特許文献５】特開２００９−２５１４２０号公報
【発明の開示】
【発明が解決しようとする課題】
【００１８】
上述したように、上述した特許文献２の眼鏡、特許文献３の電子眼鏡、特許文献４の電子眼鏡は、そもそも、レンズ体の焦点距離を調整することができないという不具合、あるいは、視力の異なる使用者、左右の視力が異なる使用者に対する汎用性がないなどの課題があった。一方、特許文献１の眼鏡、特許文献５の可変焦点レンズ装置は、一定の汎用性があるものの、特許文献１では、都度、手動でダイアルを回転させなければならず、煩わしいという課題、特許文献５では、片側ずつ、左右の可変焦点レンズの焦点距離を合わせなければならないという課題を有している。
【００１９】
つまり、従来技術では、視力の異なる使用者、左右の視力が異なる使用者が、簡単な操作により、異なる距離にある視認対象物を、個別に、一定の明瞭さをもって視認することができる汎用性のある可変焦点眼鏡を提供することができなかった。本願発明は上記点に鑑み、視力の異なる使用者、左右の視力が異なる使用者が、簡単な操作により、異なる距離にある視認対象物を、個別に、一定の明瞭さをもって視認することができる汎用性のある可変焦点眼鏡を提供することを目的とする。
【００２０】
また、上述した課題を解決するために、発明者は、可変焦点眼鏡を発明したが、使用者にとって掛け心地のよい可変焦点眼鏡、操作性のよい可変焦点眼鏡、利便性の高い可変焦点眼鏡であることが望まれる。本願発明は上記点に鑑み、使用者にとって掛け心地のよい可変焦点眼鏡、あるいは操作性のよい可変焦点眼鏡、あるいは利便性の高い可変焦点眼鏡を提供することを副次的な目的とする。
【課題を解決するための手段】
【００２１】
本発明は、上記目的を達成するために、請求項１に記載の発明では、焦点距離を変化させることができる可変焦点レンズを備えた可変焦点眼鏡において；
可変焦点レンズ毎に設けられ、可変焦点レンズの焦点距離を変化させる駆動部と、
駆動部を制御する制御部と、
所定のスイッチと、
を備えており、
スイッチに対して所定の操作をした場合には、駆動部の駆動量が、スイッチの操作によって指定される、可変焦点レンズ毎に記憶された、所定の距離にある視認対象物を可変焦点眼鏡の使用者が明瞭に視認できる際の駆動量となるように、制御部が駆動部を個別に制御することを特徴とする。
【００２２】
また、請求項２に記載の発明では、請求項１において、所定の距離にある視認対象物を明瞭に視認できる際の駆動量が、可変焦点レンズ毎に、使用者により教示された駆動量であることを特徴とする。
【００２３】
これによれば、スイッチに対して所定の操作をすると、所定の距離にある視認対象物を可変焦点眼鏡の使用者が明瞭に視認できる際の駆動量となる。この駆動量は、使用者が個別に、視認対象物を明瞭に視認できる際の駆動量であるために、簡単な操作によって、視力の異なる使用者、左右の視力が異なる使用者が、視認対象物を明瞭に視認することができる。したがって、従来例のように、いちいちダイアルを手動で回転させずとも、あるいは片側ずつ、左右の可変焦点レンズの焦点距離を合わせることをせずとも、視力の異なる使用者、左右の視力が異なる使用者自身が、簡単な操作によって、視認対象物を明瞭に視認することができる。その結果、視力の異なる使用者、左右の視力が異なる使用者が、簡単な操作により、異なる距離にある視認対象物を、個別に、一定の明瞭さをもって視認することができる汎用性のある可変焦点眼鏡を提供することができる。
【００２４】
なお、スイッチ操作をしない限り、駆動量も変わらないので、使用者が個別の視認対象物を視認している際に、他の視認対象物が横切っても、駆動量が切り替わることがない。このため、視認対象物を安定的に視認することができる。
【００２５】
請求項３に記載の発明では、請求項１または請求項２において、請求項１または請求項２において、可変焦点レンズが、液体の出し入れによって焦点距離を変化させることができる可変焦点レンズであり、
駆動部が、液体を出し入れして可変焦点レンズの焦点距離を変化させる駆動部であることを特徴とする。
【００２６】
これによれば、可変焦点レンズが、液体の出し入れによって焦点距離を変化させることができる可変焦点レンズであるため、液晶式の可変焦点眼鏡のような課題、すなわち、誘電体材料を用いているために、一般的に、レンズにおける光の透過率が低くなる課題、レンズにおける光の透過率が低くなると、明度が下がり、使用者の瞳孔径が大きくなって、焦点深度が浅くなり、焦点を合わせ難いという課題、利用者に負担をかけてしまうという課題、大口径にすることが難しく、視野が限定されるという課題を解決することができる。
【００２７】
請求項４に記載の発明では、請求項３において、可変焦点レンズに、液体が出し入れされる内部空間が形成されており、
駆動部が；
内部空間につながる内径部に設けられ、可動することにより、液体を出し入れして可変焦点レンズの焦点距離を変化させるピストンと、
ステッピングモータ、サーボモータ、所定の距離にある視認対象物が明瞭に視認できる場合の駆動量に制御可能なＤＣモータのうち、いずれかのモータと、
を備えており、
制御部がモータを個別に駆動することにより、ピストンを可動させることを特徴とする。
【００２８】
これによれば、視認対象物を、使用者が一定の明瞭さをもって視認できる際の焦点距離となるように、制御部がステッピングモータ、サーボモータ、所定の距離にある視認対象物が明瞭に視認できる場合の駆動量となるように作動するＤＣモータを制御してピストンを可動させ、内部空間内への液体の出し入れ量を制御することができる。上述した各モータは、正確に位置決めすることができ、位置再現性も有しているので、各モータによって可動するピストンもまた正確に位置決めされ、正確に位置が再現される。そのため、可変焦点レンズの焦点距離を、繰り返し、正確に再現することができる。
【００２９】
また、可変焦点レンズ毎に液体の出し入れ量を制御することができるので、可変焦点レンズ毎に焦点距離を変更することができる。このため、左右の視力度数が異なっていても、右目、左目ごとに、焦点距離を微細に制御することができる。その結果、使用者が一定の明瞭さをもって、視認対象物を視認できる可変焦点眼鏡を提供することができる。
【００３０】
また、可変焦点レンズの焦点距離を、繰り返し、正確に再現することができるので、特許文献２のような、バルブおよび流量計を必要としない。また、特許文献５のような、動作液体および流動性透明液体充填液を貯留する液圧力流量伝達装置セルも必要としない。このため、可変焦点眼鏡をコンパクトにすることができる。その結果、使用者にとって掛け心地のよい可変焦点眼鏡を提供することができる。
【００３１】
請求項５に記載の発明では、請求項１または請求項２において、可変焦点レンズが、印加電圧の増減によって焦点距離を変化させることができる可変焦点レンズであり、
駆動部が、印加電圧を増減して可変焦点レンズの焦点距離を変化させる駆動部であることを特徴とする。
【００３２】
これによれば、装置を小型化、軽量化することができる。その結果、使用者にとって掛け心地のよい可変焦点眼鏡を提供することができる。また、液体式の可変焦点眼鏡のように、液漏れを考慮する必要がない。
【００３３】
請求項６に記載の発明では、請求項１乃至請求項５のいずれか１つにおいて、スイッチに対し所定の操作をした場合には、可変焦点レンズ毎に事前に教示された、所定の距離にある視認対象物を明瞭に視認できる際の駆動量から、任意の距離にある視認対象物までの距離に応じた、駆動部に対する駆動量を、可変焦点レンズ毎に算出し、
駆動部に対する駆動量が算出された駆動量となるように、制御部が駆動部を制御することを特徴とする。
【００３４】
これによれば、可変焦点レンズ毎に、駆動部に対する駆動量が、任意の距離にある視認対象物までの距離に応じた、駆動部に対する駆動量となるために、簡単な操作によって、視力の異なる使用者、左右の視力が異なる使用者が、任意の距離にある視認対象物を明瞭に視認することができる。その結果、視力の異なる使用者、左右の視力が異なる使用者が、簡単な操作により、任意の距離にある距離にある視認対象物を、個別に、一定の明瞭さをもって視認することができる汎用性のある可変焦点眼鏡を提供することができる。
【００３５】
請求項７に記載の発明では、請求項１乃至請求項６のいずれか１つにおいて、駆動部、駆動部を操作する操作部、制御部、駆動部および制御部に電源を供給する電源供給部のうち、少なくとも操作部が、可変焦点レンズを保持する眼鏡フレームと別体に設けられるリモートコントローラに設けられていることを特徴とする。
【００３６】
これによれば、駆動部、操作部、制御部、電源供給部のうち、少なくとも操作部が、リモートコントローラに設けられるので、眼鏡フレーム側の重量を軽減することができる。その結果、掛け心地のよい可変焦点眼鏡を提供することができる。また、リモートコントローラに設けられた操作部により、駆動部を操作することができるので、操作性がよく、利便性の高い可変焦点眼鏡を提供することができる。
【００３７】
請求項８に記載の発明のように、請求項１乃至請求項７のいずれか１つの可変焦点眼鏡が、視認対象物までの距離を測定する距離測定手段、視認対象物の有無を検出する視認対象物検出手段のいずれか１つを備えていてもよい。
【図面の簡単な説明】
【００３８】
【図１】第１実施形態による可変焦点眼鏡の平面図で、図２のＡ−Ａ断面図である。
【図２】第１実施形態による可変焦点眼鏡の正面図である。
【図３】図１のＢ−Ｂ断面図である。
【図４】図１のＣ−Ｃ断面図である。
【図５】第１の実施形態による左側の可変焦点レンズおよび駆動部の拡大図である。
【図６】第１の実施形態による可変焦点眼鏡のブロック図である。
【図７】第２の実施形態による可変焦点眼鏡の平面図である。
【図８】第２の実施形態による可変焦点眼鏡の正面図である。
【図９】図７のＡ方向から見た側面図である。
【図１０】図７のＢ方向から見た側面図である。
【図１１】第２の実施形態による可変焦点眼鏡のブロック図である。
【図１２】第５の実施形態による可変焦点眼鏡の駆動量−距離相関図である。
【図１３】第６の実施形態による可変焦点眼鏡の駆動量−距離相関図である。
【図１４】第７の実施形態による可変焦点眼鏡の左側の可変焦点レンズおよび駆動部の拡大図である。
【図１５】図１４のＦ−Ｆ断面図である。
【図１６】図１４のＧ−Ｇ断面図である。
【図１７】第８の実施形態による可変焦点眼鏡の正面図である。
【図１８】第９の実施形態による可変焦点眼鏡の正面図である。
【図１９】第１０の実施形態による可変焦点眼鏡の駆動部の説明図である。
【図２０】第１１の実施形態による可変焦点眼鏡の平面図である。
【発明を実施するための最良の形態】
【００３９】
（第１の実施形態）
第１の実施形態は、可変焦点眼鏡のうち、液体式可変焦点眼鏡に関するものである。図１は、可変焦点眼鏡１１の平面図で、図２のＡ−Ａ断面図である。図２は、可変焦点眼鏡の正面図である。図３は、図１のＢ−Ｂ断面図である。図４は、図１のＣ−Ｃ断面図である。図５は、可変焦点レンズおよび駆動部の拡大図である。図１に示すように、可変焦点眼鏡１１は、眼鏡フレーム１３の前面部分を構成し、左右一対の可変焦点レンズ１５を保持するフロント１７、フロント１７に連なるテンプル１９を備えている。なお、第１の実施形態では、テンプル１９は、フロント１７と一体に形成されるが、一般的に使用される眼鏡と同様に、テンプル１９をフロント１７と別体にし、所定の連結部材などを介して折り曲げる構造としてもよい。
【００４０】
なお、以下の説明では、必要に応じて、左右一対の可変焦点レンズ１５、テンプル１９を、次のように使い分けて説明する。すなわち、左右一対の可変焦点レンズ１５のうち、使用者が可変焦点眼鏡１１をかけた状態で、右側の可変焦点レンズ１５を可変焦点レンズ１５Ｒと称し、左側の可変焦点レンズ１５を可変焦点レンズ１５Ｌと称するものとする。また、使用者が可変焦点眼鏡１１をかけた状態で、右側のテンプル１９を、テンプル１９Ｒと称し、左側のテンプル１９を、テンプル１９Ｌと称するものとする。また、右側のテンプル１９Ｒに設けられた駆動部２３を、駆動部２３Ｒと称し、左側のテンプル１９Ｌに設けられた駆動部２３を、駆動部２３Ｌと称するものとする。また、右側のテンプル１９Ｒに設けられたステッピングモータ３５を、ステッピングモータ３５Ｒと称し、左側のテンプル１９Ｌに設けられたステッピングモータ３５を、ステッピングモータ３５Ｌと称するものとする。
【００４１】
なお、後述するように、ステッピングモータは、駆動部の駆動源であり、駆動部そのものではないが、ステッピングモータが駆動すると、駆動部が駆動する。また、制御部がステッピングモータを制御することは、結果的に、制御部が駆動部を制御することでもある。このため、適宜、ステッピングモータ（駆動部）を駆動する、制御部がステッピングモータ（駆動部）を制御する、などと記載する。また、制御部は、後述する記憶部を含めた広い概念で用いており、適宜、記憶部（制御部）に記憶する、記憶部（制御部）に記憶される、などと記載する。
【００４２】
可変焦点レンズ１５は、図５に示すように、前面側を形成する前面レンズ１５ａ、後面側を形成する後面レンズ１５ｂ、前面レンズ１５ａおよび後面レンズ１５ｂの間に配置される可撓性の可撓膜１５ｃを備えている。前面レンズ１５ａと可撓膜１５ｃとの間には、空間１５ｄが形成され、可撓膜１５ｃと後面レンズ１５ｂとの間には、空間１５ｅが形成される。上述した後面レンズ１５ｂには、空間１５ｅと連通路１３ａとを連通する孔部１５ｆが形成されている。連通路１３ａは、孔部１５ｆと、後述する貯留室３７とを連通する。空間１５ｅ、孔部１５ｆ、連通路１３ａ、貯留室３７には透明液体２１（例えば、透明度の高いシリコン油）が充填されている。
【００４３】
また、右側のテンプル１９Ｒには、右側の可変焦点レンズ１５Ｒに透明液体２１を出し入れして、右側の可変焦点レンズ１５Ｒの厚みを変更することにより焦点距離を変更する駆動部２３Ｒと、駆動部２３Ｒ、２３Ｌ、制御部２５に電力を供給する電源供給部２７とが設けられている。また、左側のテンプル１９Ｌには、左側の可変焦点レンズ１５Ｌに透明液体２１を出し入れして、左側の可変焦点レンズ１５Ｌの厚みを変更することにより焦点距離を変更する駆動部２３Ｌと、駆動部２３Ｒ、２３Ｌを制御する制御部２５とが設けられている。電源供給部２７から供給される電力は、配線２９（図２に図示）を経由して、駆動部２３、制御部２５に送電される。上述した配線２９は、エッチング、銅箔の貼り付け等により、フィルム上に形成された配線パターンであってもよい。配線パターンをフィルム上に形成することで、眼鏡フレーム１３を小型化することができる。
【００４４】
次に、駆動部２３について説明する。説明に際しては、左側のテンプル１９Ｌに設けられる駆動部２３Ｌについて説明する。なお、右側のテンプル１９Ｒに設けられる駆動部２３Ｒについては、左側のテンプル１９Ｌに設けられる駆動部２３Ｌと同様に構成される。
【００４５】
図５に示すように、左側のテンプル１９Ｌには、内径部１９ａが形成されており、この内径部１９ａに、ピストン３１、送りねじ軸３３、左側のステッピングモータ３５Ｌが内蔵されている。内径部１９ａのうち、少なくとも、ピストン３１が摺動する部分は、円筒状に形成されており、ピストン３１と内径部１９ａとで、透明液体２１を貯留する貯留室３７が形成される。ピストン３１には、めねじが形成されており、送りねじ軸３３が螺入されている。
【００４６】
送りねじ軸３３の内径部３３ａには、左側のステッピングモータ３５Ｌの軸３５ａが圧入されており、軸３５ａが回転すると、送りねじ軸３３が一体となって回転する。左側のステッピングモータ３５Ｌの軸３５ａが、軸３５ａ側の反対側から軸３５ａの方向に見て反時計方向に回転すると、ピストン３１がＤ方向に移動する。この際、貯留室３７に貯留された透明液体２１が、連通路１３ａ、孔部１５ｆを経由して、空間１５ｅ側に移動する。空間１５ｅ側に透明液体２１が流入すると、左側の可変焦点レンズ１５Ｌが厚さ方向に膨らんで、屈折率を高くすることができる（焦点距離を短くすることができる）。
【００４７】
また、左側のステッピングモータ３５Ｌの軸３５ａが、軸３５ａ側の反対側から軸３５ａの方向に見て時計方向に回転すると、ピストン３１が、図５に示すＥ方向に移動する。この際、空間１５ｅに貯留された透明液体２１が、孔部１５ｆ、連通路１３ａを経由して、貯留室３７側に移動する。貯留室３７側に透明液体２１が移動すると、左側の可変焦点レンズ１５Ｌが厚さ方向に縮んで、屈折率を低くすることができる（焦点距離を長くすることができる）。なお、ピストン３１には、回り止め３１ａが設けられており、送りねじ軸３３が回転した際に、ピストン３１が回転しないように構成されている。
【００４８】
ところで、制御部２５から所定量のパルス信号を、右側のステッピングモータ３５Ｒ、左側のステッピングモータ３５Ｌに与えると、軸３５ａがパルス信号の量（パルス数）に応じた角度分だけ、回転する。上述したパルス数は、駆動部２３Ｒ、２３Ｌを駆動させる際の駆動量である。なお、上述したパルス数は、軸３５ａの回転量に換算することができることから、軸３５ａの回転量を、本願発明の駆動量として扱ってもよい。また、可動部（例えば、ピストン３１）の移動量を、本願発明の駆動量として扱ってもよい。上述した可動部（例えば、ピストン３１）の移動量は、リニアスケール、センサなどを用いて検出してもよい。可動部とは、駆動源（第１の実施形態では、ステッピングモータ３５）が駆動することにより、可動する部分であり、第１の実施形態では、ピストン３１、送りねじ軸が相当する。
【００４９】
なお、上述した右側のステッピングモータ３５Ｒ、左側のステッピングモータ３５Ｌに、ロータリエンコーダを設けてもよい。ロータリエンコーダは、駆動量検出手段として機能する。図１に示すように、ステッピングモータ３５Ｒ、３５Ｌにロータリエンコーダ３９を設けると、パルス数およびパルス数から換算される軸３５ａの回転量を極めて正確に検出することができる。また、パルス数を制御部２５にフィードバックして、駆動部２３を制御することができる。
【００５０】
次に、制御部２５について説明する。制御部２５には、ステッピングモータ３５Ｒ、３５Ｌを制御する制御プログラムが記憶されている。この制御プログラムは、後述するタッチセンサ５１、タッチセンサ５７に対して所定の操作をした場合に、駆動部２３の駆動量が、タッチセンサ５１、タッチセンサ５７の操作により指定される、事前に教示された駆動量となるように、駆動部２３を制御する機能を有している。
【００５１】
次に、操作部４７について説明する。右側のテンプル１９Ｒ、左側のテンプル１９Ｌには、操作部４７が設けられている。操作部４７のうち、右側のテンプル１９には、図４に示すように、電源をオン、オフする電源スイッチ４９、タッチセンサ５１、教示ボタン５３が設けられている。また、操作部４７のうち、左側のテンプル１９Ｌには、図３に示すように、モード切換ボタン５５、タッチセンサ５７、登録ボタン５９が設けられている。
【００５２】
タッチセンサ５１、タッチセンサ５７に触れると、制御部２５に所定の検出信号が入力される。タッチセンサ５１、タッチセンサ５７は、本願発明のスイッチの一例を構成する。スイッチは、上述したタッチセンサの他に、押ボタンスイッチ、近接スイッチなど、他のスイッチであってもよい。
【００５３】
モード切換ボタン５５は、モードの切り替えを行う。上述したモード切換ボタン５５を押すと、視点切り替えモード、一定モード、任意モード、教示モードを切り換えることができる。
【００５４】
視点切り替えモードとは、異なる距離にある複数の視認対象物に対し、個別に焦点距離を切り替えるモードであり、使用者が一定の明瞭さをもって視認対象物を視認できるように、制御部２５が、ステッピングモータ３５Ｒ（駆動部２３Ｒ）、ステッピングモータ３５Ｌ（駆動部２３Ｌ）を制御して、右側の可変焦点レンズ１５Ｒ、左側の可変焦点レンズ１５Ｌの焦点距離を変化させるモードである。一定モードとは、自動車を運転するときのように、焦点距離が変化しては不都合を生じる場合に、焦点距離を一定にするモードである。任意モードとは、任意の位置にある視認対象物に対して、都度、使用者が一定の明瞭さをもって視認対象物を視認できるように、手動制御によって、焦点距離を変化させるモードである。
【００５５】
ところで、使用者の視力は、個々に異なるため、使用者に応じて、所定の距離にある視認対象物が明瞭に見えるように（一定の明瞭さを持って視認できるように）しなければならない。視認対象物が明瞭に見えるように焦点距離を合わせるために、使用者が事前に教示を行う。教示を行うには、モード切換ボタン５５を押して、教示モードにする。
【００５６】
教示モード時に、使用者が指でタッチセンサ５１に触れると、制御部２５に所定の検出信号が入力される。そして、使用者がタッチセンサ５１から指を離すと、上述した検出信号の入力が停止される。制御部２５は、検出信号が入力されるごとに、右側のステッピングモータ３５Ｒの軸３５ａが正転、逆転を交互に繰り返すように、右側のステッピングモータ３５Ｒを制御する。タッチセンサ５１を触れている間は、軸３５ａの正転または逆転が維持され、指を離すと、停止する。
【００５７】
同様に、教示モード時に、使用者が指でタッチセンサ５７に触れると、制御部２５に所定の検出信号が入力される。そして、使用者がタッチセンサ５７から指を離すと、上述した検出信号の入力が停止される。制御部２５は、検出信号が入力されるごとに、左側のステッピングモータ３５Ｌの軸３５ａが正転、逆転を交互に繰り返すように、左側のステッピングモータ３５Ｌを制御する。タッチセンサ５７を触れている間は、軸３５ａの正転または逆転が維持され、指を離すと、停止する。
【００５８】
教示には、遠近２点を教示する２点教示、３点を教示する３点教示、多点を教示する多点教示などがある。
【００５９】
２点教示について、説明する。最初に、右側の可変焦点レンズ１５Ｒにおける教示の手順を説明する。図１において、使用者が、左側の可変焦点レンズ１５Ｌを手で覆い、第１の距離（例えば、眼鏡フレーム１３から視認対象物ＯＢ１までの距離Ｌ１＝３０ｃｍ）にある視認対象物ＯＢ１を視認する。次に、使用者が、上述したタッチセンサ５１に指で触れて、あるいは指を離して、右側のステッピングモータ３５Ｒを駆動させ、視認対象物ＯＢ１が最も明瞭に視認できるように、右側の可変焦点レンズ１５Ｒの焦点距離を変化させる。そして、教示ボタン５３を押す。この際、右側のステッピングモータ３５Ｒに対する原点からのパルス数Ｎ１が、記憶部６３（制御部２５）に記憶される（記憶部６３は、図６参照）。なお、右側のステッピングモータ３５Ｒに、ロータリエンコーダが設けられている場合には、ロータリエンコーダが検出した原点位置からのパルス数が、記憶部６３（制御部２５）に記憶される。
【００６０】
次に、使用者が、左側の可変焦点レンズ１５Ｌを手で覆い、第２の距離（例えば、眼鏡フレーム１３から視認対象物ＯＢ２までの距離Ｌ２＝１００ｃｍ）にある視認対象物ＯＢ２を視認する。次に、使用者が、上述したタッチセンサ５１に指で触れて、あるいは指を離して、右側のステッピングモータ３５Ｒを駆動させ、視認対象物ＯＢ２が最も明瞭に視認できるように、右側の可変焦点レンズ１５Ｒの焦点距離を変化させる。そして、教示ボタン５３を押す。この際、右側のステッピングモータ３５Ｒに対する原点からのパルス数Ｎ２が、記憶部６３（制御部２５）に記憶される。なお、右側のステッピングモータ３５Ｒに、ロータリエンコーダが設けられている場合には、ロータリエンコーダが検出した原点位置からのパルス数が、記憶部６３（制御部２５）に記憶される。
【００６１】
左側の可変焦点レンズ１５Ｌにおける教示の手順を説明する。図１において、使用者が、右側の可変焦点レンズ１５Ｒを手で覆い、上述した視認対象物ＯＢ１を視認する。次に、使用者が、上述したタッチセンサ５７に指で触れて、あるいは指を離して、左側のステッピングモータ３５Ｌを駆動させ、視認対象物ＯＢ１が最も明瞭に視認できるように、左側の可変焦点レンズ１５Ｌの焦点距離を変化させる。そして、教示ボタン５３を押す。この際、左側のステッピングモータ３５Ｌに対する原点からのパルス数Ｎ３が、記憶部６３（制御部２５）に記憶される。なお、左側のステッピングモータ３５Ｌに、ロータリエンコーダが設けられている場合には、ロータリエンコーダが検出した原点位置からのパルス数が、記憶部６３（制御部２５）に記憶される。
【００６２】
次に、使用者が、右側の可変焦点レンズ１５Ｒを手で覆い、上述した視認対象物ＯＢ２を視認する。次に、使用者が、上述したタッチセンサ５７に指で触れて、あるいは指を離して、左側のステッピングモータ３５Ｌを駆動させ、視認対象物ＯＢ２が最も明瞭に視認できるように、左側の可変焦点レンズ１５Ｌの焦点距離を変化させる。そして、教示ボタン５３を押す。この際、左側のステッピングモータ３５Ｌに対する原点からのパルス数Ｎ４が、記憶部６３（制御部２５）に記憶される。なお、左側のステッピングモータ３５Ｌに、ロータリエンコーダが設けられている場合には、ロータリエンコーダが検出した原点位置からのパルス数が、記憶部６３（制御部２５）に記憶される。
【００６３】
上述したタッチセンサ５１、タッチセンサ５７、教示ボタン５３、記憶部６３（制御部２５）は、教示手段の一例を構成する。なお、ステッピングモータ３５にロータリエンコーダ３９を設けた場合には、タッチセンサ５１、タッチセンサ５７、教示ボタン５３、記憶部６３（制御部２５）、ロータリエンコーダが、本願発明の教示手段の一例を構成する。なお、パルス数Ｎ１、パルス数Ｎ２、パルス数Ｎ３、パルス数Ｎ４に代え、パルス数Ｎ１から換算される回転量Ｒｅｖ１、パルス数Ｎ２から換算される回転量Ｒｅｖ２、パルス数Ｎ３から換算される回転量Ｒｅｖ３、パルス数Ｎ４から換算される回転量Ｒｅｖ４を記憶してもよい。
【００６４】
教示を終えると、制御部２５に記憶されたプログラムにより、タッチセンサの操作とパルス数とが関連づけられる。例えば、タッチセンサに対し、操作Ａを行った場合には、右側のステッピングモータ３５Ｒに対するパルス数をＮ１、左側のステッピングモータ３５Ｌに対するパルス数をＮ３にし、タッチセンサに対し、操作Ｂを行った場合には、右側のステッピングモータ３５Ｒに対するパルス数をＮ２、左側のステッピングモータ３５Ｌに対するパルス数をＮ４にするというように、所定の操作に対し、ステッピングモータ３５Ｒ、３５Ｌに対するパルス数が関連付けられる。つまり、タッチセンサ５１、タッチセンサ５７の操作によって、右側のステッピングモータ３５Ｒに対するパルス数Ｎ１、パルス数Ｎ２、左側のステッピングモータ３５Ｌに対するパルス数Ｎ３、パルス数Ｎ４を指定することができる。タッチセンサ５１、タッチセンサ５７は、パルス数を指定する機能を有している。なお、パルス数Ｎ１、パルス数Ｎ２、パルス数Ｎ３、パルス数Ｎ４に代えて、パルス数Ｎ１から換算される回転量Ｒｅｖ１、パルス数Ｎ２から換算される回転量Ｒｅｖ２、パルス数Ｎ３から換算される回転量Ｒｅｖ３、パルス数Ｎ４から換算される回転量Ｒｅｖ４の各回転量と、スイッチの操作とを関連付けてもよい。
【００６５】
２点教示を行った後、この可変焦点眼鏡１１を、視点切り替えモードで使用する場合には、モード切換ボタン５５を押して、視点切り替えモードにする。モード切換ボタン５５を押して、視点切り替えモードにすると、タッチセンサ５１またはタッチセンサ５７に触るごとに、ステッピングモータ３５のパルス数が、交互に、後述する（１）項、（２）項のパルス数となるように、制御部２５が、右側のステッピングモータ３５Ｒ（駆動部２３Ｒ）、左側のステッピングモータ３５Ｌを、個別に制御する。つまり、第１の実施形態における可変焦点眼鏡１１は、右側の可変焦点レンズ１５Ｒ、左側の可変焦点レンズ１５Ｌ毎に、事前に教示された駆動量を再現することにより、遠近２点の視認対象物ＯＢ１、ＯＢ２に対し、交互に焦点を合わせることができる。その結果、使用者は、タッチセンサ５１またはタッチセンサ５７に触るごとに、遠近２点の視認対象物ＯＢ１、ＯＢ２を、交互に、一定の明瞭さをもって視認することができる。
【００６６】
（１）右側：パルス数Ｎ１、左側：パルス数Ｎ３
（２）右側：パルス数Ｎ２、左側：パルス数Ｎ４
【００６７】
なお、タッチセンサとパルス数との関連付けには、種々の方法がある。例えば、タッチセンサ５１、タッチセンサ５７のうち、どちらか１つのタッチセンサを触るごとに、ステッピングモータ３５Ｒ、３５Ｌのパルス数が、交互に、上述した（１）項、（２）項のパルス数となるように、制御部２５が、右側のステッピングモータ３５Ｒ（駆動部２３Ｒ）、左側のステッピングモータ３５Ｌ（駆動部２３Ｌ）を制御してもよい。
【００６８】
また、タッチセンサ５１を押すと、右側のステッピングモータ３５Ｒのパルス数をパルス数Ｎ１、左側のステッピングモータ３５Ｌのパルス数をパルス数Ｎ３にし、タッチセンサ５７を押すと、右側のステッピングモータ３５Ｒのパルス数をパルス数Ｎ２、左側のステッピングモータ３５Ｌのパルス数をパルス数Ｎ４にするようにしてもよい。なお、パルス数Ｎ１、パルス数Ｎ２、パルス数Ｎ３、パルス数Ｎ４に代えて、パルス数Ｎ１から換算される回転量Ｒｅｖ１、パルス数Ｎ２から換算される回転量Ｒｅｖ２、パルス数Ｎ３から換算される回転量Ｒｅｖ３、パルス数Ｎ４から換算される回転量Ｒｅｖ４の各回転量と、スイッチの操作とを関連付けてもよい。
【００６９】
次に、３点教示について、図１を用いて説明する。教示対象となる視認対象物ＯＢ１、視認対象物ＯＢ２、視認対象物ＯＢ３が、それぞれ、距離Ｌ１、距離Ｌ２、距離Ｌ３にあるものとする。
【００７０】
３点教示は、上述した２点教示と同様の手順に準じて、使用者が教示を行う。右側の可変焦点レンズ１５Ｒでは、視認対象物ＯＢ１が最も明瞭に視認できる際の、右側のステッピングモータ３５Ｒのパルス数Ｎ１（あるいは回転量Ｒｅｖ１）、視認対象物ＯＢ２が最も明瞭に視認できる際の、右側のステッピングモータ３５Ｒのパルス数Ｎ２（あるいは回転量Ｒｅｖ２）、視認対象物ＯＢ３が最も明瞭に視認できる際の、右側のステッピングモータ３５Ｒのパルス数Ｎ３（あるいは回転量Ｒｅｖ３）を、使用者が教示する。これにより、パルス数Ｎ１（あるいは回転量Ｒｅｖ１）、パルス数Ｎ２（あるいは回転量Ｒｅｖ２）、パルス数Ｎ３（あるいは回転量Ｒｅｖ３）が、記憶部６３（制御部２５）に記憶される。
【００７１】
また、左側の可変焦点レンズ１５Ｌでは、視認対象物ＯＢ１が最も明瞭に視認できる際の、左側のステッピングモータ３５Ｌのパルス数Ｎ４（あるいは回転量Ｒｅｖ４）、視認対象物ＯＢ２が最も明瞭に視認できる際の、左側のステッピングモータ３５Ｌのパルス数Ｎ５（あるいは回転量Ｒｅｖ５）、視認対象物ＯＢ３が最も明瞭に視認できる際の、左側のステッピングモータ３５Ｌのパルス数Ｎ６（あるいは回転量Ｒｅｖ６）を、使用者が教示する。これにより、パルス数Ｎ４（あるいは回転量Ｒｅｖ４）、パルス数Ｎ５（あるいは回転量Ｒｅｖ５）、パルス数Ｎ６（あるいは回転量Ｒｅｖ６）が、記憶部６３（制御部２５）に記憶される。なお、ステッピングモータ３５に、ロータリエンコーダが設けられている場合には、ロータリエンコーダが、原点位置からのパルス数を検出する。
【００７２】
３点教示を行った後、この可変焦点眼鏡１１を、視点切り替えモードで使用する場合には、モード切換ボタン５５を押して、視点切り替えモードにする。モード切換ボタン５５を押して、視点切り替えモードにすると、タッチセンサ５１またはタッチセンサ５７に触るごとに、ステッピングモータ３５Ｒ、３５Ｌのパルス数（あるいは回転量）が、順次、後述する（１）、（２）、（３）を繰り返すように、制御部２５が、ステッピングモータ３５を制御する。これにより、タッチセンサ５１またはタッチセンサ５７に触れるだけで、３点の視認対象物ＯＢ１、ＯＢ２、ＯＢ３を、順次、一定の明瞭さをもって視認することができる。
【００７３】
（１）右側：パルス数Ｎ１（回転量Ｒｅｖ１）、左側：パルス数Ｎ４（回転量Ｒｅｖ４）
（２）右側：パルス数Ｎ２（回転量Ｒｅｖ２）、左側：パルス数Ｎ５（回転量Ｒｅｖ５）
（３）右側：パルス数Ｎ３（回転量Ｒｅｖ３）、左側：パルス数Ｎ６（回転量Ｒｅｖ６）
【００７４】
つまり、教示を行うことにより、タッチセンサの操作とパルス数（あるいは回転量）とが関連づけられ、タッチセンサ５１、タッチセンサ５７の操作によって、右側のステッピングモータ３５Ｒのパルス数Ｎ１（回転量Ｒｅｖ１）、パルス数Ｎ２（回転量Ｒｅｖ２）、パルス数Ｎ３（回転量Ｒｅｖ３）、左側のステッピングモータ３５Ｌのパルス数Ｎ４（回転量Ｒｅｖ４）、パルス数Ｎ５（回転量Ｒｅｖ５）、パルス数Ｎ６（回転量Ｒｅｖ６）を指定することができる。
【００７５】
なお、タッチセンサと駆動量との関連付けには、種々の方法がある。例えば、タッチセンサ５１に触るごとに、順次、上述した（１）、（２）、（３）を繰り返すように、制御部２５が、ステッピングモータ３５を制御するようにしてもよい。また、タッチセンサ５７に触るごとに、順次、上述した（１）、（２）、（３）を繰り返すように、制御部２５が、ステッピングモータ３５を制御するようにしてもよい。また、タッチセンサ５１に触るごとに、事前に教示したパルス数のうち、より大きいパルス数となるようにし、タッチセンサ５７に触るごとに、事前に教示したパルス数のうち、より小さいパルス数となるようにしてもよい。
【００７６】
上述した例では、視認対象物が２点、３点である場合について説明したが、４点以上であってもよい。
【００７７】
上記構成によれば、タッチセンサ５１、タッチセンサ５７に対して所定の操作をすると、可変焦点レンズ１５毎（右側の可変焦点レンズ１５Ｒ、左側の可変焦点レンズ１５Ｌ）に設けられた駆動部２３の駆動量が、タッチセンサ５１、タッチセンサ５７の操作によって指定される、可変焦点レンズ１５毎（右側の可変焦点レンズ１５Ｒ、左側の可変焦点レンズ１５Ｌ）に事前に記憶された、所定の距離にある視認対象物を可変焦点眼鏡１１の使用者が明瞭に視認できる際の駆動量となるように、制御部２５が、駆動部２３を個別に制御することができる。この駆動量は、使用者が個別に、視認対象物を明瞭に視認できる際の駆動量であり、使用者により教示されるために、簡単な操作によって、視力の異なる使用者、左右の視力が異なる使用者が、視認対象物を明瞭に視認することができる。したがって、従来例のように、いちいちダイアルを手動で回転させずとも、あるいは片側ずつ、左右の可変焦点レンズの焦点距離を合わせることをせずとも、視力の異なる使用者、左右の視力が異なる使用者自身が、簡単な操作によって、視認対象物を明瞭に視認することができる。その結果、視力の異なる使用者、左右の視力が異なる使用者が、簡単な操作により、異なる距離にある視認対象物を、個別に、一定の明瞭さをもって視認することができる汎用性のある可変焦点眼鏡を提供することができる。
【００７８】
なお、タッチセンサ５１またはタッチセンサ５７を触らなければ、（スイッチ操作をしなければ、）駆動量（パルス数、回転量など）も変わらないので、使用者が一定の明瞭さをもって、特定の視認対象物を視認している際に、他の外乱要素（例えば他の視認対象物が横切る）があっても、駆動量（パルス数、回転量など）が切り替わることがない。このため、視認対象物を安定的に視認することができ、しかも異なった距離にある複数の視認対象物を個別に視認することができる。
【００７９】
また、この可変焦点眼鏡１１は、スイッチとして、タッチセンサを用いている。このため、指で触れるだけで、視認対象物を視認できることができ、操作性のよい可変焦点眼鏡を提供することができる。
【００８０】
なお、レンズの中に液晶などの誘電体材料を封入し、これに電圧を欠けて誘電率を変化させることで屈折率を制御する液晶式可変焦点眼鏡（あるいは液晶式電子眼鏡）と比較しても、一般的には、レンズにおける光の透過率が低くならない。したがって、明度が下がり、使用者の瞳孔径が大きくなって、焦点深度が浅くなり、焦点を合わせ難いということ、使用者に負担をかけてしまうということがない。また、口径を大きく構成できるので、視野が限定されるということもない。
【００８１】
（第１の実施形態における制御部２５の詳細な説明）
第１の実施形態における制御部２５について、図６を用いて、より詳細に説明する。図６に示すように、制御部２５は、ＣＰＵ６１、記憶部６３、所定のインターフェース６５を備えている。ＣＰＵ６１は、記憶部６３に記憶された制御プログラムを読み込んで、各種の処理を行う機能を有する。
【００８２】
記憶部６３は、ＲＡＭ６７、ＲＯＭ６９を備えている。ＲＡＭ６７は、制御プログラム、実行プログラムの一時記憶領域として、種々のフラグ、変数の値などを記憶する機能を有する。また、ＲＯＭ６９には、ステッピングモータ３５を制御する制御プログラム、後述するスイッチの操作により入力される信号を判定して各種制御を実行する実行プログラム、初期データなどが記憶されている。
【００８３】
上述した記憶部６３は、視認対象物を使用者が個別に視認し、視認した視認対象物を、明瞭に視認できる際の、駆動部２３の駆動量（ステッピングモータ３５のパルス数など）を、記憶する機能を有している。上述した駆動量は、使用者が、上述した教示手段によって、教示する。使用者が教示を行うことによって、駆動量が記憶部６３（制御部２５、広くは、可変焦点眼鏡１１）に記憶される。
【００８４】
なお、上述した記憶部６３とは別に、駆動部２３の駆動量を記憶する部分（例えば、図６に示す記憶部７１）を設けてもよい。
【００８５】
（第２の実施形態）
第２の実施形態は、可変焦点眼鏡のうち、電圧印加式可変焦点眼鏡に関するものである。図７は、可変焦点眼鏡１１の平面図、図８は、可変焦点眼鏡の正面図、図９は、図７のＡ方向から見た側面図、図１０は、図７のＢ方向から見た側面図、図１１は、可変焦点眼鏡１１のブロック図である。図７に示すように、可変焦点眼鏡１１は、眼鏡フレーム１３の前面部分を構成し、左右一対の可変焦点レンズ１５を保持するフロント１７、フロント１７に連なるテンプル１９を備えている。第２の実施形態では、一般的な折り曲げ可能な眼鏡と同様に、テンプル１９と、フロント１７とを、ネジを用いて連結して、折り曲げ可能な構造としたが、テンプル１９と、フロント１７とを一体に形成してもよい。
【００８６】
なお、以下の説明では、必要に応じて、左右一対の可変焦点レンズ１５、テンプル１９を、次のように使い分けて説明する。すなわち、左右一対の可変焦点レンズ１５のうち、使用者が可変焦点眼鏡１１をかけた状態で、右側の可変焦点レンズを可変焦点レンズ１５Ｒと称し、左側の可変焦点レンズを可変焦点レンズ１５Ｌと称するものとする。また、使用者が可変焦点眼鏡１１をかけた状態で、右側のテンプルをテンプル１９Ｒと称し、左側のテンプルをテンプル１９Ｌと称するものとする。また、右側のテンプル１９Ｒに設けられた駆動部２３を、駆動部２３Ｒと称し、左側のテンプル１９Ｌに設けられた駆動部２３を、駆動部２３Ｌと称するものとする。
【００８７】
上述した可変焦点レンズ１５は、例えば、再公表特許ＷＯ２００９／０８１５４２のような構成であり、可変焦点レンズ１５に設けられた液晶素子に電圧が印加されると、その電圧に応じて液晶分子の方向が変化することを利用して屈折率を変化させ、焦点距離を変更する、周知の可変焦点レンズである。
【００８８】
右側のテンプル１９Ｒには、右側の可変焦点レンズ１５Ｒの液晶素子に所定の印加電圧を印加する駆動部２３Ｒと、制御部２５に電力を供給する電源供給部２７とが設けられている。また、左側のテンプル１９Ｌには、左側の可変焦点レンズ１５Ｌの液晶素子に所定の印加電圧を印加する駆動部２３Ｌと、駆動部２３Ｒ、２３Ｌを制御する制御部２５とが設けられている。電源供給部２７から供給される電力は、配線２９を経由して、制御部２５、駆動部２３に送電される。上述した配線２９は、エッチング、銅箔の貼り付け等により、フィルム上に形成された配線パターンであってもよい。配線パターンをフィルム上に形成することで、眼鏡フレーム１３を小型化することができる。
【００８９】
次に、駆動部２３について説明する。駆動部２３は、図１１に示すように、駆動制御回路７３、ドライバ７５、７７、可変抵抗回路７９を備えており、可変焦点レンズ１５の液晶素子に所定の印加電圧を印加する電圧印加手段、可変焦点レンズ１５の液晶素子を駆動する駆動手段として機能する。駆動制御回路７３は、可変焦点レンズ１５の液晶素子を駆動するための駆動信号を生成する。ドライバ７５、７７は、駆動制御回路７３で生成された駆動信号を制御して、可変焦点レンズ１５の液晶素子に所定の印加電圧を印加する。可変焦点レンズ１５の液晶素子に印加される印加電圧（印加電圧量）は、本願発明の駆動量の一例を構成する。
【００９０】
ドライバ７５、７７の下流側には、印加電圧を可変する可変抵抗回路７９が設けられており、可変焦点レンズ１５の液晶素子に印加する印加電圧を段階的あるいは連続的に変化させることができる。可変抵抗回路７９を制御して、液晶素子に印加する印加電圧を徐々に高くすると、液晶分子の楕円長軸が徐々に可変焦点レンズの光軸と平行になるように配向して、焦点距離が段階的あるいは連続的に長くなる（屈折率が低くなる）。また、可変抵抗回路７９を制御し、液晶素子に印加する印加電圧を徐々に低くすると、液晶分子の楕円長軸が徐々に元の状態に戻り、焦点距離が段階的あるいは連続的に短くなる（屈折率が高くなる）。
【００９１】
次に、制御部２５について、説明する。制御部２５は、図１１に示すように、ＣＰＵ６１、記憶部６３、所定のインターフェース６５を備えている。ＣＰＵ６１は、記憶部６３に記憶された制御プログラムを読み込んで、各種の処理を行う機能を有する。
【００９２】
記憶部６３は、ＲＡＭ６７、ＲＯＭ６９を備えている。ＲＡＭ６７は、制御プログラム、実行プログラムの一時記憶領域として、種々のフラグ、変数の値などを記憶する機能を有する。また、ＲＯＭ６９には、可変焦点レンズ１５の液晶素子に印加する印加電圧を算出し、駆動部２３を制御する制御プログラム、後述するスイッチの操作により入力される信号を判定して各種制御を実行する実行プログラム、初期データなどが記憶されている。
【００９３】
また、上述した記憶部６３は、視認対象物を使用者が個別に視認し、視認した視認対象物を、明瞭に視認できる際の、駆動部２３の印加電圧を記憶する機能を有している。上述した印加電圧は、使用者が、後述する教示手段によって、教示する。使用者が教示を行うことによって、印加電圧が記憶部６３（制御部２５、広くは、可変焦点眼鏡１１）に記憶される。
【００９４】
なお、上述した記憶部６３とは別に、駆動部２３の印加電圧を記憶する部分（例えば、図６の記憶部７１）を設けてもよい。
【００９５】
次に、操作部４７について説明する。右側のテンプル１９、左側のテンプル１９Ｌには、操作部４７が設けられている。操作部４７のうち、右側のテンプル１９には、図１１に示すように、電源をオン、オフする電源スイッチ４９、タッチセンサ５１、教示ボタン５３が設けられている。また、操作部４７のうち、左側のテンプル１９Ｌには、図１１に示すように、モード切換ボタン５５、タッチセンサ５７、登録ボタン５９が設けられている。
【００９６】
タッチセンサ５１、タッチセンサ５７に触れると、制御部２５に所定の検出信号が入力される。タッチセンサ５１、タッチセンサ５７は、本願発明のスイッチの一例を構成する。スイッチは、上述したタッチセンサの他に、押ボタンスイッチ、近接スイッチなど、他のスイッチであってもよい。
【００９７】
モード切換ボタン５５は、モードの切り替えを行う。上述したモード切換ボタン５５を押すと、視点切り替えモード、一定モード、任意モード、教示モードを切り換えることができる。
【００９８】
視点切り替えモードとは、異なる距離にある複数の視認対象物に対し、個別に焦点距離を切り替えるモードであり、使用者が一定の明瞭さをもって視認対象物を視認できるように、右側の可変焦点レンズ１５Ｒの液晶素子、左側の可変焦点レンズ１５Ｌの液晶素子に印加する印加電圧を制御して、右側の可変焦点レンズ１５Ｒ、左側の可変焦点レンズ１５Ｌの焦点距離を変化させるモードである。一定モードとは、自動車を運転するときのように、焦点距離が変化しては不都合を生じる場合に、焦点距離を一定にするモードである。任意モードとは、任意の位置にある視認対象物に対して、都度、使用者が一定の明瞭さをもって視認対象物を視認できるように、手動制御によって、焦点距離を変化させるモードである。
【００９９】
ところで、使用者の視力は、個々に異なるため、使用者に応じて、所定の距離にある視認対象物が明瞭に見えるように（一定の明瞭さを持って視認できるように）しなければならない。視認対象物が明瞭に見えるように焦点距離を合わせるために、使用者が事前に教示を行う。教示を行うには、モード切換ボタン５５を押して、教示モードにする。
【０１００】
教示モード時に、使用者が指でタッチセンサ５１に触れると、制御部２５に所定の検出信号が入力される。そして、使用者がタッチセンサ５１から指を離すと、上述した検出信号の入力が停止される。制御部２５は、検出信号が入力されるごとに、右側の可変焦点レンズ１５Ｒの液晶素子に印加する印加電圧について、増加、減少を交互に繰り返すように、右側の駆動部２３Ｒを制御する。タッチセンサ５１を触れている間は、印加電圧の増加、減少が維持され、指を離すと、停止する。
【０１０１】
同様に、教示モード時に、使用者が指でタッチセンサ５７に触れると、制御部２５に所定の検出信号が入力される。そして、使用者がタッチセンサ５７から指を離すと、上述した検出信号の入力が停止される。制御部２５は、検出信号が入力されるごとに、左側の可変焦点レンズ１５Ｌの液晶素子に印加する印加電圧について、を増加、減少を交互に繰り返すように、左側の駆動部２３Ｌを制御する。タッチセンサ５７を触れている間は、印加電圧の増加、減少が維持され、指を離すと、停止する。
【０１０２】
教示には、遠近２点を教示する２点教示、３点を教示する３点教示、多点を教示する多点教示などがある。
【０１０３】
２点教示について、説明する。最初に、右側の可変焦点レンズ１５Ｒにおける教示の手順を説明する。図７において、使用者が、左側の可変焦点レンズ１５Ｌを手で覆い、第１の距離（例えば、眼鏡フレーム１３から視認対象物ＯＢ１までの距離Ｌ１＝３０ｃｍ）にある視認対象物ＯＢ１を視認する。次に、使用者が、上述したタッチセンサ５１に指で触れて、あるいは指を離して、右側の駆動部２３Ｒを駆動させ、視認対象物ＯＢ１が最も明瞭に視認できるように、右側の可変焦点レンズ１５Ｒの焦点距離を変化させる。そして、教示ボタン５３を押す。この際、右側の可変焦点レンズ１５Ｒの液晶素子に印加した印加電圧Ｖ１が、記憶部６３（制御部２５）に記憶される。
【０１０４】
次に、使用者が、左側の可変焦点レンズ１５Ｌを手で覆い、第２の距離（例えば、眼鏡フレーム１３から視認対象物ＯＢ２までの距離Ｌ２＝１００ｃｍ）にある視認対象物ＯＢ２を視認する。次に、使用者が、上述したタッチセンサ５１に指で触れて、あるいは指を離して、右側の駆動部２３Ｒを駆動させ、視認対象物ＯＢ２が最も明瞭に視認できるように、右側の可変焦点レンズ１５Ｒの焦点距離を変化させる。そして、教示ボタン５３を押す。この際、右側の可変焦点レンズ１５Ｒの液晶素子に印加した印加電圧Ｖ２が、記憶部６３（制御部２５）に記憶される。
【０１０５】
左側の可変焦点レンズ１５Ｌにおける教示の手順を説明する。図７において、使用者が、右側の可変焦点レンズ１５Ｒを手で覆い、上述した視認対象物ＯＢ１を視認する。次に、使用者が、上述したタッチセンサ５７に指で触れて、あるいは指を離して、左側の駆動部２３Ｌを駆動させ、視認対象物ＯＢ１が最も明瞭に視認できるように、左側の可変焦点レンズ１５Ｌの焦点距離を変化させる。そして、教示ボタン５３を押す。この際、左側の可変焦点レンズ１５Ｌの液晶素子に印加した印加電圧Ｖ３が、記憶部６３（制御部２５）に記憶される。
【０１０６】
次に、使用者が、右側の可変焦点レンズ１５Ｒを手で覆い、上述した視認対象物ＯＢ２を視認する。次に、使用者が、上述したタッチセンサ５７に指で触れて、あるいは指を離して、左側の駆動部２３Ｌを駆動させ、視認対象物ＯＢ２が最も明瞭に視認できるように、左側の可変焦点レンズ１５Ｌの焦点距離を変化させる。そして、教示ボタン５３を押す。この際、左側の可変焦点レンズ１５Ｌの液晶素子に印加した印加電圧Ｖ４が、記憶部６３（制御部２５）に記憶される。
【０１０７】
上述したタッチセンサ５１、タッチセンサ５７、教示ボタン５３、記憶部６３（制御部２５）は、教示手段の一例を構成する。
【０１０８】
教示を終えると、制御部２５に記憶されたプログラムにより、タッチセンサの操作とパルス数とが関連づけられる。例えば、タッチセンサに対し、操作Ａを行った場合には、右側の可変焦点レンズ１５Ｒの液晶素子に対する印加電圧をＶ１、左側の可変焦点レンズ１５Ｌの液晶素子に対する印加電圧をＶ３にし、タッチセンサに対し、操作Ｂを行った場合には、右側の可変焦点レンズ１５Ｒの液晶素子に対する印加電圧をＶ２、左側の可変焦点レンズ１５Ｌの液晶素子に対する印加電圧をＶ４にするというように、所定の操作に対し、各液晶素子に対する印加電圧が関連付けられる。つまり、タッチセンサ５１、タッチセンサ５７の操作によって、右側の可変焦点レンズ１５Ｒの液晶素子に対する印加電圧Ｖ１、印加電圧Ｖ２、左側の可変焦点レンズ１５Ｌの液晶素子に対する印加電圧Ｖ３、印加電圧Ｖ４を指定することができる。タッチセンサ５１、タッチセンサ５７は、印加電圧を指定する機能を有している。
【０１０９】
２点教示を行った後、この可変焦点眼鏡１１を、視点切り替えモードで使用する場合には、モード切換ボタン５５を押して、視点切り替えモードにする。モード切換ボタン５５を押して、視点切り替えモードにすると、タッチセンサ５１またはタッチセンサ５７に触るごとに、右側の可変焦点レンズ１５Ｒの液晶素子、左側の可変焦点レンズ１５Ｌの液晶素子に対する印加電圧が、交互に、後述する（１）項、（２）項の印加電圧となるように、制御部２５が、右側の駆動部２３Ｒ、左側の駆動部２３Ｌを制御する。つまり、第２の実施形態の可変焦点眼鏡１１は、右側の可変焦点レンズ１５Ｒ、左側の可変焦点レンズ１５Ｌ毎に、事前に教示された印加電圧を再現することにより、遠近２点の視認対象物ＯＢ１、ＯＢ２に対し、交互に焦点を合わせることができる。その結果、使用者は、タッチセンサ５１またはタッチセンサ５７に触るごとに、遠近２点の視認対象物ＯＢ１、ＯＢ２を、交互に、一定の明瞭さをもって視認することができる。
【０１１０】
（１）右側：印加電圧Ｖ１、左側：印加電圧Ｖ３
（２）右側：印加電圧Ｖ２、左側：印加電圧Ｖ４
【０１１１】
なお、タッチセンサと印加電圧との関連付けには、種々の方法がある。例えば、タッチセンサ５１、タッチセンサ５７のうち、どちらか１つのタッチセンサを触るごとに、右側の可変焦点レンズ１５Ｒの液晶素子、左側の可変焦点レンズ１５Ｌの液晶素子に対する印加電圧が、交互に、上述した（１）項、（２）項の印加電圧となるように、制御部２５が、駆動部２３Ｒ、２３Ｌを制御してもよい。
【０１１２】
また、タッチセンサ５１を押すと、右側の可変焦点レンズ１５Ｒの液晶素子に対する印加電圧を印加電圧Ｖ１、左側の可変焦点レンズ１５Ｌの液晶素子に対する印加電圧を印加電圧Ｖ３にし、タッチセンサ５７を押すと、右側の可変焦点レンズ１５Ｒの液晶素子に対する印加電圧を印加電圧Ｖ２、左側の可変焦点レンズ１５Ｌの液晶素子に対する印加電圧を印加電圧Ｖ４にするようにしてもよい。
【０１１３】
次に、３点教示について、図７を用いて説明する。教示対象となる視認対象物ＯＢ１、視認対象物ＯＢ２、視認対象物ＯＢ３が、それぞれ、距離Ｌ１、距離Ｌ２、距離Ｌ３にあるものとする。
【０１１４】
３点教示は、上述した２点教示と同様の手順に準じて、使用者が教示を行う。右側の可変焦点レンズ１５Ｒでは、視認対象物ＯＢ１が最も明瞭に視認できる際の、右側の可変焦点レンズ１５Ｒの液晶素子に対する印加電圧Ｖ１、視認対象物ＯＢ２が最も明瞭に視認できる際の、右側の可変焦点レンズ１５Ｒの液晶素子に対する印加電圧Ｖ２、視認対象物ＯＢ３が最も明瞭に視認できる際の、右側の可変焦点レンズ１５Ｒの液晶素子に対する印加電圧Ｖ３を、使用者が教示する。これにより、印加電圧Ｖ１、印加電圧Ｖ２、印加電圧Ｖ３が、記憶部６３（制御部２５）に記憶される。
【０１１５】
また、左側の可変焦点レンズ１５Ｌでは、視認対象物ＯＢ１が最も明瞭に視認できる際の、左側の可変焦点レンズ１５Ｌの液晶素子に対する印加電圧Ｖ４、視認対象物ＯＢ２が最も明瞭に視認できる際の、左側の可変焦点レンズ１５Ｌの液晶素子に対する印加電圧Ｖ５、視認対象物ＯＢ３が最も明瞭に視認できる際の、左側の可変焦点レンズ１５Ｌの液晶素子に対する印加電圧Ｖ６を、使用者が教示すると、印加電圧Ｖ４、印加電圧Ｖ５、印加電圧Ｖ６が、記憶部６３（制御部２５）に記憶される。
【０１１６】
３点教示を行った後、この可変焦点眼鏡１１を、視点切り替えモードで使用する場合には、モード切換ボタン５５を押して、視点切り替えモードにする。モード切換ボタン５５を押して、視点切り替えモードにすると、タッチセンサ５１またはタッチセンサ５７に触るごとに、右側の可変焦点レンズ１５Ｒの液晶素子、左側の可変焦点レンズ１５Ｌの液晶素子に対する印加電圧が、順次、（１）、（２）、（３）を繰り返すように、制御部２５が、駆動部２３を制御する。これにより、タッチセンサ５１またはタッチセンサ５７に触れるだけで、３点の視認対象物ＯＢ１、ＯＢ２、ＯＢ３を、順次、一定の明瞭さをもって視認することができる。
【０１１７】
（１）右側：印加電圧Ｖ１、左側：印加電圧Ｖ４
（２）右側：印加電圧Ｖ２、左側：印加電圧Ｖ５
（３）右側：印加電圧Ｖ３、左側：印加電圧Ｖ６
【０１１８】
つまり、教示を行うことにより、タッチセンサの操作と印加電圧とが関連づけられ、タッチセンサ５１、タッチセンサ５７の操作によって、右側の可変焦点レンズ１５Ｒの液晶素子に対する印加電圧Ｖ１、印加電圧Ｖ２、印加電圧Ｖ３、左側の可変焦点レンズ１５Ｌの液晶素子に対する印加電圧Ｖ４、印加電圧Ｖ５、印加電圧Ｖ６を指定することができる。
【０１１９】
なお、タッチセンサと印加電圧との関連付けには、種々の方法がある。例えば、タッチセンサ５１に触るごとに、順次、上述した（１）、（２）、（３）を繰り返すように、制御部２５が、駆動部２３を制御するようにしてもよい。また、タッチセンサ５７に触るごとに、順次、上述した（１）、（２）、（３）を繰り返すように、制御部２５が、駆動部２３を制御するようにしてもよい。また、タッチセンサ５１に触るごとに、事前に教示した印加電圧のうち、より大きい印加電圧となるようにし、タッチセンサ５７に触るごとに、事前に教示した印加電圧のうち、より小さい印加電圧となるようにしてもよい。
【０１２０】
上述した例では、視認対象物が２点、３点である場合について説明したが、４点以上であってもよい。
【０１２１】
上記構成によれば、タッチセンサ５１、タッチセンサ５７に対して所定の操作をすると、右側の可変焦点レンズ１５Ｒの液晶素子に対する印加電圧、左側の可変焦点レンズ１５Ｌの液晶素子に対する印加電圧が、タッチセンサ５１、タッチセンサ５７の操作によって指定される、可変焦点レンズ１５毎（右側の可変焦点レンズ１５Ｒ、左側の可変焦点レンズ１５Ｌ）に事前に記憶された、所定の距離にある視認対象物を可変焦点眼鏡の使用者が明瞭に視認できる際の印加電圧（駆動量）となるように、制御部２５が、駆動部２３Ｒ、２３Ｌを個別に制御することができる。この駆動量は、使用者が個別に、視認対象物を明瞭に視認できる際の印加電圧（駆動量）であるために、簡単な操作によって、視力の異なる使用者、左右の視力が異なる使用者が、視認対象物を明瞭に視認することができる。したがって、従来例のように、いちいちダイアルを手動で回転させずとも、あるいは片側ずつ、左右の可変焦点レンズの焦点距離を合わせることをせずとも、視力の異なる使用者、左右の視力が異なる使用者自身が、簡単な操作によって、視認対象物を明瞭に視認することができる。その結果、視力の異なる使用者、左右の視力が異なる使用者が、簡単な操作により、異なる距離にある視認対象物を、個別に、一定の明瞭さをもって視認することができる汎用性のある可変焦点眼鏡を提供することができる。
【０１２２】
また、タッチセンサ５１またはタッチセンサ５７を触らなければ、（スイッチ操作をしなければ、）印加電圧（駆動量）も変わらないので、使用者が一定の明瞭さをもって、特定の視認対象物を視認している際に、他の外乱要素（例えば他の視認対象物が横切る）があっても、印加電圧（駆動量）が切り替わることがない。このため、視認対象物を安定的に視認することができ、しかも異なった距離にある複数の視認対象物を個別に視認することができる。
【０１２３】
また、この可変焦点眼鏡１１は、スイッチとして、タッチセンサを用いている。このため、指で触れるだけで、視認対象物を視認できることができ、操作性のよい可変焦点眼鏡を提供することができる。
【０１２４】
（第３の実施形態）
第３の実施形態は、第１の実施形態で説明した液体式可変焦点眼鏡において、任意の距離にある視認対象物に、右側の可変焦点レンズ１５Ｒ、左側の可変焦点レンズ１５Ｌ毎に、片側ずつ、焦点距離を合わせる実施例である。以下、焦点距離を合わせる手順について、説明する。任意の距離にある視認対象物に焦点距離を合わせるには、モード切換ボタン５５を押して、任意モードにする。
【０１２５】
任意モード時に、使用者が指でタッチセンサ５１に触れると、制御部２５に、所定の検出信号が入力される。そして、使用者がタッチセンサ５１から指を離すと、検出信号の入力が停止される。その際、制御部２５に検出信号が入力される毎に、右側のステッピングモータ３５Ｒの軸３５ａが正転、逆転を交互に繰り返すように、制御部２５が、右側のステッピングモータ３５Ｒを制御する。タッチセンサ５１に触れている間は、軸３５ａの正転または逆転が維持され、指を離すと、停止する。
【０１２６】
同様に、任意モード時に、使用者が指でタッチセンサ５７に触れると、制御部２５に、所定の検出信号が入力される。そして、使用者がタッチセンサ５７から指を離すと、検出信号の入力が停止される。その際、検出信号が入力される毎に、左側のステッピングモータ３５Ｌの軸３５ａが正転、逆転を交互に繰り返すように、制御部２５が、左側のステッピングモータ３５Ｌを制御する。タッチセンサ５７に触れている間は、軸３５ａの正転または逆転が維持され、指を離すと、停止する。
【０１２７】
上述した操作により、使用者が、上述したタッチセンサ５１、５７に指で触れて、あるいは指を離して、右側の駆動部２３Ｒ、左側の駆動部２３Ｌを駆動させて、任意の距離にある視認対象物が最も明瞭に視認できるようにすることができる。
【０１２８】
これによれば、使用者が一定の明瞭さを持って、任意の視認対象物を視認できるように、可変焦点レンズ１５の焦点距離を変えることができる。この可変焦点眼鏡１１は、タッチセンサにより、焦点距離を変えることができるために、従来例のように、いちいちダイアルを手動で回転させずともよい。その結果、焦点調整の煩わしさを解消することができる可変焦点眼鏡を提供することができる。
【０１２９】
（第４の実施形態）
第４の実施形態は、第２の実施形態で説明した電圧印加式可変焦点眼鏡において、任意の距離にある視認対象物に、右側の可変焦点レンズ１５Ｒ、左側の可変焦点レンズ１５Ｌ毎に、片側ずつ、焦点距離を合わせる実施例である。以下、焦点距離を合わせる手順について、説明する。任意の距離にある視認対象物に焦点距離を合わせるには、モード切換ボタン５５を押して、任意モードにする。
【０１３０】
任意モード時に、使用者が指でタッチセンサ５１に触れると、制御部２５に、所定の検出信号が入力される。そして、使用者がタッチセンサ５１から指を離すと、検出信号の入力が停止される。その際、検出信号が入力される毎に、右側の可変焦点レンズ１５Ｒの液晶素子に印加する印加電圧が、交互に、増加、減少を繰り返すように、制御部２５が、右側の駆動部２３Ｒを制御する。タッチセンサ５１に触れている間は、印加電圧の増加、減少が維持され、指を離すと、停止する。
【０１３１】
同様に、任意モード時に、使用者が指でタッチセンサ５７に触れると、制御部２５に、所定の検出信号が入力される。そして、使用者がタッチセンサ５７から指を離すと、検出信号の入力が停止される。その際、検出信号が入力される毎に、左側の可変焦点レンズ１５Ｌの液晶素子に印加する印加電圧が、交互に、増加、減少を繰り返すように、制御部２５が、左側の駆動部２３Ｌを制御する。タッチセンサ５７に触れている間は、印加電圧の増加、減少が維持され、指を離すと、停止する。
【０１３２】
上述した操作により、使用者が、上述したタッチセンサ５１、５７に指で触れて、あるいは指を離して、右側の駆動部２３Ｒ、左側の駆動部２３Ｌを駆動させて、任意の距離にある視認対象物が最も明瞭に視認できるようにすることができる。
【０１３３】
これによれば、任意モードで使用する場合、使用者が一定の明瞭さを持って、任意の視認対象物を視認できるように、可変焦点レンズ１５の焦点距離を変えることができる。この可変焦点眼鏡１１は、タッチセンサにより、焦点距離を変えることができるために、従来例のように、いちいちダイアルを手動で回転させずともよい。その結果、焦点調整の煩わしさを解消することができる可変焦点眼鏡を提供することができる。
【０１３４】
（第５の実施形態）
第３の実施形態では、任意の距離にある視認対象物に対し、右側の可変焦点レンズ１５Ｒ、左側の可変焦点レンズ１５Ｌ毎に、片側ずつ、焦点距離を合わせたが、第５の実施形態では、任意の距離にある視認対象物に対し、右側の可変焦点レンズ１５Ｒ、左側の可変焦点レンズ１５Ｌの焦点距離を、同時に合わせるようにした。焦点距離を同時に合わせるには、事前に、教示を行う。教示は、２点教示、３点教示、多点教示のいずれであってもよいが、ここでは、第１の実施形態で説明した２点教示を行うものとする。教示する２点として、第１の距離（眼鏡フレーム１３から視認対象物ＯＢ１までの距離Ｌ１＝３０ｃｍ）にある視認対象物ＯＢ１、第２の距離（可変焦点眼鏡１１から視認対象物ＯＢ２までの距離Ｌ２＝１００ｃｍ）にある視認対象物ＯＢ２を想定する。また、任意の視認対象物ＯＢ３は、一例として、上述した視認対象物ＯＢ１と、視認対象物ＯＢ２の中間点（眼鏡フレーム１３から任意の視認対象物までの距離Ｌ３＝６５ｃｍ）にあるものと仮定して説明する。（図１参照）
【０１３５】
教示を行うと、第１の距離にある視認対象物ＯＢ１が明確に見える際の、右側のステッピングモータ３５Ｒのパルス数Ｎ１、左側のステッピングモータ３５Ｌのパルス数Ｎ３と、第２の距離にある視認対象物ＯＢ２が明確に見える際の、右側のステッピングモータ３５Ｒのパルス数Ｎ２、左側のステッピングモータ３５Ｌのパルス数Ｎ４とが、記憶部６３に記憶される。２点教示を行った後、モード切換ボタン５５を押して、任意モードにする。
【０１３６】
任意モードにおいて、任意の視認対象物に焦点距離を合わせるには、使用者がタッチセンサ５１、タッチセンサ５７を操作して、焦点距離を合わせる操作を行う。タッチセンサ５１を押すと、焦点距離が次第に長くなるように、また、タッチセンサ５７を押すと、焦点距離が次第に短くなるように、制御部２５が右側のステッピングモータ３５Ｒの駆動量、左側のステッピングモータ３５Ｌの駆動量を制御する。
【０１３７】
ところで、任意の視認対象物ＯＢ３を明確に見られる際の、右側のステッピングモータ３５Ｒのパルス数ＮＲ、左側のステッピングモータ３５Ｌのパルス数ＮＬを得るには、一定の計算式を用いる。この計算式は、可変焦点レンズのレンズ形状、駆動部の制御方法などによって異なるので、個々の可変焦点眼鏡に最も適した計算式が用いられる。
【０１３８】
第５の実施形態では、ステッピングモータの駆動量と、視認対象物までの距離とからなる計算式を用いるものとし、一例として、（式１）、（式２）を適用する。（式１）は、（ｘ１，ｙ１）＝（距離Ｌ１，パルス数Ｎ１）、（ｘ２，ｙ２）＝（距離Ｌ２，パルス数Ｎ２）を通過する計算式である。（式２）は、（ｘ１，ｙ１）＝（距離Ｌ１，パルス数Ｎ３）、（ｘ２，ｙ２）＝（距離Ｌ２，パルス数Ｎ４）を通過する計算式である。（式１）、（式２）の計算式を、図１２に示す。
【０１３９】
（式１）  NＲ＝ａ１×（Ｌｎ−Ｌ１）＋Ｎ１
（式２）  NＬ＝ａ２×（Ｌｎ−Ｌ１）＋Ｎ３
【０１４０】
（式１）におけるａ１は、右側のステッピングモータ３５Ｒに対する単位距離当たりのパルス数増分である。（式２）におけるａ２は、左側のステッピングモータ３５Ｌに対する単位距離当たりのパルス数増分である。（式１）におけるａ１、（式２）におけるａ２は、（式３）、（式４）により算出される。
【０１４１】
（式３）  ａ１＝（Ｎ２−Ｎ１）／（Ｌ２−Ｌ１）
（式４）  ａ２＝（Ｎ４−Ｎ３）／（Ｌ２−Ｌ１）
【０１４２】
上述した（式１）、（式２）に、（式３）、（式４）を、それぞれ、代入すると、（式５）、（式６）を得ることができる。
【０１４３】
（式５）  NＲ＝（Ｎ２−Ｎ１）×（Ｌｎ−Ｌ１）／（Ｌ２−Ｌ１）＋Ｎ１
（式６）  NＬ＝（Ｎ４−Ｎ３）×（Ｌｎ−Ｌ１）／（Ｌ２−Ｌ１）＋Ｎ３
ただし、
NＲ：任意の視認対象物ＯＢ３を、一定の明瞭さをもって視認できる際の、右側のステッピングモータ３５Ｒのパルス数（パルス）
NＬ：任意の視認対象物ＯＢ３を、一定の明瞭さをもって視認できる際の、左側のステッピングモータ３５Ｌのパルス数（パルス）
Ｎ１：第１の距離にある視認対象物ＯＢ１を、一定の明瞭さをもって視認できる際の、右側のステッピングモータ３５Ｒのパルス数（パルス）
Ｎ２：第２の距離にある視認対象物ＯＢ２を、一定の明瞭さをもって視認できる際の、右側のステッピングモータ３５Ｒのパルス数（パルス）
Ｎ３：第１の距離にある視認対象物ＯＢ１を、一定の明瞭さをもって視認できる際の、左側のステッピングモータ３５Ｌのパルス数（パルス）
Ｎ４：第２の距離にある視認対象物ＯＢ２を、一定の明瞭さをもって視認できる際の、左側のステッピングモータ３５Ｌのパルス数（パルス）
Ｌｎ：任意の視認対象物ＯＢ３までの距離（ｃｍ）
Ｌ１：第１の距離にある視認対象物ＯＢ１までの距離（ｃｍ）
Ｌ２：第２の距離にある視認対象物ＯＢ２までの距離（ｃｍ）
【０１４４】
作動について、説明する。任意の視認対象物ＯＢ３よりも、手前側（視認対象物ＯＢ１側）に焦点距離が合っている状態で、使用者がタッチセンサ５１を操作すると、焦点距離が次第に長くなる。この際、制御部２５が、上記計算式に基づき、焦点距離に応じたパルス数ＮＲ、ＮＬとなるように、右側のステッピングモータ３５Ｒ、左側のステッピングモータ３５Ｌを、同時に制御する。そして、任意の距離にある視認対象物ＯＢ３に、焦点距離が合うと、使用者は、任意の視認対象物ＯＢ３を、一定の明瞭さをもって、視認することができる。
【０１４５】
因みに、距離Ｌ１＝３０ｃｍ、Ｌ２＝１００ｃｍ、Ｌｎ＝６５ｃｍ、Ｎ１＝６００パルス、Ｎ２＝２０００パルスとすると、右側のステッピングモータ３５Ｒのパルス数ＮＲは、１３００パルスとなる。
【０１４６】
また、距離Ｌ１＝３０ｃｍ、Ｌ２＝１００ｃｍ、Ｌｎ＝６５ｃｍ、Ｎ３＝７００パルス、Ｎ４＝２４００パルスとすると、左側のステッピングモータ３５Ｌのパルス数ＮＬは、１５５０パルスとなる。
【０１４７】
なお、任意の視認対象物ＯＢ３よりも、奥側（視認対象物ＯＢ２側）に焦点距離が合っている状態で、タッチセンサ５７を押して、焦点距離が、次第に短くなるようにしても、任意の視認対象物ＯＢ３に焦点距離が合うようにできる。詳細な説明は、省略する。
【０１４８】
上述した例では、計算式において、パルス数Ｎ１、パルス数Ｎ２、パルス数Ｎ３、パルス数Ｎ４を用いたが、これに代えて、パルス数Ｎ１から換算される回転量Ｒｅｖ１、パルス数Ｎ２から換算される回転量Ｒｅｖ２、パルス数Ｎ３から換算される回転量Ｒｅｖ３、パルス数Ｎ４から換算される回転量Ｒｅｖ４の各回転量を用いてもよい。
【０１４９】
これによれば、使用者が、任意の視認対象物に対し、右側の可変焦点レンズ１５Ｒの焦点距離、左側の可変焦点レンズ１５Ｌの焦点距離を、同時に合わせることができるため、任意の視認対象物に対し、右側の可変焦点レンズ１５Ｒ、左側の可変焦点レンズ１５Ｌの焦点距離を、片側ずつ合わせる必要がない。その結果、焦点調整の煩わしさを解消することができる可変焦点眼鏡を提供することができる。
【０１５０】
（第６の実施形態）
第４の実施形態では、任意の距離にある視認対象物に対し、右側の可変焦点レンズ１５Ｒ、左側の可変焦点レンズ１５Ｌ毎に、片側ずつ、焦点距離を合わせたが、第６の実施形態では、任意の距離にある視認対象物に対し、右側の可変焦点レンズ１５Ｒ、左側の可変焦点レンズ１５Ｌの焦点距離を、同時に合わせるようにした。焦点距離を同時に合わせるには、事前に、教示を行う。教示は、２点教示、３点教示、多点教示のいずれであってもよいが、ここでは、第２の実施形態で説明した２点教示を行うものとする。教示する２点として、第１の距離（眼鏡フレーム１３から視認対象物ＯＢ１までの距離Ｌ１＝３０ｃｍ）にある視認対象物ＯＢ１、第２の距離（可変焦点眼鏡１１から視認対象物ＯＢ２までの距離Ｌ２＝１００ｃｍ）にある視認対象物ＯＢ２を想定する。また、任意の視認対象物ＯＢ３は、一例として、上述した視認対象物ＯＢ１と、視認対象物ＯＢ２の中間点（眼鏡フレーム１３から任意の視認対象物までの距離Ｌ３＝６５ｃｍ）にあるものと仮定して説明する。（図８参照）
【０１５１】
教示を行うと、第１の距離にある視認対象物ＯＢ１が明確に見える際の、右側の可変焦点レンズ１５Ｒの液晶素子に対する印加電圧Ｖ１、左側の可変焦点レンズ１５Ｌの液晶素子に対する印加電圧Ｖ３と、第２の距離にある視認対象物ＯＢ２が明確に見える際の、右側の可変焦点レンズ１５Ｒの液晶素子に対する印加電圧Ｖ２、左側の可変焦点レンズ１５Ｌの液晶素子に対する印加電圧Ｖ４とが、記憶部６３に記憶される。２点教示を行った後、モード切換ボタン５５を押して、任意モードにする。
【０１５２】
任意モードにおいて、任意の視認対象物に焦点距離を合わせるには、使用者がタッチセンサ５１、タッチセンサ５７を操作して、焦点距離を合わせる操作を行う。タッチセンサ５１を押すと、焦点距離が次第に長くなるように、また、タッチセンサ５７を押すと、焦点距離が次第に短くなるように、制御部２５が、右側の可変焦点レンズ１５Ｒの液晶素子に対する印加電圧、左側の可変焦点レンズ１５Ｌの液晶素子に対する印加電圧を制御する。
【０１５３】
ところで、任意の視認対象物ＯＢ３を明確に見られる際の、右側の可変焦点レンズ１５Ｒの液晶素子に対する印加電圧ＶＲ、左側の可変焦点レンズ１５Ｌの液晶素子に対する印加電圧ＶＬを得るには、一定の計算式を用いる。この計算式は、可変焦点レンズのレンズ形状、駆動部の制御方法などによって異なるので、個々の可変焦点眼鏡に最も適した計算式が用いられる。
【０１５４】
第６の実施形態では、可変焦点レンズの液晶素子に対する印加電圧と、視認対象物までの距離とからなる計算式を用いるものとし、一例として、（式１）、（式２）を適用する。（式１）は、（ｘ１，ｙ１）＝（距離Ｌ１，印加電圧Ｖ１）、（ｘ２，ｙ２）＝（距離Ｌ２，印加電圧Ｖ２）を通過する計算式である。（式２）は、（ｘ１，ｙ１）＝（距離Ｌ１，印加電圧Ｖ３）、（ｘ２，ｙ２）＝（距離Ｌ２，印加電圧Ｖ４）を通過する計算式である。（式１）、（式２）の計算式を、図１３に示す。
【０１５５】
（式１）  ＶＲ＝ａ１×（Ｌｎ−Ｌ１）＋Ｖ１
（式２）  ＶＬ＝ａ２×（Ｌｎ−Ｌ１）＋Ｖ３
【０１５６】
（式１）におけるａ１は、右側の可変焦点レンズ１５Ｒの液晶素子に対する単位距離当たりの印加電圧増分である。（式２）におけるａ２は、右側の可変焦点レンズ１５Ｒの液晶素子に対する単位距離当たりの印加電圧増分である。（式１）におけるａ１、（式２）におけるａ２は、（式３）、（式４）により算出される。
【０１５７】
（式３）  ａ１＝（Ｖ２−Ｖ１）／（Ｌ２−Ｌ１）
（式４）  ａ２＝（Ｖ４−Ｖ３）／（Ｌ２−Ｌ１）
【０１５８】
上述した（式１）、（式２）に、（式３）、（式４）を、それぞれ、代入すると、（式５）、（式６）を得ることができる。
【０１５９】
（式５）  ＶＲ＝（Ｖ２−Ｖ１）×（Ｌｎ−Ｌ１）／（Ｌ２−Ｌ１）＋Ｖ１
（式６）  ＶＬ＝（Ｖ４−Ｖ３）×（Ｌｎ−Ｌ１）／（Ｌ２−Ｌ１）＋Ｖ３
ただし、
ＶＲ：任意の視認対象物ＯＢ３を、一定の明瞭さをもって視認できる際の、右側の可変焦点レンズ１５Ｒの液晶素子に対する印加電圧（ボルト）
ＶＬ：任意の視認対象物ＯＢ３を、一定の明瞭さをもって視認できる際の、左側の可変焦点レンズ１５Ｌの液晶素子に対する印加電圧（ボルト）
Ｖ１：第１の距離にある視認対象物ＯＢ１を、一定の明瞭さをもって視認できる際の、右側の可変焦点レンズ１５Ｒの液晶素子に対する印加電圧（ボルト）
Ｖ２：第２の距離にある視認対象物ＯＢ２を、一定の明瞭さをもって視認できる際の、右側の可変焦点レンズ１５Ｒの液晶素子に対する印加電圧（ボルト）
Ｖ３：第１の距離にある視認対象物ＯＢ１を、一定の明瞭さをもって視認できる際の、左側の可変焦点レンズ１５Ｌの液晶素子に対する印加電圧（ボルト）
Ｖ４：第２の距離にある視認対象物ＯＢ２を、一定の明瞭さをもって視認できる際の、左側の可変焦点レンズ１５Ｌの液晶素子に対する印加電圧（ボルト）
Ｌｎ：任意の視認対象物ＯＢ３までの距離（ｃｍ）
Ｌ１：第１の距離にある視認対象物ＯＢ１までの距離（ｃｍ）
Ｌ２：第２の距離にある視認対象物ＯＢ２までの距離（ｃｍ）
【０１６０】
作動について、説明する。任意の視認対象物ＯＢ３よりも、手前側（視認対象物ＯＢ１側）に焦点距離が合っている状態で、使用者がタッチセンサ５１を操作すると、焦点距離が次第に長くなる。この際、制御部２５が、上記計算式に基づき、焦点距離に応じた印加電圧ＶＲ、ＶＬとなるように、右側の可変焦点レンズ１５Ｒの液晶素子に対する印加電圧、左側の可変焦点レンズ１５Ｌの液晶素子に対する印加電圧を、同時に制御する。そして、任意の距離にある視認対象物ＯＢ３に、焦点距離が合うと、使用者は、任意の視認対象物ＯＢ３を、一定の明瞭さをもって、視認することができる。
【０１６１】
なお、任意の視認対象物ＯＢ３よりも、奥側（視認対象物ＯＢ２側）に焦点距離が合っている状態で、タッチセンサ５７を押して、焦点距離が、次第に短くなるようにしても、任意の視認対象物ＯＢ３に焦点距離が合うようにできる。詳細な説明は、省略する。
【０１６２】
これによれば、使用者が、任意の視認対象物に対し、右側の可変焦点レンズ１５Ｒの焦点距離、左側の可変焦点レンズ１５Ｌの焦点距離を、同時に合わせることができるため、任意の視認対象物に対し、右側の可変焦点レンズ１５Ｒ、左側の可変焦点レンズ１５Ｌの焦点距離を、片側ずつ合わせる必要がない。その結果、焦点調整の煩わしさを解消することができる可変焦点眼鏡を提供することができる。
【０１６３】
（第７の実施形態）
第１実施形態では、ピストン、送りねじ軸、ステッピングモータを用いた回転−直線運動変換機構としたが、ラック・アンド・ピニオン機構としてもよい。なお、図１と同様の部分については、同じ番号を付し、詳細な説明は省略する。
【０１６４】
以下、左側のテンプル１９Ｌに設けられる駆動部２３Ｌについて説明する。右側のテンプル１９に設けられる駆動部２３Ｒについては、左側のテンプル１９Ｌに設けられる駆動部２３Ｌと同様であるために、詳細な説明を省略する。図１４は、左側のフロントおよびテンプル１９の拡大図である。図１５は、図１４のＦ−Ｆ断面図である。図１６は、図１４のＧ−Ｇ断面図である。図１４に示すように、駆動部８１は、ピストン８３、歯車８５、ステッピングモータ３５を備えている。
【０１６５】
テンプル１９には、内径部１９ａが形成されており、この内径部１９ａに、ピストン８３が内蔵されている。内径部１９ａのうち、少なくとも、ピストン８３が摺動する部分は、円筒状に形成されており、ピストン８３と内径部１９ａとで、透明液体２１を貯留する貯留室３７が形成される。ピストン８３には、歯切り部８３ａが形成されており、歯車８５が噛み合っている。つまり、ピストン８３と、歯車８５とで、ラック・アンド・ピニオン機構が構成され、ラックに相当する部分がピストン８３であるために、駆動部を小型化することができる。
【０１６６】
歯車８５の内径部８５ａには、ステッピングモータ３５の軸３５ａが圧入されており、軸３５ａが回転すると、ピストン３１が軸方向に移動する。ステッピングモータ３５の軸３５ａが軸３５ａ側の反対側から軸３５ａの方向に見て時計方向に回転すると、ピストン３１が、図１４に示すＤ方向に移動する。この際、貯留室３７に貯留された透明液体２１が、連通路１３ａ、孔部１５ｆを経由して、空間１５ｅ側に移動する。空間１５ｅ側に透明液体２１が流入すると、可変焦点レンズ１５が厚さ方向に膨らんで、屈折率を高くすることができる（焦点距離を短くすることができる）。
【０１６７】
また、ステッピングモータ３５の軸３５ａが、軸３５ａ側の反対側から軸３５ａの方向に見て反時計方向に回転すると、ピストン３１が、図１４に示すＥ方向に移動する。この際、空間１５ｅに貯留された透明液体２１が、孔部１５ｆ、連通路１３ａを経由して、貯留室３７側に移動する。貯留室３７側に透明液体２１が移動すると、可変焦点レンズ１５が厚さ方向に縮んで、屈折率を低くすることができる（焦点距離を長くすることができる）。
【０１６８】
上記構成によれば、焦点調整の煩わしさを解消することができる可変焦点眼鏡を提供することができる。また、駆動部を小型化することができるので、可変焦点眼鏡１１をコンパクトに構成できる。
【０１６９】
（第８の実施形態）
上述した各実施形態では、制御部、電源供給部、操作部を、眼鏡フレームに内蔵したが、制御部、電源供給部、操作部を眼鏡フレームと別体に設けてもよい。図１７に示すように、リモートコントローラ８７を設け、眼鏡フレーム１３とリモートコントローラ８７とを、信号線を含む電源ケーブル８９で接続する構成とした。リモートコントローラ８７には、制御部２５、電源供給部２７、操作部９１が設けられる。なお、駆動部、制御部（図９の番号２５）は、第１の実施形態と同様の構成であるものとして、説明する。
【０１７０】
電源供給部２７は、制御部２５に電力を供給し、かつ駆動部２３を駆動する。電源ケーブル８９は、上述したように、信号先を含む電源ケーブルであり、伸び縮みできるように、らせん状に形成されている。また、操作部９１は、液晶画面を用いたタッチパネルとした。操作部９１は、第１の実施形態で説明した操作部４７に相当し、第１の実施形態で説明した各種事前設定、モード切換等を行うことができる。
【０１７１】
上記構成によれば、制御部２５、電源供給部２７、操作部９１を眼鏡フレームと別体に設けたので、制御部、電源供給部、操作部の全てを眼鏡フレームに搭載する場合に比べて、眼鏡フレームの重量を軽くすることができ、掛け心地のよい可変焦点眼鏡を提供することができる。
【０１７２】
（第９の実施形態）
第２の実施形態では、眼鏡フレームと操作ユニットとを、信号線を含む電源ケーブルで接続する構成としたが、眼鏡フレームと操作ユニットとの間で発生する制御を無線通信するようにしてもよい。図１８に示すように、眼鏡フレーム１３には、制御部２５、電源供給部２７、無線通信部９３が設けられている。また、リモートコントローラ８７には、操作部９１、無線通信部９５、電源供給部１０３が設けられている。無線通信部９３、無線通信部９５を介して、双方向に通信することができる。
【０１７３】
リモートコントローラ８７に設けられた操作部９１を操作すると、所定の無線信号が、無線通信部９３から無線通信部９５を経由して、制御部２５に送信される。また、制御部２５から出力される信号が、無線通信部９５から無線通信部９３を経由して、リモートコントローラ８７に無線送信される。
【０１７４】
これによれば、操作部９１がリモートコントローラ８７に設けられており、しかも眼鏡フレーム１３と、リモートコントローラ８７との間で行われる通信が、無線通信であるために、リモートコントローラ８７を自由に配置して使用することができる。その結果、操作性のよい可変焦点眼鏡、利便性の高い可変焦点眼鏡を提供することができる。なお、リモートコントローラ８７を腕、手首に装着できる腕輪型のコントローラにすると、さらに操作性、利便性が向上する。
【０１７５】
（第１０の実施形態）
第１の実施形態では、ステッピングモータを用いたが、ＤＣモータを用いてもよい。図１９に示すように、ＤＣモータ９７の回転軸９７ａには、外周の一部に切り欠き部９９ａが形成された円板９９が固定されており、回転軸９７ａが回転すると、円板９９が一体となって回転する。センサ１０１は、円板９９の切り欠き部９９ａを検出することができるので、制御部は、所定の距離にある視認対象物が明瞭に視認できる場合の、回転量（駆動量）を得ることができる。そして、ＤＣモータ９７を、この回転量（駆動量）分だけ作動させれば、所定の距離にある視認対象物が明瞭に視認できる。センサ１０１の替わりに、エンコーダを用いてもよい。この他、駆動部の駆動体として、サーボモータ、リニアモータなどであってもよい。
【０１７６】
（第１１の実施形態）
上述した液体式可変焦点眼鏡が、視認対象物までの距離を測定する距離測定手段（例えば、測距センサ、光電センサなど）を備え、この距離測定手段により測定された距離に応じて、焦点距離を変更する液体式可変焦点眼鏡であってもよい。図２０に、距離測定手段４５を備えた可変焦点眼鏡１１の平面断面図を示す。なお、上述した距離測定手段に代え、所定の視認対象物の有無を検出する視認対象物検出手段（例えば、光電センサなど）が設けられていてもよい。
【０１７７】
（第１２の実施形態）
上述した電圧印加式可変焦点眼鏡が、第１１の実施形態と同様に、視認対象物までの距離を測定する距離測定手段（例えば、測距センサ、光電センサなど）を備え、この距離測定手段により測定された距離に応じて、焦点距離を変更する電圧印加式可変焦点眼鏡であってもよい。なお、上述した距離測定手段に代え、所定の視認対象物の有無を検出する視認対象物検出手段（例えば、光電センサなど）が設けられていてもよい。
【０１７８】
（その他の実施形態）
第１の実施形態では、駆動量検出手段として、ロータリエンコーダを用いたが、これに限定されるものではない。例えば、アナログ出力を行うポテンショメータ、レゾルバを用いてもよい。また、駆動部の特定の位置、例えば第１の実施形態で説明したピストンの移動量をセンサ、リニアエンコーダ等で検出するようにしてもよい。この場合、ピストンの移動量が駆動量であり、センサ、リニアエンコーダ等が、駆動量検出手段となる。
【０１７９】
第１の実施形態では、ステッピングモータを用いてピストンを制御したが、ポンプを用いて、ピストンを制御してもよい。この場合、ピストンの可動量（駆動量）を検出する可動量検出手段（例えば、リニアセンサ）を設けると、バルブで制御する方式と比較して、透明液体を精密に制御することができる。また、特許文献１の可変焦点眼鏡に記載されているリザーバに設けられたダイアルを駆動する駆動部を設け、この駆動部を自動制御するようにしてもよい。
【０１８０】
また、第５の実施形態で説明したパルス数ＮＲ、ＮＬを求めるための計算式は、種々あり、これに限定されるものではない。
【０１８１】
また、第６の実施形態で説明した印加電圧ＶＲ、ＶＬを求めるための計算式は、種々あり、これに限定されるものではない。
【０１８２】
また、第８の実施形態では、制御部、電源供給部、操作部を眼鏡フレームと別体に設けたが、制御部、電源供給部、操作部の少なくとも１つを、眼鏡フレームと別体に設けてもよい。
【０１８３】
また、第８の形態では、制御部２５、電源供給部２７、操作部９１を眼鏡フレーム１３と別体にしたが、さらに駆動部２３を、眼鏡フレーム１３と別体に設けてもよい。また、別体にした制御部２５、電源供給部２７、操作部９１、駆動部２３をリモートコントローラ８７に設けてもよい。この場合、例えば、図１７に示すリモートコントローラ８７に駆動部２３を内蔵させ、眼鏡フレーム１３側へと接続される配管を、電源ケーブル８９と、一体に設けるとよい。眼鏡フレーム１３の内部には、可変焦点レンズ１５に繋がる配管路が形成される。
【０１８４】
また、第８の実施形態は、液体式可変焦点レンズの変形例であるが、上述した電圧印加式可変焦点眼鏡に同様の構成を適用して、眼鏡フレーム１３とリモートコントローラとを、信号線を含む電源ケーブルで接続する構成としてもよい。リモートコントローラには、制御部、電源供給部、操作部が設けられる。なお、制御部、電源供給部、操作部の少なくとも１つを、眼鏡フレームと別体に設けてもよい。また、上述した電圧印加式可変焦点眼鏡において、駆動部をリモートコントローラに設けてもよい。
【０１８５】
また、第９の実施形態では、制御部２５を眼鏡フレーム１３に設けたが、制御部２５を、リモートコントローラ８７に設けてもよい。
【０１８６】
また、第９の実施形態は、液体式可変焦点レンズの変形例であるが、上述した電圧印加式可変焦点眼鏡に同様の構成を適用して、眼鏡フレームと操作ユニットとの間で発生する制御を無線通信するようにしてもよい。なお、制御部を、リモートコントローラに設けてもよい。また、駆動部をリモートコントローラに設けてもよい。
【０１８７】
また、上述した電圧印加式可変焦点眼鏡は、電圧を印加することにより焦点距離を可変する可変焦点眼鏡であればよく、上述した液晶式の可変焦点眼鏡に限定されない。例えば、レンズホルダー（容器）内に所定の可撓膜を隔てて、導電性液体と、絶縁性流体とを封入し、導電性液体に印加電圧を印加させて、界面を変化させ、焦点距離を変更する可変焦点眼鏡（オランダ：フィリップス  エレクトロニックス社）、電子ウェッティング現象の原理を利用したレンズを用いた電子眼鏡（フランス：バリオプティック社）であってもよい。また、印加電圧をかけることで、レンズに外力を加え、レンズ厚を変化させ、焦点距離を変更する可変焦点眼鏡であってもよい。
【０１８８】
また、第１の実施形態、第２の実施形態における３点教示後の操作手順において、タッチセンサを操作することによって、駆動量を変更する順番は、適宜変更可能である。
【０１８９】
なお、本願発明は、上記実施例のみに限定されるものではなく、請求項の範囲に記載された技術的思想の中で、自由に変形が可能である。
【符号の説明】
【０１９０】
１１…可変焦点眼鏡
１３…眼鏡フレーム
１５、１５Ｒ、１５Ｌ…可変焦点レンズ
１７…フロント
１９、１９Ｒ、１９Ｌ…テンプル
２１…透明液体
２３、２３Ｒ、２３Ｌ…駆動部
２５…制御部
２７…電源供給部
３１…ピストン
３３…送りねじ軸
３５、３５Ｒ、３５Ｌ…ステッピングモータ
３７…貯留室
３９…ロータリエンコーダ
４１…（欠番）
４３…（欠番）
４７…操作部
４９…電源スイッチ
５１…タッチセンサ
５３…教示ボタン
５５…モード切換ボタン
５７…タッチセンサ
５９…登録ボタン
【図１】
2014038302.tif 000003
【図２】
2014038302.tif 000004
【図３】
2014038302.tif 000005
【図４】
2014038302.tif 000006
【図５】
2014038302.tif 000007
【図６】
2014038302.tif 000008
【図７】
2014038302.tif 000009
【図８】
2014038302.tif 000010
【図９】
2014038302.tif 000011
【図１０】
2014038302.tif 000012
【図１１】
2014038302.tif 000013
【図１２】
2014038302.tif 000014
【図１３】
2014038302.tif 000015
【図１４】
2014038302.tif 000016
【図１５】
2014038302.tif 000017
【図１６】
2014038302.tif 000018
【図１７】
2014038302.tif 000019
【図１８】
2014038302.tif 000020
【図１９】
2014038302.tif 000021
【図２０】
2014038302.tif 000022
【手続補正書】
【提出日】平成24年12月20日(2012.12.20)
【手続補正１】
【補正対象書類名】明細書
【補正対象項目名】０１５０
【補正方法】変更
【補正の内容】
【０１５０】
（第６の実施形態）
第４の実施形態では、任意の距離にある視認対象物に対し、右側の可変焦点レンズ１５Ｒ、左側の可変焦点レンズ１５Ｌ毎に、片側ずつ、焦点距離を合わせたが、第６の実施形態では、任意の距離にある視認対象物に対し、右側の可変焦点レンズ１５Ｒ、左側の可変焦点レンズ１５Ｌの焦点距離を、同時に合わせるようにした。焦点距離を同時に合わせるには、事前に、教示を行う。教示は、２点教示、３点教示、多点教示のいずれであってもよいが、ここでは、第２の実施形態で説明した２点教示を行うものとする。教示する２点として、第１の距離（眼鏡フレーム１３から視認対象物ＯＢ１までの距離Ｌ１＝３０ｃｍ）にある視認対象物ＯＢ１、第２の距離（可変焦点眼鏡１１から視認対象物ＯＢ２までの距離Ｌ２＝１００ｃｍ）にある視認対象物ＯＢ２を想定する。また、任意の視認対象物ＯＢ３は、一例として、上述した視認対象物ＯＢ１と、視認対象物ＯＢ２の中間点（眼鏡フレーム１３から任意の視認対象物までの距離Ｌ３＝６５ｃｍ）にあるものと仮定して説明する。（図１３参照）
【手続補正２】
【補正対象書類名】図面
【補正対象項目名】図１２
【補正方法】変更
【補正の内容】
【図１２】
2014038302.tif 000023
【手続補正３】
【補正対象書類名】図面
【補正対象項目名】図１３
【補正方法】変更
【補正の内容】
【図１３】
2014038302.tif 000024
【手続補正書】
【提出日】平成25年1月31日(2013.1.31)
【手続補正１】
【補正対象書類名】特許請求の範囲
【補正対象項目名】全文
【補正方法】変更
【補正の内容】
【特許請求の範囲】
【請求項１】
焦点距離を変化させることができる左右一対の可変焦点レンズを備えた可変焦点眼鏡において；
前記可変焦点レンズ毎に設けられ、前記可変焦点レンズの焦点距離を変化させる駆動部と、
前記駆動部を駆動する操作を行うスイッチと、
前記スイッチの操作を受けて前記駆動部を制御する制御部と、
を備えており、
前記可変焦点眼鏡の使用者が所定の距離にある視認対象物を明瞭に視認できる際の、前記駆動部の所定の駆動量を、前記駆動部毎に、事前に記憶する機能を有しており、
前記使用者が、前記スイッチに対して、事前に記憶された前記所定の駆動量を再現する所定の操作をした場合に、事前に記憶された前記所定の駆動量を再現するように、前記制御部が前記駆動部を個別に制御することを特徴とする可変焦点眼鏡。
【請求項２】
前記使用者が、事前に記憶された前記所定の駆動量を再現する所定の操作をした場合に、前記駆動部の駆動量が、前記スイッチの操作によって指定される、前記駆動部毎に、事前に記憶された前記所定の駆動量となるように、前記制御部が前記駆動部を個別に制御することを特徴とする請求項１に記載の可変焦点眼鏡。
【請求項３】
前記所定の距離にある視認対象物を明瞭に視認できる際の所定の駆動量が、前記使用者により教示された駆動量であることを特徴とする請求項１または請求項２に記載の可変焦点眼鏡。
【請求項４】
前記可変焦点レンズが、液体の出し入れによって焦点距離を変化させることができる可変焦点レンズであり、
前記駆動部が、前記液体を出し入れして前記可変焦点レンズの焦点距離を変化させる駆動部であることを特徴とする請求項１乃至請求項３のいずれか１つに記載の可変焦点眼鏡。
【請求項５】
前記駆動部が、駆動源と、前記駆動源が駆動することにより可動する可動部とを備えており、
前記可動部の移動量を、前記駆動量とすることを特徴とする請求項４に記載の可変焦点眼鏡。
【請求項６】
前記可変焦点レンズに、前記液体が出し入れされる内部空間が形成されており、
前記駆動部が；
前記内部空間につながる内径部に設けられ、可動することにより、前記液体を出し入れして前記可変焦点レンズの焦点距離を変化させるピストンと、
ステッピングモータ、サーボモータ、所定の距離にある視認対象物が明瞭に視認できる場合の駆動量に制御可能なＤＣモータのうち、いずれかのモータと、
を備えており、
前記制御部が前記モータを個別に駆動することにより、前記ピストンを可動させることを特徴とする請求項４に記載の可変焦点眼鏡。
【請求項７】
前記可変焦点レンズが、印加電圧の増減によって焦点距離を変化させることができる可変焦点レンズであり、
前記駆動部が、前記印加電圧を増減して前記可変焦点レンズの焦点距離を変化させる駆動部であることを特徴とする請求項１乃至請求項３のいずれか１つに記載の可変焦点眼鏡。
【請求項８】
前記可変焦点眼鏡が、前記焦点可変レンズの焦点距離を次第に変更する操作を行うスイッチを備えており、
事前に記憶された前記所定の駆動量から、前記焦点可変レンズの焦点距離を次第に変更した際に、所定の距離にある視認対象物を明瞭に視認できる、前記駆動部に対する駆動量を算出する機能を有しており、
前記スイッチを操作して、前記焦点可変レンズの焦点距離を次第に変更した場合に、前記駆動部の駆動量が、算出された駆動量となるように、前記制御部が前記駆動部を制御することを特徴とする請求項１乃至請求項７のいずれか１つに記載の可変焦点眼鏡。
【請求項９】
前記駆動部、前記駆動部を操作する操作部、前記制御部、前記駆動部および制御部に電源を供給する電源供給部のうち、少なくとも前記操作部が、前記可変焦点レンズを保持する眼鏡フレームと別体に設けられるリモートコントローラに設けられていることを特徴とする請求項１乃至請求項８のいずれか１つに記載の可変焦点眼鏡。
【請求項１０】
請求項１乃至請求項９のいずれか１つの可変焦点眼鏡が、前記視認対象物までの距離を測定する距離測定手段、前記視認対象物の有無を検出する視認対象物検出手段のいずれか１つを備えていることを特徴とする可変焦点眼鏡。
【手続補正２】
【補正対象書類名】明細書
【補正対象項目名】全文
【補正方法】変更
【補正の内容】
【発明の詳細な説明】
【技術分野】
【０００１】
本発明は、焦点距離を調整することができる可変焦点眼鏡に関し、特に、視力の異なる使用者、左右の視力が異なる使用者が、異なる距離にある視認対象物を、個別に、明瞭に視認することができる、汎用性のある可変焦点眼鏡に関する。
【背景技術】
【０００２】
人間の目は、一般的に、加齢によって焦点調節機能が低下し、老視の症状が現れてくる。このため、従来技術では、近用眼鏡（近いものを見る眼鏡、例えば老眼鏡）を掛ける必要が生じる。また、近視である者が加齢して、老視の症状が現れた場合には、近用眼鏡（近いものを見る眼鏡、例えば老眼鏡）と遠用眼鏡（遠くのものを見る眼鏡、近視用眼鏡）を交互に掛け替えねばならなかった。そこで、これらの問題点を解決するために、可変焦点レンズを用いて遠近を見る眼鏡が公開されている。
【０００３】
例えば、内部に空間が形成されたレンズと、レンズの空間およびこの空間に連なるリザーバに液体を封入し、リザーバに設けられたダイアルを回転させることにより、レンズの空間に流入する液体の量を変化させて度数を調整できる可変焦点眼鏡が出願されている。（例えば、特許文献１）
【０００４】
しかしながら、この可変焦点眼鏡は、視認対象物までの距離に応じて、都度、手動でダイアルを手動で回転させなければならず、煩わしいという課題を有している。
【０００５】
また、可変焦点レンズを用いて遠近を見る眼鏡として、ポンプの作動によりレンズ体の内部の透明液体の容量を変えて、焦点を変化させようとする眼鏡が公開されている。（例えば、特許文献２）
【０００６】
ところで、この眼鏡は、ポンプが作動すると、透明液体が、注入口からレンズ体内に流入し、一方で、レンズ体内の透明液体が、排出口から排出される。そして、排出口から排出された透明液体は、チューブおよびポンプを介して再び注入口からレンズ体内に注入される。つまり、透明液体が循環するに過ぎず、そもそも、レンズ体の焦点距離を調整することができないという不具合を有している。
【０００７】
また、この眼鏡は、ポンプの吐出側に接続される１本のチューブが途中で分岐しており、透明液体が各々のレンズ体に注入されるようになっている。そして、各々のレンズ体から排出された透明液体が１本のチューブに合流し、ポンプの吸入側に接続するようになっている。つまり、この眼鏡は、左右のレンズ体毎に焦点距離を調整する仕組みを備えておらず、左右のレンズ体毎に焦点距離を調整することができない。その結果、左右で度数が異なる使用者は、視覚対象物を明確に見ることができないという課題を有している。
【０００８】
また、この眼鏡が、仮にレンズ体の焦点距離を調整できる眼鏡であったとしても、ポンプ、バルブ、流量計を用いた方法では、一般的には、液体の出し入れを長年繰り返すことにより、累積的な流量誤差が生じる課題、可変焦点レンズの焦点距離を、繰り返し、正確に再現することができないという課題を有している。
【０００９】
また、この眼鏡には、バルブが設けられている。バルブの具体的な構成は示されていないが、コントローラがバルブを駆動制御することから考慮すれば、電気を用いて弁を機械的に作動させる何らかの機械装置（例えば電磁弁）および配線が必要となる。しかも、この眼鏡は、流量計まで設けられるために、眼鏡が非常に大きく、あるいは重くなってしまい、実用に供さないという課題を有している。
【００１０】
また、可変焦点レンズを用いて遠近を見る眼鏡として、フレームに設けられた複数のスイッチを同時に押すと、可変焦点レンズに電圧を印加して、焦点の切り替えをする電子眼鏡が公開されている。（例えば、特許文献３）
【００１１】
しかしながら、この電子眼鏡は、単に遠方視野、近方視野を切り替えるだけであり、使用者の視力に合わせて、視認対象物を明確に見るようにはできないという課題を有している。また、使用者毎に焦点距離を変更することができないので、使用者が変わると、視認対象物を明瞭に見ることができないという課題を有している。さらに、左右のレンズ体毎に焦点距離を調整することができないので、左右の視力が異なる使用者は、視認対象物を明瞭に見ることができないという課題を有している。つまり、この電子眼鏡は、視力の異なる使用者、左右の視力が異なる使用者に対する汎用性がない。
【００１２】
また、可変焦点レンズを用いて遠近を見る眼鏡として、遠方を見る固定レンズに、液晶レンズを貼り合わせ、焦点切替スイッチを押して、プランジャをＯＮ接点側に切り替えると、液晶レンズに電圧が印加されて、近方視野に切り替えられ、プランジャをＯＦＦ接点側に切り替えると、液晶レンズに印加される電圧が停止されて、固体レンズの度数により、遠方視野をみることができる電子眼鏡が公開されている。（例えば、特許文献４）
【００１３】
しかしながら、この電子眼鏡は、遠方用として、使用者固有の固体レンズを用いなければならないので、使用者が代わると、必ずしも視認対象物を明瞭に見られるとは限らないという課題を有している。しかも、この電子眼鏡は、使用者専用として用いた場合でも、使用者の度数が進んでしまうと、固体レンズの部分を作り直す必要があり、引いては、液晶レンズも作り直さなければならないという課題を有している。つまり、この電子眼鏡は、視力の異なる使用者、左右の視力が異なる使用者に対する汎用性がないばかりでなく、使用者専用として用いた場合にも、使用できる条件（例えば、使用者の視力が変わらない）が限定されてしまうという課題を有している。
【００１４】
また、可変焦点レンズを用いて遠近を見る眼鏡として、ベローズ内のエレクトロアクティブポリマー部材と対向電極との間に電圧を印加してベローズを変形させることで、可変焦点レンズ部のメンブレンに流動性透明充填液を出し入れさせて、焦点距離を変える可変焦点レンズ装置が公開されている。（例えば、特許文献５）
【００１５】
しかしながら、この可変焦点レンズ装置は、単に、液圧ポンプを駆動させ、流動性透明充填液を出入りさせて、メンブレンを湾曲させ、焦点を切り替えるだけであり、視認する視認対処物が代わると、いちいち、片側ずつ、左右の可変焦点レンズの焦点距離を合わせなければならないという課題を有している。また、ベローズ内のエレクトロアクティブポリマー部材と対向電極との間に電圧を印加してベローズを変形させる構成であるために、液体の出し入れを長年繰り返すと、累積的な流量誤差が生じ、可変焦点レンズの焦点距離を、繰り返し、正確に再現することができないという課題を有している。
【００１６】
特許文献１乃至特許文献５は、いずれも、視力の異なる使用者、左右の視力が異なる使用者が、簡単な操作により、異なる距離にある視認対象物を、個別に、明瞭に視認することができないという課題を有している。
【００１７】
【特許文献１】特表２０１１−５１６９２５号公報
【特許文献２】特開平５−３０３０１１号公報
【特許文献３】特開２００９−８０２４２号公報
【特許文献４】特開２００９−９８６４９号公報
【特許文献５】特開２００９−２５１４２０号公報
【発明の開示】
【発明が解決しようとする課題】
【００１８】
上述したように、上述した特許文献２の眼鏡、特許文献３の電子眼鏡、特許文献４の電子眼鏡は、そもそも、レンズ体の焦点距離を調整することができないという不具合、あるいは、視力の異なる使用者、左右の視力が異なる使用者に対する汎用性がないなどの課題があった。一方、特許文献１の眼鏡、特許文献５の可変焦点レンズ装置は、一定の汎用性があるものの、特許文献１では、都度、手動でダイアルを回転させなければならず、煩わしいという課題、特許文献５では、片側ずつ、左右の可変焦点レンズの焦点距離を合わせなければならないという課題を有している。
【００１９】
つまり、従来技術では、視力の異なる使用者、左右の視力が異なる使用者が、簡単な操作により、異なる距離にある視認対象物を、個別に、明瞭に視認することができる汎用性のある可変焦点眼鏡を提供することができなかった。本願発明は上記点に鑑み、視力の異なる使用者、左右の視力が異なる使用者が、簡単な操作により、異なる距離にある視認対象物を、個別に、明瞭に視認することができる汎用性のある可変焦点眼鏡を提供することを目的とする。
【００２０】
また、上述した課題を解決するために、発明者は、可変焦点眼鏡を発明したが、使用者にとって掛け心地のよい可変焦点眼鏡、操作性のよい可変焦点眼鏡、利便性の高い可変焦点眼鏡であることが望まれる。本願発明は上記点に鑑み、使用者にとって掛け心地のよい可変焦点眼鏡、あるいは操作性のよい可変焦点眼鏡、あるいは利便性の高い可変焦点眼鏡を提供することを副次的な目的とする。
【課題を解決するための手段】
【００２１】
本発明は、上記目的を達成するために、請求項１に記載の発明では、焦点距離を変化させることができる左右一対の可変焦点レンズを備えた可変焦点眼鏡において；
可変焦点レンズ毎に設けられ、可変焦点レンズの焦点距離を変化させる駆動部と、
駆動部を駆動する操作を行うスイッチと、
スイッチの操作を受けて駆動部を制御する制御部と、
を備えており、
可変焦点眼鏡の使用者が所定の距離にある視認対象物を明瞭に視認できる際の、駆動部の所定の駆動量を、駆動部毎に、事前に記憶する機能を有しており、
使用者が、スイッチに対して、事前に記憶された所定の駆動量を再現する所定の操作をした場合に、事前に記憶された所定の駆動量を再現するように、制御部が駆動部を個別に制御することを特徴とする。
【００２２】
請求項２に記載の発明では、請求項１において、使用者が、事前に記憶された所定の駆動量を再現する所定の操作をした場合に、駆動部の駆動量が、スイッチの操作によって指定される、駆動部毎に、事前に記憶された所定の駆動量となるように、制御部が駆動部を個別に制御することを特徴とする。
【００２３】
請求項３に記載の発明では、請求項１または請求項２において、所定の距離にある視認対象物を明瞭に視認できる際の所定の駆動量が、使用者により教示された駆動量であることを特徴とする。
【００２４】
これによれば、スイッチに対して所定の操作をすると、所定の距離にある視認対象物を可変焦点眼鏡の使用者が明瞭に視認できる際の駆動量となる。この駆動量は、使用者が個別に、視認対象物を明瞭に視認できる際の駆動量であるために、簡単な操作によって、視力の異なる使用者、左右の視力が異なる使用者が、視認対象物を明瞭に視認することができる。したがって、従来例のように、いちいちダイアルを手動で回転させずとも、あるいは片側ずつ、左右の可変焦点レンズの焦点距離を合わせることをせずとも、視力の異なる使用者、左右の視力が異なる使用者自身が、簡単な操作によって、視認対象物を明瞭に視認することができる。その結果、視力の異なる使用者、左右の視力が異なる使用者が、簡単な操作により、異なる距離にある視認対象物を、個別に、明瞭に視認することができる汎用性のある可変焦点眼鏡を提供することができる。
【００２５】
なお、スイッチ操作をしない限り、駆動量も変わらないので、使用者が個別の視認対象物を視認している際に、他の視認対象物が横切っても、駆動量が切り替わることがない。このため、視認対象物を安定的に視認することができる。
【００２６】
請求項４に記載の発明では、請求項１乃至請求項３のいずれか１つにおいて、可変焦点レンズが、液体の出し入れによって焦点距離を変化させることができる可変焦点レンズであり、
駆動部が、液体を出し入れして可変焦点レンズの焦点距離を変化させる駆動部であることを特徴とする。
【００２７】
これによれば、可変焦点レンズが、液体の出し入れによって焦点距離を変化させることができる可変焦点レンズであるため、液晶式の可変焦点眼鏡のような課題、すなわち、誘電体材料を用いているために、一般的に、レンズにおける光の透過率が低くなる課題、レンズにおける光の透過率が低くなると、明度が下がり、使用者の瞳孔径が大きくなって、焦点深度が浅くなり、焦点を合わせ難いという課題、利用者に負担をかけてしまうという課題、大口径にすることが難しく、視野が限定されるという課題を解決することができる。
【００２８】
なお、請求項５に記載の発明のように、請求項４において、駆動部が、駆動源と、駆動源が駆動することにより可動する可動部とを備えており、
可動部の移動量を、駆動量としてもよい。
【００２９】
請求項６に記載の発明では、請求項４において、可変焦点レンズに、液体が出し入れされる内部空間が形成されており、
駆動部が；
内部空間につながる内径部に設けられ、可動することにより、液体を出し入れして可変焦点レンズの焦点距離を変化させるピストンと、
ステッピングモータ、サーボモータ、所定の距離にある視認対象物が明瞭に視認できる場合の駆動量に制御可能なＤＣモータのうち、いずれかのモータと、
を備えており、
制御部がモータを個別に駆動することにより、ピストンを可動させることを特徴とする。
【００３０】
これによれば、視認対象物を、使用者が明瞭に視認できる際の焦点距離となるように、制御部がステッピングモータ、サーボモータ、所定の距離にある視認対象物が明瞭に視認できる場合の駆動量となるように作動するＤＣモータを制御してピストンを可動させ、内部空間内への液体の出し入れ量を制御することができる。上述した各モータは、正確に位置決めすることができ、位置再現性も有しているので、各モータによって可動するピストンもまた正確に位置決めされ、正確に位置が再現される。そのため、可変焦点レンズの焦点距離を、繰り返し、正確に再現することができる。
【００３１】
また、可変焦点レンズ毎に液体の出し入れ量を制御することができるので、可変焦点レンズ毎に焦点距離を変更することができる。このため、左右の視力度数が異なっていても、右目、左目ごとに、焦点距離を微細に制御することができる。その結果、使用者が明瞭に、視認対象物を視認できる可変焦点眼鏡を提供することができる。
【００３２】
また、可変焦点レンズの焦点距離を、繰り返し、正確に再現することができるので、特許文献２のような、バルブおよび流量計を必要としない。また、特許文献５のような、動作液体および流動性透明液体充填液を貯留する液圧力流量伝達装置セルも必要としない。このため、可変焦点眼鏡をコンパクトにすることができる。その結果、使用者にとって掛け心地のよい可変焦点眼鏡を提供することができる。
【００３３】
請求項７に記載の発明では、請求項１乃至請求項３のいずれか１つにおいて、可変焦点レンズが、印加電圧の増減によって焦点距離を変化させることができる可変焦点レンズであり、
駆動部が、印加電圧を増減して可変焦点レンズの焦点距離を変化させる駆動部であることを特徴とする。
【００３４】
これによれば、装置を小型化、軽量化することができる。その結果、使用者にとって掛け心地のよい可変焦点眼鏡を提供することができる。また、液体式の可変焦点眼鏡のように、液漏れを考慮する必要がない。
【００３５】
請求項８に記載の発明では、請求項１乃至請求項７のいずれか１つにおいて、可変焦点眼鏡が、焦点可変レンズの焦点距離を次第に変更する操作を行うスイッチを備えており、
事前に記憶された所定の駆動量から、焦点可変レンズの焦点距離を次第に変更した際に、所定の距離にある視認対象物を明瞭に視認できる、駆動部に対する駆動量を算出する機能を有しており、
スイッチを操作して、焦点可変レンズの焦点距離を次第に変更した場合に、駆動部の駆動量が、算出された駆動量となるように、制御部が駆動部を制御することを特徴とする。
【００３６】
これによれば、簡単な操作によって、視力の異なる使用者、左右の視力が異なる使用者が、任意の距離にある視認対象物を明瞭に視認することができる。その結果、視力の異なる使用者、左右の視力が異なる使用者が、簡単な操作により、任意の距離にある距離にある視認対象物を、個別に、明瞭に視認することができる汎用性のある可変焦点眼鏡を提供することができる。
【００３７】
請求項９に記載の発明では、請求項１乃至請求項８のいずれか１つにおいて、駆動部、駆動部を操作する操作部、制御部、駆動部および制御部に電源を供給する電源供給部のうち、少なくとも操作部が、可変焦点レンズを保持する眼鏡フレームと別体に設けられるリモートコントローラに設けられていることを特徴とする。
【００３８】
これによれば、駆動部、操作部、制御部、電源供給部のうち、少なくとも操作部が、リモートコントローラに設けられるので、眼鏡フレーム側の重量を軽減することができる。その結果、掛け心地のよい可変焦点眼鏡を提供することができる。また、リモートコントローラに設けられた操作部により、駆動部を操作することができるので、操作性がよく、利便性の高い可変焦点眼鏡を提供することができる。
【００３９】
請求項１０に記載の発明のように、請求項１乃至請求項９のいずれか１つの可変焦点眼鏡が、視認対象物までの距離を測定する距離測定手段、視認対象物の有無を検出する視認対象物検出手段のいずれか１つを備えていてもよい。
【図面の簡単な説明】
【００４０】
【図１】第１実施形態による可変焦点眼鏡の平面図で、図２のＡ−Ａ断面図である。
【図２】第１実施形態による可変焦点眼鏡の正面図である。
【図３】図１のＢ−Ｂ断面図である。
【図４】図１のＣ−Ｃ断面図である。
【図５】第１の実施形態による左側の可変焦点レンズおよび駆動部の拡大図である。
【図６】第１の実施形態による可変焦点眼鏡のブロック図である。
【図７】第２の実施形態による可変焦点眼鏡の平面図である。
【図８】第２の実施形態による可変焦点眼鏡の正面図である。
【図９】図７のＡ方向から見た側面図である。
【図１０】図７のＢ方向から見た側面図である。
【図１１】第２の実施形態による可変焦点眼鏡のブロック図である。
【図１２】第５の実施形態による可変焦点眼鏡の駆動量−距離相関図である。
【図１３】第６の実施形態による可変焦点眼鏡の駆動量−距離相関図である。
【図１４】第７の実施形態による可変焦点眼鏡の左側の可変焦点レンズおよび駆動部の拡大図である。
【図１５】図１４のＦ−Ｆ断面図である。
【図１６】図１４のＧ−Ｇ断面図である。
【図１７】第８の実施形態による可変焦点眼鏡の正面図である。
【図１８】第９の実施形態による可変焦点眼鏡の正面図である。
【図１９】第１０の実施形態による可変焦点眼鏡の駆動部の説明図である。
【図２０】第１１の実施形態による可変焦点眼鏡の平面図である。
【発明を実施するための最良の形態】
【００４１】
（第１の実施形態）
第１の実施形態は、可変焦点眼鏡のうち、液体式可変焦点眼鏡に関するものである。図１は、可変焦点眼鏡１１の平面図で、図２のＡ−Ａ断面図である。図２は、可変焦点眼鏡の正面図である。図３は、図１のＢ−Ｂ断面図である。図４は、図１のＣ−Ｃ断面図である。図５は、可変焦点レンズおよび駆動部の拡大図である。図１に示すように、可変焦点眼鏡１１は、眼鏡フレーム１３の前面部分を構成し、左右一対の可変焦点レンズ１５を保持するフロント１７、フロント１７に連なるテンプル１９を備えている。なお、第１の実施形態では、テンプル１９は、フロント１７と一体に形成されるが、一般的に使用される眼鏡と同様に、テンプル１９をフロント１７と別体にし、所定の連結部材などを介して折り曲げる構造としてもよい。
【００４２】
なお、以下の説明では、必要に応じて、左右一対の可変焦点レンズ１５、テンプル１９を、次のように使い分けて説明する。すなわち、左右一対の可変焦点レンズ１５のうち、使用者が可変焦点眼鏡１１をかけた状態で、右側の可変焦点レンズ１５を可変焦点レンズ１５Ｒと称し、左側の可変焦点レンズ１５を可変焦点レンズ１５Ｌと称するものとする。また、使用者が可変焦点眼鏡１１をかけた状態で、右側のテンプル１９を、テンプル１９Ｒと称し、左側のテンプル１９を、テンプル１９Ｌと称するものとする。また、右側のテンプル１９Ｒに設けられた駆動部２３を、駆動部２３Ｒと称し、左側のテンプル１９Ｌに設けられた駆動部２３を、駆動部２３Ｌと称するものとする。また、右側のテンプル１９Ｒに設けられたステッピングモータ３５を、ステッピングモータ３５Ｒと称し、左側のテンプル１９Ｌに設けられたステッピングモータ３５を、ステッピングモータ３５Ｌと称するものとする。
【００４３】
なお、後述するように、ステッピングモータは、駆動部の駆動源であり、駆動部そのものではないが、ステッピングモータが駆動すると、駆動部が駆動する。また、制御部がステッピングモータを制御することは、結果的に、制御部が駆動部を制御することでもある。このため、適宜、ステッピングモータ（駆動部）を駆動する、制御部がステッピングモータ（駆動部）を制御する、などと記載する。また、制御部は、後述する記憶部を含めた広い概念で用いており、適宜、記憶部（制御部）に記憶する、記憶部（制御部）に記憶される、などと記載する。
【００４４】
可変焦点レンズ１５は、図５に示すように、前面側を形成する前面レンズ１５ａ、後面側を形成する後面レンズ１５ｂ、前面レンズ１５ａおよび後面レンズ１５ｂの間に配置される可撓性の可撓膜１５ｃを備えている。前面レンズ１５ａと可撓膜１５ｃとの間には、空間１５ｄが形成され、可撓膜１５ｃと後面レンズ１５ｂとの間には、空間１５ｅが形成される。上述した後面レンズ１５ｂには、空間１５ｅと連通路１３ａとを連通する孔部１５ｆが形成されている。連通路１３ａは、孔部１５ｆと、後述する貯留室３７とを連通する。空間１５ｅ、孔部１５ｆ、連通路１３ａ、貯留室３７には透明液体２１（例えば、透明度の高いシリコン油）が充填されている。
【００４５】
また、右側のテンプル１９Ｒには、右側の可変焦点レンズ１５Ｒに透明液体２１を出し入れして、右側の可変焦点レンズ１５Ｒの厚みを変更することにより焦点距離を変更する駆動部２３Ｒと、駆動部２３Ｒ、２３Ｌ、制御部２５に電力を供給する電源供給部２７とが設けられている。また、左側のテンプル１９Ｌには、左側の可変焦点レンズ１５Ｌに透明液体２１を出し入れして、左側の可変焦点レンズ１５Ｌの厚みを変更することにより焦点距離を変更する駆動部２３Ｌと、駆動部２３Ｒ、２３Ｌを制御する制御部２５とが設けられている。電源供給部２７から供給される電力は、配線２９（図２に図示）を経由して、駆動部２３、制御部２５に送電される。上述した配線２９は、エッチング、銅箔の貼り付け等により、フィルム上に形成された配線パターンであってもよい。配線パターンをフィルム上に形成することで、眼鏡フレーム１３を小型化することができる。
【００４６】
次に、駆動部２３について説明する。説明に際しては、左側のテンプル１９Ｌに設けられる駆動部２３Ｌについて説明する。なお、右側のテンプル１９Ｒに設けられる駆動部２３Ｒについては、左側のテンプル１９Ｌに設けられる駆動部２３Ｌと同様に構成される。
【００４７】
図５に示すように、左側のテンプル１９Ｌには、内径部１９ａが形成されており、この内径部１９ａに、ピストン３１、送りねじ軸３３、左側のステッピングモータ３５Ｌが内蔵されている。内径部１９ａのうち、少なくとも、ピストン３１が摺動する部分は、円筒状に形成されており、ピストン３１と内径部１９ａとで、透明液体２１を貯留する貯留室３７が形成される。ピストン３１には、めねじが形成されており、送りねじ軸３３が螺入されている。
【００４８】
送りねじ軸３３の内径部３３ａには、左側のステッピングモータ３５Ｌの軸３５ａが圧入されており、軸３５ａが回転すると、送りねじ軸３３が一体となって回転する。左側のステッピングモータ３５Ｌの軸３５ａが、軸３５ａ側の反対側から軸３５ａの方向に見て反時計方向に回転すると、ピストン３１がＤ方向に移動する。この際、貯留室３７に貯留された透明液体２１が、連通路１３ａ、孔部１５ｆを経由して、空間１５ｅ側に移動する。空間１５ｅ側に透明液体２１が流入すると、左側の可変焦点レンズ１５Ｌが厚さ方向に膨らんで、屈折率を高くすることができる（焦点距離を短くすることができる）。
【００４９】
また、左側のステッピングモータ３５Ｌの軸３５ａが、軸３５ａ側の反対側から軸３５ａの方向に見て時計方向に回転すると、ピストン３１が、図５に示すＥ方向に移動する。この際、空間１５ｅに貯留された透明液体２１が、孔部１５ｆ、連通路１３ａを経由して、貯留室３７側に移動する。貯留室３７側に透明液体２１が移動すると、左側の可変焦点レンズ１５Ｌが厚さ方向に縮んで、屈折率を低くすることができる（焦点距離を長くすることができる）。なお、ピストン３１には、回り止め３１ａが設けられており、送りねじ軸３３が回転した際に、ピストン３１が回転しないように構成されている。
【００５０】
ところで、制御部２５から所定量のパルス信号を、右側のステッピングモータ３５Ｒ、左側のステッピングモータ３５Ｌに与えると、軸３５ａがパルス信号の量（パルス数）に応じた角度分だけ、回転する。上述したパルス数は、駆動部２３Ｒ、２３Ｌを駆動させる際の駆動量である。なお、上述したパルス数は、軸３５ａの回転量に換算することができることから、軸３５ａの回転量を、本願発明の駆動量として扱ってもよい。また、可動部（例えば、ピストン３１）の移動量を、本願発明の駆動量として扱ってもよい。上述した可動部（例えば、ピストン３１）の移動量は、リニアスケール、センサなどを用いて検出してもよい。可動部とは、駆動源（第１の実施形態では、ステッピングモータ３５）が駆動することにより、可動する部分であり、第１の実施形態では、ピストン３１、送りねじ軸が相当する。
【００５１】
なお、上述した右側のステッピングモータ３５Ｒ、左側のステッピングモータ３５Ｌに、ロータリエンコーダを設けてもよい。ロータリエンコーダは、駆動量検出手段として機能する。図１に示すように、ステッピングモータ３５Ｒ、３５Ｌにロータリエンコーダ３９を設けると、パルス数およびパルス数から換算される軸３５ａの回転量を極めて正確に検出することができる。また、パルス数を制御部２５にフィードバックして、駆動部２３を制御することができる。
【００５２】
次に、制御部２５について説明する。制御部２５には、ステッピングモータ３５Ｒ、３５Ｌを制御する制御プログラムが記憶されている。この制御プログラムは、後述するタッチセンサ５１、タッチセンサ５７に対して所定の操作をした場合に、駆動部２３の駆動量が、タッチセンサ５１、タッチセンサ５７の操作により指定される、事前に教示された駆動量となるように、駆動部２３を制御する機能を有している。
【００５３】
次に、操作部４７について説明する。右側のテンプル１９Ｒ、左側のテンプル１９Ｌには、操作部４７が設けられている。操作部４７のうち、右側のテンプル１９には、図４に示すように、電源をオン、オフする電源スイッチ４９、タッチセンサ５１、教示ボタン５３が設けられている。また、操作部４７のうち、左側のテンプル１９Ｌには、図３に示すように、モード切換ボタン５５、タッチセンサ５７、登録ボタン５９が設けられている。
【００５４】
タッチセンサ５１、タッチセンサ５７に触れると、制御部２５に所定の検出信号が入力される。タッチセンサ５１、タッチセンサ５７は、本願発明のスイッチの一例を構成する。スイッチは、上述したタッチセンサの他に、押ボタンスイッチ、近接スイッチなど、他のスイッチであってもよい。
【００５５】
モード切換ボタン５５は、モードの切り替えを行う。上述したモード切換ボタン５５を押すと、視点切り替えモード、一定モード、任意モード、教示モードを切り換えることができる。
【００５６】
視点切り替えモードとは、異なる距離にある複数の視認対象物に対し、個別に焦点距離を切り替えるモードであり、使用者が明瞭に視認対象物を視認できるように、制御部２５が、ステッピングモータ３５Ｒ（駆動部２３Ｒ）、ステッピングモータ３５Ｌ（駆動部２３Ｌ）を制御して、右側の可変焦点レンズ１５Ｒ、左側の可変焦点レンズ１５Ｌの焦点距離を変化させるモードである。一定モードとは、自動車を運転するときのように、焦点距離が変化しては不都合を生じる場合に、焦点距離を一定にするモードである。任意モードとは、任意の位置にある視認対象物に対して、都度、使用者が明瞭に視認対象物を視認できるように、手動制御によって、焦点距離を変化させるモードである。
【００５７】
ところで、使用者の視力は、個々に異なるため、使用者に応じて、所定の距離にある視認対象物が明瞭に見えるようにしなければならない。視認対象物が明瞭に見えるように焦点距離を合わせるために、使用者が事前に教示を行う。教示を行うには、モード切換ボタン５５を押して、教示モードにする。
【００５８】
教示モード時に、使用者が指でタッチセンサ５１に触れると、制御部２５に所定の検出信号が入力される。そして、使用者がタッチセンサ５１から指を離すと、上述した検出信号の入力が停止される。制御部２５は、検出信号が入力されるごとに、右側のステッピングモータ３５Ｒの軸３５ａが正転、逆転を交互に繰り返すように、右側のステッピングモータ３５Ｒを制御する。タッチセンサ５１を触れている間は、軸３５ａの正転または逆転が維持され、指を離すと、停止する。
【００５９】
同様に、教示モード時に、使用者が指でタッチセンサ５７に触れると、制御部２５に所定の検出信号が入力される。そして、使用者がタッチセンサ５７から指を離すと、上述した検出信号の入力が停止される。制御部２５は、検出信号が入力されるごとに、左側のステッピングモータ３５Ｌの軸３５ａが正転、逆転を交互に繰り返すように、左側のステッピングモータ３５Ｌを制御する。タッチセンサ５７を触れている間は、軸３５ａの正転または逆転が維持され、指を離すと、停止する。
【００６０】
教示には、遠近２点を教示する２点教示、３点を教示する３点教示、多点を教示する多点教示などがある。
【００６１】
２点教示について、説明する。最初に、右側の可変焦点レンズ１５Ｒにおける教示の手順を説明する。図１において、使用者が、左側の可変焦点レンズ１５Ｌを手で覆い、第１の距離（例えば、眼鏡フレーム１３から視認対象物ＯＢ１までの距離Ｌ１＝３０ｃｍ）にある視認対象物ＯＢ１を視認する。次に、使用者が、上述したタッチセンサ５１に指で触れて、あるいは指を離して、右側のステッピングモータ３５Ｒを駆動させ、視認対象物ＯＢ１が最も明瞭に視認できるように、右側の可変焦点レンズ１５Ｒの焦点距離を変化させる。そして、教示ボタン５３を押す。この際、右側のステッピングモータ３５Ｒに対する原点からのパルス数Ｎ１が、記憶部６３（制御部２５）に記憶される（記憶部６３は、図６参照）。なお、右側のステッピングモータ３５Ｒに、ロータリエンコーダが設けられている場合には、ロータリエンコーダが検出した原点位置からのパルス数が、記憶部６３（制御部２５）に記憶される。
【００６２】
次に、使用者が、左側の可変焦点レンズ１５Ｌを手で覆い、第２の距離（例えば、眼鏡フレーム１３から視認対象物ＯＢ２までの距離Ｌ２＝１００ｃｍ）にある視認対象物ＯＢ２を視認する。次に、使用者が、上述したタッチセンサ５１に指で触れて、あるいは指を離して、右側のステッピングモータ３５Ｒを駆動させ、視認対象物ＯＢ２が最も明瞭に視認できるように、右側の可変焦点レンズ１５Ｒの焦点距離を変化させる。そして、教示ボタン５３を押す。この際、右側のステッピングモータ３５Ｒに対する原点からのパルス数Ｎ２が、記憶部６３（制御部２５）に記憶される。なお、右側のステッピングモータ３５Ｒに、ロータリエンコーダが設けられている場合には、ロータリエンコーダが検出した原点位置からのパルス数が、記憶部６３（制御部２５）に記憶される。
【００６３】
左側の可変焦点レンズ１５Ｌにおける教示の手順を説明する。図１において、使用者が、右側の可変焦点レンズ１５Ｒを手で覆い、上述した視認対象物ＯＢ１を視認する。次に、使用者が、上述したタッチセンサ５７に指で触れて、あるいは指を離して、左側のステッピングモータ３５Ｌを駆動させ、視認対象物ＯＢ１が最も明瞭に視認できるように、左側の可変焦点レンズ１５Ｌの焦点距離を変化させる。そして、教示ボタン５３を押す。この際、左側のステッピングモータ３５Ｌに対する原点からのパルス数Ｎ３が、記憶部６３（制御部２５）に記憶される。なお、左側のステッピングモータ３５Ｌに、ロータリエンコーダが設けられている場合には、ロータリエンコーダが検出した原点位置からのパルス数が、記憶部６３（制御部２５）に記憶される。
【００６４】
次に、使用者が、右側の可変焦点レンズ１５Ｒを手で覆い、上述した視認対象物ＯＢ２を視認する。次に、使用者が、上述したタッチセンサ５７に指で触れて、あるいは指を離して、左側のステッピングモータ３５Ｌを駆動させ、視認対象物ＯＢ２が最も明瞭に視認できるように、左側の可変焦点レンズ１５Ｌの焦点距離を変化させる。そして、教示ボタン５３を押す。この際、左側のステッピングモータ３５Ｌに対する原点からのパルス数Ｎ４が、記憶部６３（制御部２５）に記憶される。なお、左側のステッピングモータ３５Ｌに、ロータリエンコーダが設けられている場合には、ロータリエンコーダが検出した原点位置からのパルス数が、記憶部６３（制御部２５）に記憶される。
【００６５】
上述したタッチセンサ５１、タッチセンサ５７、教示ボタン５３、記憶部６３（制御部２５）は、教示手段の一例を構成する。なお、ステッピングモータ３５にロータリエンコーダ３９を設けた場合には、タッチセンサ５１、タッチセンサ５７、教示ボタン５３、記憶部６３（制御部２５）、ロータリエンコーダが、本願発明の教示手段の一例を構成する。なお、パルス数Ｎ１、パルス数Ｎ２、パルス数Ｎ３、パルス数Ｎ４に代え、パルス数Ｎ１から換算される回転量Ｒｅｖ１、パルス数Ｎ２から換算される回転量Ｒｅｖ２、パルス数Ｎ３から換算される回転量Ｒｅｖ３、パルス数Ｎ４から換算される回転量Ｒｅｖ４を記憶してもよい。
【００６６】
教示を終えると、制御部２５に記憶されたプログラムにより、タッチセンサの操作とパルス数とが関連づけられる。例えば、タッチセンサに対し、操作Ａを行った場合には、右側のステッピングモータ３５Ｒに対するパルス数をＮ１、左側のステッピングモータ３５Ｌに対するパルス数をＮ３にし、タッチセンサに対し、操作Ｂを行った場合には、右側のステッピングモータ３５Ｒに対するパルス数をＮ２、左側のステッピングモータ３５Ｌに対するパルス数をＮ４にするというように、所定の操作に対し、ステッピングモータ３５Ｒ、３５Ｌに対するパルス数が関連付けられる。つまり、タッチセンサ５１、タッチセンサ５７の操作によって、右側のステッピングモータ３５Ｒに対するパルス数Ｎ１、パルス数Ｎ２、左側のステッピングモータ３５Ｌに対するパルス数Ｎ３、パルス数Ｎ４を指定することができる。タッチセンサ５１、タッチセンサ５７は、パルス数を指定する機能を有している。なお、パルス数Ｎ１、パルス数Ｎ２、パルス数Ｎ３、パルス数Ｎ４に代えて、パルス数Ｎ１から換算される回転量Ｒｅｖ１、パルス数Ｎ２から換算される回転量Ｒｅｖ２、パルス数Ｎ３から換算される回転量Ｒｅｖ３、パルス数Ｎ４から換算される回転量Ｒｅｖ４の各回転量と、スイッチの操作とを関連付けてもよい。
【００６７】
２点教示を行った後、この可変焦点眼鏡１１を、視点切り替えモードで使用する場合には、モード切換ボタン５５を押して、視点切り替えモードにする。モード切換ボタン５５を押して、視点切り替えモードにすると、タッチセンサ５１またはタッチセンサ５７に触るごとに、ステッピングモータ３５のパルス数が、交互に、後述する（１）項、（２）項のパルス数となるように、制御部２５が、右側のステッピングモータ３５Ｒ（駆動部２３Ｒ）、左側のステッピングモータ３５Ｌを、個別に制御する。つまり、第１の実施形態における可変焦点眼鏡１１は、右側の可変焦点レンズ１５Ｒ、左側の可変焦点レンズ１５Ｌ毎に、事前に教示された駆動量を再現することにより、遠近２点の視認対象物ＯＢ１、ＯＢ２に対し、交互に焦点を合わせることができる。その結果、使用者は、タッチセンサ５１またはタッチセンサ５７に触るごとに、遠近２点の視認対象物ＯＢ１、ＯＢ２を、交互に、明瞭に視認することができる。
【００６８】
（１）右側：パルス数Ｎ１、左側：パルス数Ｎ３
（２）右側：パルス数Ｎ２、左側：パルス数Ｎ４
【００６９】
なお、タッチセンサとパルス数との関連付けには、種々の方法がある。例えば、タッチセンサ５１、タッチセンサ５７のうち、どちらか１つのタッチセンサを触るごとに、ステッピングモータ３５Ｒ、３５Ｌのパルス数が、交互に、上述した（１）項、（２）項のパルス数となるように、制御部２５が、右側のステッピングモータ３５Ｒ（駆動部２３Ｒ）、左側のステッピングモータ３５Ｌ（駆動部２３Ｌ）を制御してもよい。
【００７０】
また、タッチセンサ５１を押すと、右側のステッピングモータ３５Ｒのパルス数をパルス数Ｎ１、左側のステッピングモータ３５Ｌのパルス数をパルス数Ｎ３にし、タッチセンサ５７を押すと、右側のステッピングモータ３５Ｒのパルス数をパルス数Ｎ２、左側のステッピングモータ３５Ｌのパルス数をパルス数Ｎ４にするようにしてもよい。なお、パルス数Ｎ１、パルス数Ｎ２、パルス数Ｎ３、パルス数Ｎ４に代えて、パルス数Ｎ１から換算される回転量Ｒｅｖ１、パルス数Ｎ２から換算される回転量Ｒｅｖ２、パルス数Ｎ３から換算される回転量Ｒｅｖ３、パルス数Ｎ４から換算される回転量Ｒｅｖ４の各回転量と、スイッチの操作とを関連付けてもよい。
【００７１】
次に、３点教示について、図１を用いて説明する。教示対象となる視認対象物ＯＢ１、視認対象物ＯＢ２、視認対象物ＯＢ３が、それぞれ、距離Ｌ１、距離Ｌ２、距離Ｌ３にあるものとする。
【００７２】
３点教示は、上述した２点教示と同様の手順に準じて、使用者が教示を行う。右側の可変焦点レンズ１５Ｒでは、視認対象物ＯＢ１が最も明瞭に視認できる際の、右側のステッピングモータ３５Ｒのパルス数Ｎ１（あるいは回転量Ｒｅｖ１）、視認対象物ＯＢ２が最も明瞭に視認できる際の、右側のステッピングモータ３５Ｒのパルス数Ｎ２（あるいは回転量Ｒｅｖ２）、視認対象物ＯＢ３が最も明瞭に視認できる際の、右側のステッピングモータ３５Ｒのパルス数Ｎ３（あるいは回転量Ｒｅｖ３）を、使用者が教示する。これにより、パルス数Ｎ１（あるいは回転量Ｒｅｖ１）、パルス数Ｎ２（あるいは回転量Ｒｅｖ２）、パルス数Ｎ３（あるいは回転量Ｒｅｖ３）が、記憶部６３（制御部２５）に記憶される。
【００７３】
また、左側の可変焦点レンズ１５Ｌでは、視認対象物ＯＢ１が最も明瞭に視認できる際の、左側のステッピングモータ３５Ｌのパルス数Ｎ４（あるいは回転量Ｒｅｖ４）、視認対象物ＯＢ２が最も明瞭に視認できる際の、左側のステッピングモータ３５Ｌのパルス数Ｎ５（あるいは回転量Ｒｅｖ５）、視認対象物ＯＢ３が最も明瞭に視認できる際の、左側のステッピングモータ３５Ｌのパルス数Ｎ６（あるいは回転量Ｒｅｖ６）を、使用者が教示する。これにより、パルス数Ｎ４（あるいは回転量Ｒｅｖ４）、パルス数Ｎ５（あるいは回転量Ｒｅｖ５）、パルス数Ｎ６（あるいは回転量Ｒｅｖ６）が、記憶部６３（制御部２５）に記憶される。なお、ステッピングモータ３５に、ロータリエンコーダが設けられている場合には、ロータリエンコーダが、原点位置からのパルス数を検出する。
【００７４】
３点教示を行った後、この可変焦点眼鏡１１を、視点切り替えモードで使用する場合には、モード切換ボタン５５を押して、視点切り替えモードにする。モード切換ボタン５５を押して、視点切り替えモードにすると、タッチセンサ５１またはタッチセンサ５７に触るごとに、ステッピングモータ３５Ｒ、３５Ｌのパルス数（あるいは回転量）が、順次、後述する（１）、（２）、（３）を繰り返すように、制御部２５が、ステッピングモータ３５を制御する。これにより、タッチセンサ５１またはタッチセンサ５７に触れるだけで、３点の視認対象物ＯＢ１、ＯＢ２、ＯＢ３を、順次、明瞭に視認することができる。
【００７５】
（１）右側：パルス数Ｎ１（回転量Ｒｅｖ１）、左側：パルス数Ｎ４（回転量Ｒｅｖ４）
（２）右側：パルス数Ｎ２（回転量Ｒｅｖ２）、左側：パルス数Ｎ５（回転量Ｒｅｖ５）
（３）右側：パルス数Ｎ３（回転量Ｒｅｖ３）、左側：パルス数Ｎ６（回転量Ｒｅｖ６）
【００７６】
つまり、教示を行うことにより、タッチセンサの操作とパルス数（あるいは回転量）とが関連づけられ、タッチセンサ５１、タッチセンサ５７の操作によって、右側のステッピングモータ３５Ｒのパルス数Ｎ１（回転量Ｒｅｖ１）、パルス数Ｎ２（回転量Ｒｅｖ２）、パルス数Ｎ３（回転量Ｒｅｖ３）、左側のステッピングモータ３５Ｌのパルス数Ｎ４（回転量Ｒｅｖ４）、パルス数Ｎ５（回転量Ｒｅｖ５）、パルス数Ｎ６（回転量Ｒｅｖ６）を指定することができる。
【００７７】
なお、タッチセンサと駆動量との関連付けには、種々の方法がある。例えば、タッチセンサ５１に触るごとに、順次、上述した（１）、（２）、（３）を繰り返すように、制御部２５が、ステッピングモータ３５を制御するようにしてもよい。また、タッチセンサ５７に触るごとに、順次、上述した（１）、（２）、（３）を繰り返すように、制御部２５が、ステッピングモータ３５を制御するようにしてもよい。また、タッチセンサ５１に触るごとに、事前に教示したパルス数のうち、より大きいパルス数となるようにし、タッチセンサ５７に触るごとに、事前に教示したパルス数のうち、より小さいパルス数となるようにしてもよい。
【００７８】
上述した例では、視認対象物が２点、３点である場合について説明したが、４点以上であってもよい。
【００７９】
上記構成によれば、タッチセンサ５１、タッチセンサ５７に対して所定の操作をすると、可変焦点レンズ１５毎（右側の可変焦点レンズ１５Ｒ、左側の可変焦点レンズ１５Ｌ）に設けられた駆動部２３の駆動量が、タッチセンサ５１、タッチセンサ５７の操作によって指定される、可変焦点レンズ１５毎（右側の可変焦点レンズ１５Ｒ、左側の可変焦点レンズ１５Ｌ）に事前に記憶された、所定の距離にある視認対象物を可変焦点眼鏡１１の使用者が明瞭に視認できる際の駆動量となるように、制御部２５が、駆動部２３を個別に制御することができる。この駆動量は、使用者が個別に、視認対象物を明瞭に視認できる際の駆動量であり、使用者により教示されるために、簡単な操作によって、視力の異なる使用者、左右の視力が異なる使用者が、視認対象物を明瞭に視認することができる。したがって、従来例のように、いちいちダイアルを手動で回転させずとも、あるいは片側ずつ、左右の可変焦点レンズの焦点距離を合わせることをせずとも、視力の異なる使用者、左右の視力が異なる使用者自身が、簡単な操作によって、視認対象物を明瞭に視認することができる。その結果、視力の異なる使用者、左右の視力が異なる使用者が、簡単な操作により、異なる距離にある視認対象物を、個別に、明瞭に視認することができる汎用性のある可変焦点眼鏡を提供することができる。
【００８０】
なお、タッチセンサ５１またはタッチセンサ５７を触らなければ、（スイッチ操作をしなければ、）駆動量（パルス数、回転量など）も変わらないので、使用者が明瞭に、特定の視認対象物を視認している際に、他の外乱要素（例えば他の視認対象物が横切る）があっても、駆動量（パルス数、回転量など）が切り替わることがない。このため、視認対象物を安定的に視認することができ、しかも異なった距離にある複数の視認対象物を個別に視認することができる。
【００８１】
また、この可変焦点眼鏡１１は、スイッチとして、タッチセンサを用いている。このため、指で触れるだけで、視認対象物を視認できることができ、操作性のよい可変焦点眼鏡を提供することができる。
【００８２】
なお、レンズの中に液晶などの誘電体材料を封入し、これに電圧を欠けて誘電率を変化させることで屈折率を制御する液晶式可変焦点眼鏡（あるいは液晶式電子眼鏡）と比較しても、一般的には、レンズにおける光の透過率が低くならない。したがって、明度が下がり、使用者の瞳孔径が大きくなって、焦点深度が浅くなり、焦点を合わせ難いということ、使用者に負担をかけてしまうということがない。また、口径を大きく構成できるので、視野が限定されるということもない。
【００８３】
（第１の実施形態における制御部２５の詳細な説明）
第１の実施形態における制御部２５について、図６を用いて、より詳細に説明する。図６に示すように、制御部２５は、ＣＰＵ６１、記憶部６３、所定のインターフェース６５を備えている。ＣＰＵ６１は、記憶部６３に記憶された制御プログラムを読み込んで、各種の処理を行う機能を有する。
【００８４】
記憶部６３は、ＲＡＭ６７、ＲＯＭ６９を備えている。ＲＡＭ６７は、制御プログラム、実行プログラムの一時記憶領域として、種々のフラグ、変数の値などを記憶する機能を有する。また、ＲＯＭ６９には、ステッピングモータ３５を制御する制御プログラム、後述するスイッチの操作により入力される信号を判定して各種制御を実行する実行プログラム、初期データなどが記憶されている。
【００８５】
上述した記憶部６３は、視認対象物を使用者が個別に視認し、視認した視認対象物を、明瞭に視認できる際の、駆動部２３の駆動量（ステッピングモータ３５のパルス数など）を、記憶する機能を有している。上述した駆動量は、使用者が、上述した教示手段によって、教示する。使用者が教示を行うことによって、駆動量が記憶部６３（制御部２５、広くは、可変焦点眼鏡１１）に記憶される。
【００８６】
なお、上述した記憶部６３とは別に、駆動部２３の駆動量を記憶する部分（例えば、図６に示す記憶部７１）を設けてもよい。
【００８７】
（第２の実施形態）
第２の実施形態は、可変焦点眼鏡のうち、電圧印加式可変焦点眼鏡に関するものである。図７は、可変焦点眼鏡１１の平面図、図８は、可変焦点眼鏡の正面図、図９は、図７のＡ方向から見た側面図、図１０は、図７のＢ方向から見た側面図、図１１は、可変焦点眼鏡１１のブロック図である。図７に示すように、可変焦点眼鏡１１は、眼鏡フレーム１３の前面部分を構成し、左右一対の可変焦点レンズ１５を保持するフロント１７、フロント１７に連なるテンプル１９を備えている。第２の実施形態では、一般的な折り曲げ可能な眼鏡と同様に、テンプル１９と、フロント１７とを、ネジを用いて連結して、折り曲げ可能な構造としたが、テンプル１９と、フロント１７とを一体に形成してもよい。
【００８８】
なお、以下の説明では、必要に応じて、左右一対の可変焦点レンズ１５、テンプル１９を、次のように使い分けて説明する。すなわち、左右一対の可変焦点レンズ１５のうち、使用者が可変焦点眼鏡１１をかけた状態で、右側の可変焦点レンズを可変焦点レンズ１５Ｒと称し、左側の可変焦点レンズを可変焦点レンズ１５Ｌと称するものとする。また、使用者が可変焦点眼鏡１１をかけた状態で、右側のテンプルをテンプル１９Ｒと称し、左側のテンプルをテンプル１９Ｌと称するものとする。また、右側のテンプル１９Ｒに設けられた駆動部２３を、駆動部２３Ｒと称し、左側のテンプル１９Ｌに設けられた駆動部２３を、駆動部２３Ｌと称するものとする。
【００８９】
上述した可変焦点レンズ１５は、例えば、再公表特許ＷＯ２００９／０８１５４２のような構成であり、可変焦点レンズ１５に設けられた液晶素子に電圧が印加されると、その電圧に応じて液晶分子の方向が変化することを利用して屈折率を変化させ、焦点距離を変更する、周知の可変焦点レンズである。
【００９０】
右側のテンプル１９Ｒには、右側の可変焦点レンズ１５Ｒの液晶素子に所定の印加電圧を印加する駆動部２３Ｒと、制御部２５に電力を供給する電源供給部２７とが設けられている。また、左側のテンプル１９Ｌには、左側の可変焦点レンズ１５Ｌの液晶素子に所定の印加電圧を印加する駆動部２３Ｌと、駆動部２３Ｒ、２３Ｌを制御する制御部２５とが設けられている。電源供給部２７から供給される電力は、配線２９を経由して、制御部２５、駆動部２３に送電される。上述した配線２９は、エッチング、銅箔の貼り付け等により、フィルム上に形成された配線パターンであってもよい。配線パターンをフィルム上に形成することで、眼鏡フレーム１３を小型化することができる。
【００９１】
次に、駆動部２３について説明する。駆動部２３は、図１１に示すように、駆動制御回路７３、ドライバ７５、７７、可変抵抗回路７９を備えており、可変焦点レンズ１５の液晶素子に所定の印加電圧を印加する電圧印加手段、可変焦点レンズ１５の液晶素子を駆動する駆動手段として機能する。駆動制御回路７３は、可変焦点レンズ１５の液晶素子を駆動するための駆動信号を生成する。ドライバ７５、７７は、駆動制御回路７３で生成された駆動信号を制御して、可変焦点レンズ１５の液晶素子に所定の印加電圧を印加する。可変焦点レンズ１５の液晶素子に印加される印加電圧（印加電圧量）は、本願発明の駆動量の一例を構成する。
【００９２】
ドライバ７５、７７の下流側には、印加電圧を可変する可変抵抗回路７９が設けられており、可変焦点レンズ１５の液晶素子に印加する印加電圧を段階的あるいは連続的に変化させることができる。可変抵抗回路７９を制御して、液晶素子に印加する印加電圧を徐々に高くすると、液晶分子の楕円長軸が徐々に可変焦点レンズの光軸と平行になるように配向して、焦点距離が段階的あるいは連続的に長くなる（屈折率が低くなる）。また、可変抵抗回路７９を制御し、液晶素子に印加する印加電圧を徐々に低くすると、液晶分子の楕円長軸が徐々に元の状態に戻り、焦点距離が段階的あるいは連続的に短くなる（屈折率が高くなる）。
【００９３】
次に、制御部２５について、説明する。制御部２５は、図１１に示すように、ＣＰＵ６１、記憶部６３、所定のインターフェース６５を備えている。ＣＰＵ６１は、記憶部６３に記憶された制御プログラムを読み込んで、各種の処理を行う機能を有する。
【００９４】
記憶部６３は、ＲＡＭ６７、ＲＯＭ６９を備えている。ＲＡＭ６７は、制御プログラム、実行プログラムの一時記憶領域として、種々のフラグ、変数の値などを記憶する機能を有する。また、ＲＯＭ６９には、可変焦点レンズ１５の液晶素子に印加する印加電圧を算出し、駆動部２３を制御する制御プログラム、後述するスイッチの操作により入力される信号を判定して各種制御を実行する実行プログラム、初期データなどが記憶されている。
【００９５】
また、上述した記憶部６３は、視認対象物を使用者が個別に視認し、視認した視認対象物を、明瞭に視認できる際の、駆動部２３の印加電圧を記憶する機能を有している。上述した印加電圧は、使用者が、後述する教示手段によって、教示する。使用者が教示を行うことによって、印加電圧が記憶部６３（制御部２５、広くは、可変焦点眼鏡１１）に記憶される。
【００９６】
なお、上述した記憶部６３とは別に、駆動部２３の印加電圧を記憶する部分（例えば、図６の記憶部７１）を設けてもよい。
【００９７】
次に、操作部４７について説明する。右側のテンプル１９、左側のテンプル１９Ｌには、操作部４７が設けられている。操作部４７のうち、右側のテンプル１９には、図１１に示すように、電源をオン、オフする電源スイッチ４９、タッチセンサ５１、教示ボタン５３が設けられている。また、操作部４７のうち、左側のテンプル１９Ｌには、図１１に示すように、モード切換ボタン５５、タッチセンサ５７、登録ボタン５９が設けられている。
【００９８】
タッチセンサ５１、タッチセンサ５７に触れると、制御部２５に所定の検出信号が入力される。タッチセンサ５１、タッチセンサ５７は、本願発明のスイッチの一例を構成する。スイッチは、上述したタッチセンサの他に、押ボタンスイッチ、近接スイッチなど、他のスイッチであってもよい。
【００９９】
モード切換ボタン５５は、モードの切り替えを行う。上述したモード切換ボタン５５を押すと、視点切り替えモード、一定モード、任意モード、教示モードを切り換えることができる。
【０１００】
視点切り替えモードとは、異なる距離にある複数の視認対象物に対し、個別に焦点距離を切り替えるモードであり、使用者が明瞭に視認対象物を視認できるように、右側の可変焦点レンズ１５Ｒの液晶素子、左側の可変焦点レンズ１５Ｌの液晶素子に印加する印加電圧を制御して、右側の可変焦点レンズ１５Ｒ、左側の可変焦点レンズ１５Ｌの焦点距離を変化させるモードである。一定モードとは、自動車を運転するときのように、焦点距離が変化しては不都合を生じる場合に、焦点距離を一定にするモードである。任意モードとは、任意の位置にある視認対象物に対して、都度、使用者が明瞭に視認対象物を視認できるように、手動制御によって、焦点距離を変化させるモードである。
【０１０１】
ところで、使用者の視力は、個々に異なるため、使用者に応じて、所定の距離にある視認対象物が明瞭に見えるようにしなければならない。視認対象物が明瞭に見えるように焦点距離を合わせるために、使用者が事前に教示を行う。教示を行うには、モード切換ボタン５５を押して、教示モードにする。
【０１０２】
教示モード時に、使用者が指でタッチセンサ５１に触れると、制御部２５に所定の検出信号が入力される。そして、使用者がタッチセンサ５１から指を離すと、上述した検出信号の入力が停止される。制御部２５は、検出信号が入力されるごとに、右側の可変焦点レンズ１５Ｒの液晶素子に印加する印加電圧について、増加、減少を交互に繰り返すように、右側の駆動部２３Ｒを制御する。タッチセンサ５１を触れている間は、印加電圧の増加、減少が維持され、指を離すと、停止する。
【０１０３】
同様に、教示モード時に、使用者が指でタッチセンサ５７に触れると、制御部２５に所定の検出信号が入力される。そして、使用者がタッチセンサ５７から指を離すと、上述した検出信号の入力が停止される。制御部２５は、検出信号が入力されるごとに、左側の可変焦点レンズ１５Ｌの液晶素子に印加する印加電圧について、を増加、減少を交互に繰り返すように、左側の駆動部２３Ｌを制御する。タッチセンサ５７を触れている間は、印加電圧の増加、減少が維持され、指を離すと、停止する。
【０１０４】
教示には、遠近２点を教示する２点教示、３点を教示する３点教示、多点を教示する多点教示などがある。
【０１０５】
２点教示について、説明する。最初に、右側の可変焦点レンズ１５Ｒにおける教示の手順を説明する。図７において、使用者が、左側の可変焦点レンズ１５Ｌを手で覆い、第１の距離（例えば、眼鏡フレーム１３から視認対象物ＯＢ１までの距離Ｌ１＝３０ｃｍ）にある視認対象物ＯＢ１を視認する。次に、使用者が、上述したタッチセンサ５１に指で触れて、あるいは指を離して、右側の駆動部２３Ｒを駆動させ、視認対象物ＯＢ１が最も明瞭に視認できるように、右側の可変焦点レンズ１５Ｒの焦点距離を変化させる。そして、教示ボタン５３を押す。この際、右側の可変焦点レンズ１５Ｒの液晶素子に印加した印加電圧Ｖ１が、記憶部６３（制御部２５）に記憶される。
【０１０６】
次に、使用者が、左側の可変焦点レンズ１５Ｌを手で覆い、第２の距離（例えば、眼鏡フレーム１３から視認対象物ＯＢ２までの距離Ｌ２＝１００ｃｍ）にある視認対象物ＯＢ２を視認する。次に、使用者が、上述したタッチセンサ５１に指で触れて、あるいは指を離して、右側の駆動部２３Ｒを駆動させ、視認対象物ＯＢ２が最も明瞭に視認できるように、右側の可変焦点レンズ１５Ｒの焦点距離を変化させる。そして、教示ボタン５３を押す。この際、右側の可変焦点レンズ１５Ｒの液晶素子に印加した印加電圧Ｖ２が、記憶部６３（制御部２５）に記憶される。
【０１０７】
左側の可変焦点レンズ１５Ｌにおける教示の手順を説明する。図７において、使用者が、右側の可変焦点レンズ１５Ｒを手で覆い、上述した視認対象物ＯＢ１を視認する。次に、使用者が、上述したタッチセンサ５７に指で触れて、あるいは指を離して、左側の駆動部２３Ｌを駆動させ、視認対象物ＯＢ１が最も明瞭に視認できるように、左側の可変焦点レンズ１５Ｌの焦点距離を変化させる。そして、教示ボタン５３を押す。この際、左側の可変焦点レンズ１５Ｌの液晶素子に印加した印加電圧Ｖ３が、記憶部６３（制御部２５）に記憶される。
【０１０８】
次に、使用者が、右側の可変焦点レンズ１５Ｒを手で覆い、上述した視認対象物ＯＢ２を視認する。次に、使用者が、上述したタッチセンサ５７に指で触れて、あるいは指を離して、左側の駆動部２３Ｌを駆動させ、視認対象物ＯＢ２が最も明瞭に視認できるように、左側の可変焦点レンズ１５Ｌの焦点距離を変化させる。そして、教示ボタン５３を押す。この際、左側の可変焦点レンズ１５Ｌの液晶素子に印加した印加電圧Ｖ４が、記憶部６３（制御部２５）に記憶される。
【０１０９】
上述したタッチセンサ５１、タッチセンサ５７、教示ボタン５３、記憶部６３（制御部２５）は、教示手段の一例を構成する。
【０１１０】
教示を終えると、制御部２５に記憶されたプログラムにより、タッチセンサの操作とパルス数とが関連づけられる。例えば、タッチセンサに対し、操作Ａを行った場合には、右側の可変焦点レンズ１５Ｒの液晶素子に対する印加電圧をＶ１、左側の可変焦点レンズ１５Ｌの液晶素子に対する印加電圧をＶ３にし、タッチセンサに対し、操作Ｂを行った場合には、右側の可変焦点レンズ１５Ｒの液晶素子に対する印加電圧をＶ２、左側の可変焦点レンズ１５Ｌの液晶素子に対する印加電圧をＶ４にするというように、所定の操作に対し、各液晶素子に対する印加電圧が関連付けられる。つまり、タッチセンサ５１、タッチセンサ５７の操作によって、右側の可変焦点レンズ１５Ｒの液晶素子に対する印加電圧Ｖ１、印加電圧Ｖ２、左側の可変焦点レンズ１５Ｌの液晶素子に対する印加電圧Ｖ３、印加電圧Ｖ４を指定することができる。タッチセンサ５１、タッチセンサ５７は、印加電圧を指定する機能を有している。
【０１１１】
２点教示を行った後、この可変焦点眼鏡１１を、視点切り替えモードで使用する場合には、モード切換ボタン５５を押して、視点切り替えモードにする。モード切換ボタン５５を押して、視点切り替えモードにすると、タッチセンサ５１またはタッチセンサ５７に触るごとに、右側の可変焦点レンズ１５Ｒの液晶素子、左側の可変焦点レンズ１５Ｌの液晶素子に対する印加電圧が、交互に、後述する（１）項、（２）項の印加電圧となるように、制御部２５が、右側の駆動部２３Ｒ、左側の駆動部２３Ｌを制御する。つまり、第２の実施形態の可変焦点眼鏡１１は、右側の可変焦点レンズ１５Ｒ、左側の可変焦点レンズ１５Ｌ毎に、事前に教示された印加電圧を再現することにより、遠近２点の視認対象物ＯＢ１、ＯＢ２に対し、交互に焦点を合わせることができる。その結果、使用者は、タッチセンサ５１またはタッチセンサ５７に触るごとに、遠近２点の視認対象物ＯＢ１、ＯＢ２を、交互に、明瞭に視認することができる。
【０１１２】
（１）右側：印加電圧Ｖ１、左側：印加電圧Ｖ３
（２）右側：印加電圧Ｖ２、左側：印加電圧Ｖ４
【０１１３】
なお、タッチセンサと印加電圧との関連付けには、種々の方法がある。例えば、タッチセンサ５１、タッチセンサ５７のうち、どちらか１つのタッチセンサを触るごとに、右側の可変焦点レンズ１５Ｒの液晶素子、左側の可変焦点レンズ１５Ｌの液晶素子に対する印加電圧が、交互に、上述した（１）項、（２）項の印加電圧となるように、制御部２５が、駆動部２３Ｒ、２３Ｌを制御してもよい。
【０１１４】
また、タッチセンサ５１を押すと、右側の可変焦点レンズ１５Ｒの液晶素子に対する印加電圧を印加電圧Ｖ１、左側の可変焦点レンズ１５Ｌの液晶素子に対する印加電圧を印加電圧Ｖ３にし、タッチセンサ５７を押すと、右側の可変焦点レンズ１５Ｒの液晶素子に対する印加電圧を印加電圧Ｖ２、左側の可変焦点レンズ１５Ｌの液晶素子に対する印加電圧を印加電圧Ｖ４にするようにしてもよい。
【０１１５】
次に、３点教示について、図７を用いて説明する。教示対象となる視認対象物ＯＢ１、視認対象物ＯＢ２、視認対象物ＯＢ３が、それぞれ、距離Ｌ１、距離Ｌ２、距離Ｌ３にあるものとする。
【０１１６】
３点教示は、上述した２点教示と同様の手順に準じて、使用者が教示を行う。右側の可変焦点レンズ１５Ｒでは、視認対象物ＯＢ１が最も明瞭に視認できる際の、右側の可変焦点レンズ１５Ｒの液晶素子に対する印加電圧Ｖ１、視認対象物ＯＢ２が最も明瞭に視認できる際の、右側の可変焦点レンズ１５Ｒの液晶素子に対する印加電圧Ｖ２、視認対象物ＯＢ３が最も明瞭に視認できる際の、右側の可変焦点レンズ１５Ｒの液晶素子に対する印加電圧Ｖ３を、使用者が教示する。これにより、印加電圧Ｖ１、印加電圧Ｖ２、印加電圧Ｖ３が、記憶部６３（制御部２５）に記憶される。
【０１１７】
また、左側の可変焦点レンズ１５Ｌでは、視認対象物ＯＢ１が最も明瞭に視認できる際の、左側の可変焦点レンズ１５Ｌの液晶素子に対する印加電圧Ｖ４、視認対象物ＯＢ２が最も明瞭に視認できる際の、左側の可変焦点レンズ１５Ｌの液晶素子に対する印加電圧Ｖ５、視認対象物ＯＢ３が最も明瞭に視認できる際の、左側の可変焦点レンズ１５Ｌの液晶素子に対する印加電圧Ｖ６を、使用者が教示すると、印加電圧Ｖ４、印加電圧Ｖ５、印加電圧Ｖ６が、記憶部６３（制御部２５）に記憶される。
【０１１８】
３点教示を行った後、この可変焦点眼鏡１１を、視点切り替えモードで使用する場合には、モード切換ボタン５５を押して、視点切り替えモードにする。モード切換ボタン５５を押して、視点切り替えモードにすると、タッチセンサ５１またはタッチセンサ５７に触るごとに、右側の可変焦点レンズ１５Ｒの液晶素子、左側の可変焦点レンズ１５Ｌの液晶素子に対する印加電圧が、順次、（１）、（２）、（３）を繰り返すように、制御部２５が、駆動部２３を制御する。これにより、タッチセンサ５１またはタッチセンサ５７に触れるだけで、３点の視認対象物ＯＢ１、ＯＢ２、ＯＢ３を、順次、明瞭に視認することができる。
【０１１９】
（１）右側：印加電圧Ｖ１、左側：印加電圧Ｖ４
（２）右側：印加電圧Ｖ２、左側：印加電圧Ｖ５
（３）右側：印加電圧Ｖ３、左側：印加電圧Ｖ６
【０１２０】
つまり、教示を行うことにより、タッチセンサの操作と印加電圧とが関連づけられ、タッチセンサ５１、タッチセンサ５７の操作によって、右側の可変焦点レンズ１５Ｒの液晶素子に対する印加電圧Ｖ１、印加電圧Ｖ２、印加電圧Ｖ３、左側の可変焦点レンズ１５Ｌの液晶素子に対する印加電圧Ｖ４、印加電圧Ｖ５、印加電圧Ｖ６を指定することができる。
【０１２１】
なお、タッチセンサと印加電圧との関連付けには、種々の方法がある。例えば、タッチセンサ５１に触るごとに、順次、上述した（１）、（２）、（３）を繰り返すように、制御部２５が、駆動部２３を制御するようにしてもよい。また、タッチセンサ５７に触るごとに、順次、上述した（１）、（２）、（３）を繰り返すように、制御部２５が、駆動部２３を制御するようにしてもよい。また、タッチセンサ５１に触るごとに、事前に教示した印加電圧のうち、より大きい印加電圧となるようにし、タッチセンサ５７に触るごとに、事前に教示した印加電圧のうち、より小さい印加電圧となるようにしてもよい。
【０１２２】
上述した例では、視認対象物が２点、３点である場合について説明したが、４点以上であってもよい。
【０１２３】
上記構成によれば、タッチセンサ５１、タッチセンサ５７に対して所定の操作をすると、右側の可変焦点レンズ１５Ｒの液晶素子に対する印加電圧、左側の可変焦点レンズ１５Ｌの液晶素子に対する印加電圧が、タッチセンサ５１、タッチセンサ５７の操作によって指定される、可変焦点レンズ１５毎（右側の可変焦点レンズ１５Ｒ、左側の可変焦点レンズ１５Ｌ）に事前に記憶された、所定の距離にある視認対象物を可変焦点眼鏡の使用者が明瞭に視認できる際の印加電圧（駆動量）となるように、制御部２５が、駆動部２３Ｒ、２３Ｌを個別に制御することができる。この駆動量は、使用者が個別に、視認対象物を明瞭に視認できる際の印加電圧（駆動量）であるために、簡単な操作によって、視力の異なる使用者、左右の視力が異なる使用者が、視認対象物を明瞭に視認することができる。したがって、従来例のように、いちいちダイアルを手動で回転させずとも、あるいは片側ずつ、左右の可変焦点レンズの焦点距離を合わせることをせずとも、視力の異なる使用者、左右の視力が異なる使用者自身が、簡単な操作によって、視認対象物を明瞭に視認することができる。その結果、視力の異なる使用者、左右の視力が異なる使用者が、簡単な操作により、異なる距離にある視認対象物を、個別に、明瞭に視認することができる汎用性のある可変焦点眼鏡を提供することができる。
【０１２４】
また、タッチセンサ５１またはタッチセンサ５７を触らなければ、（スイッチ操作をしなければ、）印加電圧（駆動量）も変わらないので、使用者が明瞭に、特定の視認対象物を視認している際に、他の外乱要素（例えば他の視認対象物が横切る）があっても、印加電圧（駆動量）が切り替わることがない。このため、視認対象物を安定的に視認することができ、しかも異なった距離にある複数の視認対象物を個別に視認することができる。
【０１２５】
また、この可変焦点眼鏡１１は、スイッチとして、タッチセンサを用いている。このため、指で触れるだけで、視認対象物を視認できることができ、操作性のよい可変焦点眼鏡を提供することができる。
【０１２６】
（第３の実施形態）
第３の実施形態は、第１の実施形態で説明した液体式可変焦点眼鏡において、任意の距離にある視認対象物に、右側の可変焦点レンズ１５Ｒ、左側の可変焦点レンズ１５Ｌ毎に、片側ずつ、焦点距離を合わせる実施例である。以下、焦点距離を合わせる手順について、説明する。任意の距離にある視認対象物に焦点距離を合わせるには、モード切換ボタン５５を押して、任意モードにする。
【０１２７】
任意モード時に、使用者が指でタッチセンサ５１に触れると、制御部２５に、所定の検出信号が入力される。そして、使用者がタッチセンサ５１から指を離すと、検出信号の入力が停止される。その際、制御部２５に検出信号が入力される毎に、右側のステッピングモータ３５Ｒの軸３５ａが正転、逆転を交互に繰り返すように、制御部２５が、右側のステッピングモータ３５Ｒを制御する。タッチセンサ５１に触れている間は、軸３５ａの正転または逆転が維持され、指を離すと、停止する。
【０１２８】
同様に、任意モード時に、使用者が指でタッチセンサ５７に触れると、制御部２５に、所定の検出信号が入力される。そして、使用者がタッチセンサ５７から指を離すと、検出信号の入力が停止される。その際、検出信号が入力される毎に、左側のステッピングモータ３５Ｌの軸３５ａが正転、逆転を交互に繰り返すように、制御部２５が、左側のステッピングモータ３５Ｌを制御する。タッチセンサ５７に触れている間は、軸３５ａの正転または逆転が維持され、指を離すと、停止する。
【０１２９】
上述した操作により、使用者が、上述したタッチセンサ５１、５７に指で触れて、あるいは指を離して、右側の駆動部２３Ｒ、左側の駆動部２３Ｌを駆動させて、任意の距離にある視認対象物が最も明瞭に視認できるようにすることができる。
【０１３０】
これによれば、使用者が明瞭に、任意の視認対象物を視認できるように、可変焦点レンズ１５の焦点距離を変えることができる。この可変焦点眼鏡１１は、タッチセンサにより、焦点距離を変えることができるために、従来例のように、いちいちダイアルを手動で回転させずともよい。その結果、焦点調整の煩わしさを解消することができる可変焦点眼鏡を提供することができる。
【０１３１】
（第４の実施形態）
第４の実施形態は、第２の実施形態で説明した電圧印加式可変焦点眼鏡において、任意の距離にある視認対象物に、右側の可変焦点レンズ１５Ｒ、左側の可変焦点レンズ１５Ｌ毎に、片側ずつ、焦点距離を合わせる実施例である。以下、焦点距離を合わせる手順について、説明する。任意の距離にある視認対象物に焦点距離を合わせるには、モード切換ボタン５５を押して、任意モードにする。
【０１３２】
任意モード時に、使用者が指でタッチセンサ５１に触れると、制御部２５に、所定の検出信号が入力される。そして、使用者がタッチセンサ５１から指を離すと、検出信号の入力が停止される。その際、検出信号が入力される毎に、右側の可変焦点レンズ１５Ｒの液晶素子に印加する印加電圧が、交互に、増加、減少を繰り返すように、制御部２５が、右側の駆動部２３Ｒを制御する。タッチセンサ５１に触れている間は、印加電圧の増加、減少が維持され、指を離すと、停止する。
【０１３３】
同様に、任意モード時に、使用者が指でタッチセンサ５７に触れると、制御部２５に、所定の検出信号が入力される。そして、使用者がタッチセンサ５７から指を離すと、検出信号の入力が停止される。その際、検出信号が入力される毎に、左側の可変焦点レンズ１５Ｌの液晶素子に印加する印加電圧が、交互に、増加、減少を繰り返すように、制御部２５が、左側の駆動部２３Ｌを制御する。タッチセンサ５７に触れている間は、印加電圧の増加、減少が維持され、指を離すと、停止する。
【０１３４】
上述した操作により、使用者が、上述したタッチセンサ５１、５７に指で触れて、あるいは指を離して、右側の駆動部２３Ｒ、左側の駆動部２３Ｌを駆動させて、任意の距離にある視認対象物が最も明瞭に視認できるようにすることができる。
【０１３５】
これによれば、任意モードで使用する場合、使用者が明瞭に、任意の視認対象物を視認できるように、可変焦点レンズ１５の焦点距離を変えることができる。この可変焦点眼鏡１１は、タッチセンサにより、焦点距離を変えることができるために、従来例のように、いちいちダイアルを手動で回転させずともよい。その結果、焦点調整の煩わしさを解消することができる可変焦点眼鏡を提供することができる。
【０１３６】
（第５の実施形態）
第３の実施形態では、任意の距離にある視認対象物に対し、右側の可変焦点レンズ１５Ｒ、左側の可変焦点レンズ１５Ｌ毎に、片側ずつ、焦点距離を合わせたが、第５の実施形態では、任意の距離にある視認対象物に対し、右側の可変焦点レンズ１５Ｒ、左側の可変焦点レンズ１５Ｌの焦点距離を、同時に合わせるようにした。焦点距離を同時に合わせるには、事前に、教示を行う。教示は、２点教示、３点教示、多点教示のいずれであってもよいが、ここでは、第１の実施形態で説明した２点教示を行うものとする。教示する２点として、第１の距離（眼鏡フレーム１３から視認対象物ＯＢ１までの距離Ｌ１＝３０ｃｍ）にある視認対象物ＯＢ１、第２の距離（可変焦点眼鏡１１から視認対象物ＯＢ２までの距離Ｌ２＝１００ｃｍ）にある視認対象物ＯＢ２を想定する。また、任意の視認対象物ＯＢ３は、一例として、上述した視認対象物ＯＢ１と、視認対象物ＯＢ２の中間点（眼鏡フレーム１３から任意の視認対象物までの距離Ｌ３＝６５ｃｍ）にあるものと仮定して説明する。（図１参照）
【０１３７】
教示を行うと、第１の距離にある視認対象物ＯＢ１が明確に見える際の、右側のステッピングモータ３５Ｒのパルス数Ｎ１、左側のステッピングモータ３５Ｌのパルス数Ｎ３と、第２の距離にある視認対象物ＯＢ２が明確に見える際の、右側のステッピングモータ３５Ｒのパルス数Ｎ２、左側のステッピングモータ３５Ｌのパルス数Ｎ４とが、記憶部６３に記憶される。２点教示を行った後、モード切換ボタン５５を押して、任意モードにする。
【０１３８】
任意モードにおいて、任意の視認対象物に焦点距離を合わせるには、使用者がタッチセンサ５１、タッチセンサ５７を操作して、焦点距離を合わせる操作を行う。タッチセンサ５１を押すと、焦点距離が次第に長くなるように、また、タッチセンサ５７を押すと、焦点距離が次第に短くなるように、制御部２５が右側のステッピングモータ３５Ｒの駆動量、左側のステッピングモータ３５Ｌの駆動量を制御する。
【０１３９】
ところで、任意の視認対象物ＯＢ３を明確に見られる際の、右側のステッピングモータ３５Ｒのパルス数ＮＲ、左側のステッピングモータ３５Ｌのパルス数ＮＬを得るには、一定の計算式を用いる。この計算式は、可変焦点レンズのレンズ形状、駆動部の制御方法などによって異なるので、個々の可変焦点眼鏡に最も適した計算式が用いられる。
【０１４０】
第５の実施形態では、ステッピングモータの駆動量と、視認対象物までの距離とからなる計算式を用いるものとし、一例として、（式１）、（式２）を適用する。（式１）は、（ｘ１，ｙ１）＝（距離Ｌ１，パルス数Ｎ１）、（ｘ２，ｙ２）＝（距離Ｌ２，パルス数Ｎ２）を通過する計算式である。（式２）は、（ｘ１，ｙ１）＝（距離Ｌ１，パルス数Ｎ３）、（ｘ２，ｙ２）＝（距離Ｌ２，パルス数Ｎ４）を通過する計算式である。（式１）、（式２）の計算式を、図１２に示す。
【０１４１】
（式１）  NＲ＝ａ１×（Ｌｎ−Ｌ１）＋Ｎ１
（式２）  NＬ＝ａ２×（Ｌｎ−Ｌ１）＋Ｎ３
【０１４２】
（式１）におけるａ１は、右側のステッピングモータ３５Ｒに対する単位距離当たりのパルス数増分である。（式２）におけるａ２は、左側のステッピングモータ３５Ｌに対する単位距離当たりのパルス数増分である。（式１）におけるａ１、（式２）におけるａ２は、（式３）、（式４）により算出される。
【０１４３】
（式３）  ａ１＝（Ｎ２−Ｎ１）／（Ｌ２−Ｌ１）
（式４）  ａ２＝（Ｎ４−Ｎ３）／（Ｌ２−Ｌ１）
【０１４４】
上述した（式１）、（式２）に、（式３）、（式４）を、それぞれ、代入すると、（式５）、（式６）を得ることができる。
【０１４５】
（式５）  NＲ＝（Ｎ２−Ｎ１）×（Ｌｎ−Ｌ１）／（Ｌ２−Ｌ１）＋Ｎ１
（式６）  NＬ＝（Ｎ４−Ｎ３）×（Ｌｎ−Ｌ１）／（Ｌ２−Ｌ１）＋Ｎ３
ただし、
NＲ：任意の視認対象物ＯＢ３を、明瞭に視認できる際の、右側のステッピングモータ３５Ｒのパルス数（パルス）
NＬ：任意の視認対象物ＯＢ３を、明瞭に視認できる際の、左側のステッピングモータ３５Ｌのパルス数（パルス）
Ｎ１：第１の距離にある視認対象物ＯＢ１を、明瞭に視認できる際の、右側のステッピングモータ３５Ｒのパルス数（パルス）
Ｎ２：第２の距離にある視認対象物ＯＢ２を、明瞭に視認できる際の、右側のステッピングモータ３５Ｒのパルス数（パルス）
Ｎ３：第１の距離にある視認対象物ＯＢ１を、明瞭に視認できる際の、左側のステッピングモータ３５Ｌのパルス数（パルス）
Ｎ４：第２の距離にある視認対象物ＯＢ２を、明瞭に視認できる際の、左側のステッピングモータ３５Ｌのパルス数（パルス）
Ｌｎ：任意の視認対象物ＯＢ３までの距離（ｃｍ）
Ｌ１：第１の距離にある視認対象物ＯＢ１までの距離（ｃｍ）
Ｌ２：第２の距離にある視認対象物ＯＢ２までの距離（ｃｍ）
【０１４６】
作動について、説明する。任意の視認対象物ＯＢ３よりも、手前側（視認対象物ＯＢ１側）に焦点距離が合っている状態で、使用者がタッチセンサ５１を操作すると、焦点距離が次第に長くなる。この際、制御部２５が、上記計算式に基づき、焦点距離に応じたパルス数ＮＲ、ＮＬとなるように、右側のステッピングモータ３５Ｒ、左側のステッピングモータ３５Ｌを、同時に制御する。そして、任意の距離にある視認対象物ＯＢ３に、焦点距離が合うと、使用者は、任意の視認対象物ＯＢ３を、明瞭に、視認することができる。
【０１４７】
因みに、距離Ｌ１＝３０ｃｍ、Ｌ２＝１００ｃｍ、Ｌｎ＝６５ｃｍ、Ｎ１＝６００パルス、Ｎ２＝２０００パルスとすると、右側のステッピングモータ３５Ｒのパルス数ＮＲは、１３００パルスとなる。
【０１４８】
また、距離Ｌ１＝３０ｃｍ、Ｌ２＝１００ｃｍ、Ｌｎ＝６５ｃｍ、Ｎ３＝７００パルス、Ｎ４＝２４００パルスとすると、左側のステッピングモータ３５Ｌのパルス数ＮＬは、１５５０パルスとなる。
【０１４９】
なお、任意の視認対象物ＯＢ３よりも、奥側（視認対象物ＯＢ２側）に焦点距離が合っている状態で、タッチセンサ５７を押して、焦点距離が、次第に短くなるようにしても、任意の視認対象物ＯＢ３に焦点距離が合うようにできる。詳細な説明は、省略する。
【０１５０】
上述した例では、計算式において、パルス数Ｎ１、パルス数Ｎ２、パルス数Ｎ３、パルス数Ｎ４を用いたが、これに代えて、パルス数Ｎ１から換算される回転量Ｒｅｖ１、パルス数Ｎ２から換算される回転量Ｒｅｖ２、パルス数Ｎ３から換算される回転量Ｒｅｖ３、パルス数Ｎ４から換算される回転量Ｒｅｖ４の各回転量を用いてもよい。
【０１５１】
これによれば、使用者が、任意の視認対象物に対し、右側の可変焦点レンズ１５Ｒの焦点距離、左側の可変焦点レンズ１５Ｌの焦点距離を、同時に合わせることができるため、任意の視認対象物に対し、右側の可変焦点レンズ１５Ｒ、左側の可変焦点レンズ１５Ｌの焦点距離を、片側ずつ合わせる必要がない。その結果、焦点調整の煩わしさを解消することができる可変焦点眼鏡を提供することができる。
【０１５２】
（第６の実施形態）
第４の実施形態では、任意の距離にある視認対象物に対し、右側の可変焦点レンズ１５Ｒ、左側の可変焦点レンズ１５Ｌ毎に、片側ずつ、焦点距離を合わせたが、第６の実施形態では、任意の距離にある視認対象物に対し、右側の可変焦点レンズ１５Ｒ、左側の可変焦点レンズ１５Ｌの焦点距離を、同時に合わせるようにした。焦点距離を同時に合わせるには、事前に、教示を行う。教示は、２点教示、３点教示、多点教示のいずれであってもよいが、ここでは、第２の実施形態で説明した２点教示を行うものとする。教示する２点として、第１の距離（眼鏡フレーム１３から視認対象物ＯＢ１までの距離Ｌ１＝３０ｃｍ）にある視認対象物ＯＢ１、第２の距離（可変焦点眼鏡１１から視認対象物ＯＢ２までの距離Ｌ２＝１００ｃｍ）にある視認対象物ＯＢ２を想定する。また、任意の視認対象物ＯＢ３は、一例として、上述した視認対象物ＯＢ１と、視認対象物ＯＢ２の中間点（眼鏡フレーム１３から任意の視認対象物までの距離Ｌ３＝６５ｃｍ）にあるものと仮定して説明する。（図１３参照）
【０１５３】
教示を行うと、第１の距離にある視認対象物ＯＢ１が明確に見える際の、右側の可変焦点レンズ１５Ｒの液晶素子に対する印加電圧Ｖ１、左側の可変焦点レンズ１５Ｌの液晶素子に対する印加電圧Ｖ３と、第２の距離にある視認対象物ＯＢ２が明確に見える際の、右側の可変焦点レンズ１５Ｒの液晶素子に対する印加電圧Ｖ２、左側の可変焦点レンズ１５Ｌの液晶素子に対する印加電圧Ｖ４とが、記憶部６３に記憶される。２点教示を行った後、モード切換ボタン５５を押して、任意モードにする。
【０１５４】
任意モードにおいて、任意の視認対象物に焦点距離を合わせるには、使用者がタッチセンサ５１、タッチセンサ５７を操作して、焦点距離を合わせる操作を行う。タッチセンサ５１を押すと、焦点距離が次第に長くなるように、また、タッチセンサ５７を押すと、焦点距離が次第に短くなるように、制御部２５が、右側の可変焦点レンズ１５Ｒの液晶素子に対する印加電圧、左側の可変焦点レンズ１５Ｌの液晶素子に対する印加電圧を制御する。
【０１５５】
ところで、任意の視認対象物ＯＢ３を明確に見られる際の、右側の可変焦点レンズ１５Ｒの液晶素子に対する印加電圧ＶＲ、左側の可変焦点レンズ１５Ｌの液晶素子に対する印加電圧ＶＬを得るには、一定の計算式を用いる。この計算式は、可変焦点レンズのレンズ形状、駆動部の制御方法などによって異なるので、個々の可変焦点眼鏡に最も適した計算式が用いられる。
【０１５６】
第６の実施形態では、可変焦点レンズの液晶素子に対する印加電圧と、視認対象物までの距離とからなる計算式を用いるものとし、一例として、（式１）、（式２）を適用する。（式１）は、（ｘ１，ｙ１）＝（距離Ｌ１，印加電圧Ｖ１）、（ｘ２，ｙ２）＝（距離Ｌ２，印加電圧Ｖ２）を通過する計算式である。（式２）は、（ｘ１，ｙ１）＝（距離Ｌ１，印加電圧Ｖ３）、（ｘ２，ｙ２）＝（距離Ｌ２，印加電圧Ｖ４）を通過する計算式である。（式１）、（式２）の計算式を、図１３に示す。
【０１５７】
（式１）  ＶＲ＝ａ１×（Ｌｎ−Ｌ１）＋Ｖ１
（式２）  ＶＬ＝ａ２×（Ｌｎ−Ｌ１）＋Ｖ３
【０１５８】
（式１）におけるａ１は、右側の可変焦点レンズ１５Ｒの液晶素子に対する単位距離当たりの印加電圧増分である。（式２）におけるａ２は、右側の可変焦点レンズ１５Ｒの液晶素子に対する単位距離当たりの印加電圧増分である。（式１）におけるａ１、（式２）におけるａ２は、（式３）、（式４）により算出される。
【０１５９】
（式３）  ａ１＝（Ｖ２−Ｖ１）／（Ｌ２−Ｌ１）
（式４）  ａ２＝（Ｖ４−Ｖ３）／（Ｌ２−Ｌ１）
【０１６０】
上述した（式１）、（式２）に、（式３）、（式４）を、それぞれ、代入すると、（式５）、（式６）を得ることができる。
【０１６１】
（式５）  ＶＲ＝（Ｖ２−Ｖ１）×（Ｌｎ−Ｌ１）／（Ｌ２−Ｌ１）＋Ｖ１
（式６）  ＶＬ＝（Ｖ４−Ｖ３）×（Ｌｎ−Ｌ１）／（Ｌ２−Ｌ１）＋Ｖ３
ただし、
ＶＲ：任意の視認対象物ＯＢ３を、明瞭に視認できる際の、右側の可変焦点レンズ１５Ｒの液晶素子に対する印加電圧（ボルト）
ＶＬ：任意の視認対象物ＯＢ３を、明瞭に視認できる際の、左側の可変焦点レンズ１５Ｌの液晶素子に対する印加電圧（ボルト）
Ｖ１：第１の距離にある視認対象物ＯＢ１を、明瞭に視認できる際の、右側の可変焦点レンズ１５Ｒの液晶素子に対する印加電圧（ボルト）
Ｖ２：第２の距離にある視認対象物ＯＢ２を、明瞭に視認できる際の、右側の可変焦点レンズ１５Ｒの液晶素子に対する印加電圧（ボルト）
Ｖ３：第１の距離にある視認対象物ＯＢ１を、明瞭に視認できる際の、左側の可変焦点レンズ１５Ｌの液晶素子に対する印加電圧（ボルト）
Ｖ４：第２の距離にある視認対象物ＯＢ２を、明瞭に視認できる際の、左側の可変焦点レンズ１５Ｌの液晶素子に対する印加電圧（ボルト）
Ｌｎ：任意の視認対象物ＯＢ３までの距離（ｃｍ）
Ｌ１：第１の距離にある視認対象物ＯＢ１までの距離（ｃｍ）
Ｌ２：第２の距離にある視認対象物ＯＢ２までの距離（ｃｍ）
【０１６２】
作動について、説明する。任意の視認対象物ＯＢ３よりも、手前側（視認対象物ＯＢ１側）に焦点距離が合っている状態で、使用者がタッチセンサ５１を操作すると、焦点距離が次第に長くなる。この際、制御部２５が、上記計算式に基づき、焦点距離に応じた印加電圧ＶＲ、ＶＬとなるように、右側の可変焦点レンズ１５Ｒの液晶素子に対する印加電圧、左側の可変焦点レンズ１５Ｌの液晶素子に対する印加電圧を、同時に制御する。そして、任意の距離にある視認対象物ＯＢ３に、焦点距離が合うと、使用者は、任意の視認対象物ＯＢ３を、明瞭に、視認することができる。
【０１６３】
なお、任意の視認対象物ＯＢ３よりも、奥側（視認対象物ＯＢ２側）に焦点距離が合っている状態で、タッチセンサ５７を押して、焦点距離が、次第に短くなるようにしても、任意の視認対象物ＯＢ３に焦点距離が合うようにできる。詳細な説明は、省略する。
【０１６４】
これによれば、使用者が、任意の視認対象物に対し、右側の可変焦点レンズ１５Ｒの焦点距離、左側の可変焦点レンズ１５Ｌの焦点距離を、同時に合わせることができるため、任意の視認対象物に対し、右側の可変焦点レンズ１５Ｒ、左側の可変焦点レンズ１５Ｌの焦点距離を、片側ずつ合わせる必要がない。その結果、焦点調整の煩わしさを解消することができる可変焦点眼鏡を提供することができる。
【０１６５】
（第７の実施形態）
第１実施形態では、ピストン、送りねじ軸、ステッピングモータを用いた回転−直線運動変換機構としたが、ラック・アンド・ピニオン機構としてもよい。なお、図１と同様の部分については、同じ番号を付し、詳細な説明は省略する。
【０１６６】
以下、左側のテンプル１９Ｌに設けられる駆動部２３Ｌについて説明する。右側のテンプル１９に設けられる駆動部２３Ｒについては、左側のテンプル１９Ｌに設けられる駆動部２３Ｌと同様であるために、詳細な説明を省略する。図１４は、左側のフロントおよびテンプル１９の拡大図である。図１５は、図１４のＦ−Ｆ断面図である。図１６は、図１４のＧ−Ｇ断面図である。図１４に示すように、駆動部８１は、ピストン８３、歯車８５、ステッピングモータ３５を備えている。
【０１６７】
テンプル１９には、内径部１９ａが形成されており、この内径部１９ａに、ピストン８３が内蔵されている。内径部１９ａのうち、少なくとも、ピストン８３が摺動する部分は、円筒状に形成されており、ピストン８３と内径部１９ａとで、透明液体２１を貯留する貯留室３７が形成される。ピストン８３には、歯切り部８３ａが形成されており、歯車８５が噛み合っている。つまり、ピストン８３と、歯車８５とで、ラック・アンド・ピニオン機構が構成され、ラックに相当する部分がピストン８３であるために、駆動部を小型化することができる。
【０１６８】
歯車８５の内径部８５ａには、ステッピングモータ３５の軸３５ａが圧入されており、軸３５ａが回転すると、ピストン３１が軸方向に移動する。ステッピングモータ３５の軸３５ａが軸３５ａ側の反対側から軸３５ａの方向に見て時計方向に回転すると、ピストン３１が、図１４に示すＤ方向に移動する。この際、貯留室３７に貯留された透明液体２１が、連通路１３ａ、孔部１５ｆを経由して、空間１５ｅ側に移動する。空間１５ｅ側に透明液体２１が流入すると、可変焦点レンズ１５が厚さ方向に膨らんで、屈折率を高くすることができる（焦点距離を短くすることができる）。
【０１６９】
また、ステッピングモータ３５の軸３５ａが、軸３５ａ側の反対側から軸３５ａの方向に見て反時計方向に回転すると、ピストン３１が、図１４に示すＥ方向に移動する。この際、空間１５ｅに貯留された透明液体２１が、孔部１５ｆ、連通路１３ａを経由して、貯留室３７側に移動する。貯留室３７側に透明液体２１が移動すると、可変焦点レンズ１５が厚さ方向に縮んで、屈折率を低くすることができる（焦点距離を長くすることができる）。
【０１７０】
上記構成によれば、焦点調整の煩わしさを解消することができる可変焦点眼鏡を提供することができる。また、駆動部を小型化することができるので、可変焦点眼鏡１１をコンパクトに構成できる。
【０１７１】
（第８の実施形態）
上述した各実施形態では、制御部、電源供給部、操作部を、眼鏡フレームに内蔵したが、制御部、電源供給部、操作部を眼鏡フレームと別体に設けてもよい。図１７に示すように、リモートコントローラ８７を設け、眼鏡フレーム１３とリモートコントローラ８７とを、信号線を含む電源ケーブル８９で接続する構成とした。リモートコントローラ８７には、制御部２５、電源供給部２７、操作部９１が設けられる。なお、駆動部、制御部（図９の番号２５）は、第１の実施形態と同様の構成であるものとして、説明する。
【０１７２】
電源供給部２７は、制御部２５に電力を供給し、かつ駆動部２３を駆動する。電源ケーブル８９は、上述したように、信号先を含む電源ケーブルであり、伸び縮みできるように、らせん状に形成されている。また、操作部９１は、液晶画面を用いたタッチパネルとした。操作部９１は、第１の実施形態で説明した操作部４７に相当し、第１の実施形態で説明した各種事前設定、モード切換等を行うことができる。
【０１７３】
上記構成によれば、制御部２５、電源供給部２７、操作部９１を眼鏡フレームと別体に設けたので、制御部、電源供給部、操作部の全てを眼鏡フレームに搭載する場合に比べて、眼鏡フレームの重量を軽くすることができ、掛け心地のよい可変焦点眼鏡を提供することができる。
【０１７４】
（第９の実施形態）
第２の実施形態では、眼鏡フレームと操作ユニットとを、信号線を含む電源ケーブルで接続する構成としたが、眼鏡フレームと操作ユニットとの間で発生する制御を無線通信するようにしてもよい。図１８に示すように、眼鏡フレーム１３には、制御部２５、電源供給部２７、無線通信部９３が設けられている。また、リモートコントローラ８７には、操作部９１、無線通信部９５、電源供給部１０３が設けられている。無線通信部９３、無線通信部９５を介して、双方向に通信することができる。
【０１７５】
リモートコントローラ８７に設けられた操作部９１を操作すると、所定の無線信号が、無線通信部９３から無線通信部９５を経由して、制御部２５に送信される。また、制御部２５から出力される信号が、無線通信部９５から無線通信部９３を経由して、リモートコントローラ８７に無線送信される。
【０１７６】
これによれば、操作部９１がリモートコントローラ８７に設けられており、しかも眼鏡フレーム１３と、リモートコントローラ８７との間で行われる通信が、無線通信であるために、リモートコントローラ８７を自由に配置して使用することができる。その結果、操作性のよい可変焦点眼鏡、利便性の高い可変焦点眼鏡を提供することができる。なお、リモートコントローラ８７を腕、手首に装着できる腕輪型のコントローラにすると、さらに操作性、利便性が向上する。
【０１７７】
（第１０の実施形態）
第１の実施形態では、ステッピングモータを用いたが、ＤＣモータを用いてもよい。図１９に示すように、ＤＣモータ９７の回転軸９７ａには、外周の一部に切り欠き部９９ａが形成された円板９９が固定されており、回転軸９７ａが回転すると、円板９９が一体となって回転する。センサ１０１は、円板９９の切り欠き部９９ａを検出することができるので、制御部は、所定の距離にある視認対象物が明瞭に視認できる場合の、回転量（駆動量）を得ることができる。そして、ＤＣモータ９７を、この回転量（駆動量）分だけ作動させれば、所定の距離にある視認対象物が明瞭に視認できる。センサ１０１の替わりに、エンコーダを用いてもよい。この他、駆動部の駆動体として、サーボモータ、リニアモータなどであってもよい。
【０１７８】
（第１１の実施形態）
上述した液体式可変焦点眼鏡が、視認対象物までの距離を測定する距離測定手段（例えば、測距センサ、光電センサなど）を備え、この距離測定手段により測定された距離に応じて、焦点距離を変更する液体式可変焦点眼鏡であってもよい。図２０に、距離測定手段４５を備えた可変焦点眼鏡１１の平面断面図を示す。なお、上述した距離測定手段に代え、所定の視認対象物の有無を検出する視認対象物検出手段（例えば、光電センサなど）が設けられていてもよい。
【０１７９】
（第１２の実施形態）
上述した電圧印加式可変焦点眼鏡が、第１１の実施形態と同様に、視認対象物までの距離を測定する距離測定手段（例えば、測距センサ、光電センサなど）を備え、この距離測定手段により測定された距離に応じて、焦点距離を変更する電圧印加式可変焦点眼鏡であってもよい。なお、上述した距離測定手段に代え、所定の視認対象物の有無を検出する視認対象物検出手段（例えば、光電センサなど）が設けられていてもよい。
【０１８０】
（その他の実施形態）
第１の実施形態では、駆動量検出手段として、ロータリエンコーダを用いたが、これに限定されるものではない。例えば、アナログ出力を行うポテンショメータ、レゾルバを用いてもよい。また、駆動部の特定の位置、例えば第１の実施形態で説明したピストンの移動量をセンサ、リニアエンコーダ等で検出するようにしてもよい。この場合、ピストンの移動量が駆動量であり、センサ、リニアエンコーダ等が、駆動量検出手段となる。
【０１８１】
第１の実施形態では、ステッピングモータを用いてピストンを制御したが、ポンプを用いて、ピストンを制御してもよい。この場合、ピストンの可動量（駆動量）を検出する可動量検出手段（例えば、リニアセンサ）を設けると、バルブで制御する方式と比較して、透明液体を精密に制御することができる。また、特許文献１の可変焦点眼鏡に記載されているリザーバに設けられたダイアルを駆動する駆動部を設け、この駆動部を自動制御するようにしてもよい。
【０１８２】
また、第５の実施形態で説明したパルス数ＮＲ、ＮＬを求めるための計算式は、種々あり、これに限定されるものではない。
【０１８３】
また、第６の実施形態で説明した印加電圧ＶＲ、ＶＬを求めるための計算式は、種々あり、これに限定されるものではない。
【０１８４】
また、第８の実施形態では、制御部、電源供給部、操作部を眼鏡フレームと別体に設けたが、制御部、電源供給部、操作部の少なくとも１つを、眼鏡フレームと別体に設けてもよい。
【０１８５】
また、第８の形態では、制御部２５、電源供給部２７、操作部９１を眼鏡フレーム１３と別体にしたが、さらに駆動部２３を、眼鏡フレーム１３と別体に設けてもよい。また、別体にした制御部２５、電源供給部２７、操作部９１、駆動部２３をリモートコントローラ８７に設けてもよい。この場合、例えば、図１７に示すリモートコントローラ８７に駆動部２３を内蔵させ、眼鏡フレーム１３側へと接続される配管を、電源ケーブル８９と、一体に設けるとよい。眼鏡フレーム１３の内部には、可変焦点レンズ１５に繋がる配管路が形成される。
【０１８６】
また、第８の実施形態は、液体式可変焦点レンズの変形例であるが、上述した電圧印加式可変焦点眼鏡に同様の構成を適用して、眼鏡フレーム１３とリモートコントローラとを、信号線を含む電源ケーブルで接続する構成としてもよい。リモートコントローラには、制御部、電源供給部、操作部が設けられる。なお、制御部、電源供給部、操作部の少なくとも１つを、眼鏡フレームと別体に設けてもよい。また、上述した電圧印加式可変焦点眼鏡において、駆動部をリモートコントローラに設けてもよい。
【０１８７】
また、第９の実施形態では、制御部２５を眼鏡フレーム１３に設けたが、制御部２５を、リモートコントローラ８７に設けてもよい。
【０１８８】
また、第９の実施形態は、液体式可変焦点レンズの変形例であるが、上述した電圧印加式可変焦点眼鏡に同様の構成を適用して、眼鏡フレームと操作ユニットとの間で発生する制御を無線通信するようにしてもよい。なお、制御部を、リモートコントローラに設けてもよい。また、駆動部をリモートコントローラに設けてもよい。
【０１８９】
また、上述した電圧印加式可変焦点眼鏡は、電圧を印加することにより焦点距離を可変する可変焦点眼鏡であればよく、上述した液晶式の可変焦点眼鏡に限定されない。例えば、レンズホルダー（容器）内に所定の可撓膜を隔てて、導電性液体と、絶縁性流体とを封入し、導電性液体に印加電圧を印加させて、界面を変化させ、焦点距離を変更する可変焦点眼鏡（オランダ：フィリップス  エレクトロニックス社）、電子ウェッティング現象の原理を利用したレンズを用いた電子眼鏡（フランス：バリオプティック社）であってもよい。また、印加電圧をかけることで、レンズに外力を加え、レンズ厚を変化させ、焦点距離を変更する可変焦点眼鏡であってもよい。
【０１９０】
また、第１の実施形態、第２の実施形態における３点教示後の操作手順において、タッチセンサを操作することによって、駆動量を変更する順番は、適宜変更可能である。
【０１９１】
なお、本願発明は、上記実施例のみに限定されるものではなく、請求項の範囲に記載された技術的思想の中で、自由に変形が可能である。
【符号の説明】
【０１９２】
１１…可変焦点眼鏡
１３…眼鏡フレーム
１５、１５Ｒ、１５Ｌ…可変焦点レンズ
１７…フロント
１９、１９Ｒ、１９Ｌ…テンプル
２１…透明液体
２３、２３Ｒ、２３Ｌ…駆動部
２５…制御部
２７…電源供給部
３１…ピストン
３３…送りねじ軸
３５、３５Ｒ、３５Ｌ…ステッピングモータ
３７…貯留室
３９…ロータリエンコーダ
４１…（欠番）
４３…（欠番）
４７…操作部
４９…電源スイッチ
５１…タッチセンサ
５３…教示ボタン
５５…モード切換ボタン
５７…タッチセンサ
５９…登録ボタン